(57)【特許請求の範囲】
【請求項１】
タッチパネルを備える表示装置に接続される情報制御装置であって、
前記表示装置に表示される第一レイヤの第一表示情報のうち、前記タッチパネルへの入力操作によって選択された領域に対応する選択表示情報を部分構造情報として複製して、当該第一レイヤの第一表示情報の上に重ねられて表示される第二レイヤの第二表示情報を生成する生成部と、
前記タッチパネルへの入力操作が前記第二レイヤの第二表示情報に対する入力操作である場合に、当該入力操作に基づいて前記部分構造情報を更新し前記第二レイヤの第二表示情報を更新する第一更新部と、
前記第一更新部により更新された前記第二レイヤの第二表示情報に基づいて、前記第一レイヤの第一表示情報のうち、前記選択表示情報を更新する第二更新部と、
前記タッチパネルへの前記入力操作が、前記第一レイヤの第一表示情報のうち前記選択表示情報に対する入力操作であるのか、前記第一レイヤの第一表示情報のうち前記選択表示情報以外の表示情報に対する入力操作であるのかを検出する操作対象検出部と、
前記操作対象検出部による検出結果に基づいて、通知情報を前記表示装置に表示させる通知情報表示制御部と、
を備えることを特徴とする情報制御装置。
【請求項２】
前記操作対象検出部は、前記タッチパネルへの前記入力操作が、前記第一レイヤの第一表示情報のうち前記選択表示情報以外の表示情報に対する入力操作であることを検出して、第一検出結果を前記検出結果として出力し、
前記通知情報表示制御部は、前記操作対象検出部から当該第一検出結果を受信すると、前記第一レイヤの第一表示情報のうち前記選択表示情報以外の表示情報と、前記第一レイヤの前記第一表示情報のうちの前記選択表示情報との関連性を判定し、当該判定に基づいて、当該関連性を通知する通知情報を、前記通知情報として、前記表示装置に送信する
ことを特徴とする請求項１に記載の情報制御装置。
【請求項３】
前記操作対象検出部は、前記タッチパネルへの前記入力操作が、前記第一レイヤの第一表示情報のうち前記選択表示情報に対する入力操作であることを検出して、第二検出結果を前記検出結果として出力し、
前記通知情報表示制御部は、前記操作対象検出部から当該第二検出結果を受信すると、前記タッチパネルを介して前記第一レイヤの第一表示情報のうち前記選択表示情報が入力操作されたことを通知する通知情報を、前記通知情報として前記表示装置に表示させる
ことを特徴とする請求項１に記載の情報制御装置。
【請求項４】
タッチパネルを備える表示装置に接続される情報制御装置であって、
前記表示装置に表示される第一レイヤの第一表示情報のうち、前記タッチパネルへの入力操作によって選択された領域に対応する選択表示情報を部分構造情報として複製して、当該第一レイヤの第一表示情報の上に重ねられて表示される第二レイヤの第二表示情報を生成する生成部と、
前記タッチパネルへの入力操作が前記第二レイヤの第二表示情報に対する入力操作である場合に、当該入力操作に基づいて前記部分構造情報を更新し前記第二レイヤの第二表示情報を更新する第一更新部と、
前記第一更新部により更新された前記第二レイヤの第二表示情報に基づいて、前記第一レイヤの第一表示情報のうち、前記選択表示情報を更新する第二更新部と、
前記第二更新部が前記第一レイヤの第一表示情報を更新したことに基づいて、前記第一レイヤの第一表示情報が更新されたことを通知する通知情報を、前記通知情報として前記表示装置に表示させる通知情報表示制御部と、
を備えることを特徴とする情報制御装置。
【請求項５】
タッチパネルを備える表示装置に接続される情報制御装置であって、
前記表示装置に表示される第一レイヤの第一表示情報のうち、前記タッチパネルへの入力操作によって選択された領域に対応する選択表示情報を部分構造情報として複製して、当該第一レイヤの第一表示情報の上に重ねられて表示される第二レイヤの第二表示情報を生成する生成部と、
前記タッチパネルへの入力操作が前記第二レイヤの第二表示情報に対する入力操作である場合に、当該入力操作に基づいて前記部分構造情報を更新し前記第二レイヤの第二表示情報を更新する第一更新部と、
前記第一更新部により更新された前記第二レイヤの第二表示情報に基づいて、前記第一レイヤの第一表示情報を更新する第二更新部と、
前記タッチパネルを介して行われる前記第二レイヤの第二表示情報に対する所定の入力操作に基づいて、前記第二レイヤの第二表示情報の入力操作有効の状態及び入力操作無効の状態の切り替えを制御する入力制御部と、
を備えることを特徴とする情報制御装置。
【請求項６】
前記入力制御部は、
前記生成部が前記第二レイヤの第二表示情報を生成すると、前記第二レイヤの第二表示情報の入力操作の初期状態を、前記入力操作無効の状態とする
ことを特徴とする請求項５に記載の情報制御装置。
【発明の詳細な説明】
【技術分野】
【０００１】
本発明は、情報制御装置に関する。
【背景技術】
【０００２】
従来の情報端末は、その入力装置としてタッチパネルを備えるものがある。例えば、従来の情報端末は、スマートフォンやタブレット端末等である。タッチパネルは、情報端末の表示装置の表示画面を覆うように配置され、表示画面に表示される表示情報（例えば画像）を透過させる。タッチパネルでは、ユーザにより指やタッチペンを用いてタッチ操作が行われる。例えば、タッチ操作は、表示画面に表示にされる表示情報の位置に合わせて、指やタッチペンをタッチパネルに接触されることである。タッチパネルは、タッチ操作に基づいてタッチされた位置の情報を含む信号を、タッチ操作信号として、情報端末の他の構成要素に送信する。
【０００３】
更に、従来の情報端末は、切出し機能と位置移動機能を備えるものがある。切出し機能は、表示画面に表示される表示情報から任意の範囲で切出す機能であり、次に示される機能を有する。切出し機能の第１操作は、ユーザによるタッチパネルを用いたタッチ操作に基づいて、表示情報から任意の範囲を選択する。切出し機能の第２操作は、選択された範囲に基づいて、表示情報の切出し範囲を設定する。切出し機能の第３操作は、設定された切出し範囲に含まれる表示情報を、切出し元の表示情報から切出す。切出し機能の第４操作は、ユーザによるタッチパネルを用いたタッチ操作に基づいて、切出された表示情報を配置する位置を選択する。切出し機能の第５操作は、選択された位置に基づいて、切出された表示情報を表示画面に配置する。更に、位置移動機能は、切出し機能により表示画面に配置された切出された表示情報を、表示画面における任意の位置に移動させる機能を有する。ここで、移動先となる任意の位置は、ユーザによるタッチパネルを用いたタッチ操作に基づいて、決定される。
【０００４】
従来の情報端末は、一例として、特許文献１に開示される。
【先行技術文献】
【特許文献】
【０００５】
【特許文献１】特開２０１０−２０４７４３号公報
【発明の概要】
【０００６】
従来の情報端末は、次の問題を有する。従来の情報端末は、タッチパネルを介してユーザから、切出された表示情報に対して表示内容を更新するタッチ操作をしても、そのタッチ操作に基づいて、切出された表示情報を更新することができない。従来の情報端末は、切出された表示情報を更新することができないので、その更新に基づいて、切出し元に係る表示情報を更新することもできなかった。
【０００７】
本発明は、上記の問題を解決する情報制御装置を提供することを課題とする。本発明に係る情報制御装置は、切出された表示情報について、ユーザによるタッチパネルを用いたタッチ操作を受け付けて、そのタッチ操作に基づいて切出された表示情報を更新する。更に、本発明に係る情報制御装置は、そのタッチ操作により更新された、切出された表示情報に基づいて切出し元に係る表示情報を更新する。
【課題を解決するための手段】
【０００８】
上記課題を解決するために、第１の本発明によれば、タッチパネルを備える表示装置に接続される情報制御装置であって、前記表示装置に表示される第一レイヤの第一表示情報のうち、前記タッチパネルへの入力操作によって選択された領域に対応する選択表示情報を部分構造情報として複製して、当該第一レイヤの第一表示情報の上に重ねられて表示される第二レイヤの第二表示情報を生成する生成部と、前記タッチパネルへの入力操作が前記第二レイヤの第二表示情報に対する入力操作である場合に、当該入力操作に基づいて前記部分構造情報を更新し前記第二レイヤの第二表示情報を更新する第一更新部と、前記第一更新部により更新された前記第二レイヤの第二表示情報に基づいて、前記第一レイヤの第一表示情報のうち、前記選択表示情報を更新する第二更新部と、前記タッチパネルへの前記入力操作が、前記第一レイヤの第一表示情報のうち前記選択表示情報に対する入力操作であるのか、前記第一レイヤの第一表示情報のうち前記選択表示情報以外の表示情報に対する入力操作であるのかを検出する操作対象検出部と、前記操作対象検出部による検出結果に基づいて、通知情報を前記表示装置に表示させる通知情報表示制御部と、を備えることを特徴とする情報制御装置が提供される。
【０００９】
また、上記課題を解決するために、第２の本発明によれば、タッチパネルを備える表示装置に接続される情報制御装置であって、前記表示装置に表示される第一レイヤの第一表示情報のうち、前記タッチパネルへの入力操作によって選択された領域に対応する選択表示情報を部分構造情報として複製して、当該第一レイヤの第一表示情報の上に重ねられて表示される第二レイヤの第二表示情報を生成する生成部と、前記タッチパネルへの入力操作が前記第二レイヤの第二表示情報に対する入力操作である場合に、当該入力操作に基づいて前記部分構造情報を更新し前記第二レイヤの第二表示情報を更新する第一更新部と、前記第一更新部により更新された前記第二レイヤの第二表示情報に基づいて、前記第一レイヤの第一表示情報のうち、前記選択表示情報を更新する第二更新部と、前記第二更新部が前記第一レイヤの第一表示情報を更新したことに基づいて、前記第一レイヤの第一表示情報が更新されたことを通知する通知情報を、前記通知情報として前記表示装置に表示させる通知情報表示制御部と、を備えることを特徴とする情報制御装置が提供される。
【００１０】
また、上記課題を解決するために、第３の本発明によれば、タッチパネルを備える表示装置に接続される情報制御装置であって、前記表示装置に表示される第一レイヤの第一表示情報のうち、前記タッチパネルへの入力操作によって選択された領域に対応する選択表示情報を部分構造情報として複製して、当該第一レイヤの第一表示情報の上に重ねられて表示される第二レイヤの第二表示情報を生成する生成部と、前記タッチパネルへの入力操作が前記第二レイヤの第二表示情報に対する入力操作である場合に、当該入力操作に基づいて前記部分構造情報を更新し前記第二レイヤの第二表示情報を更新する第一更新部と、前記第一更新部により更新された前記第二レイヤの第二表示情報に基づいて、前記第一レイヤの第一表示情報を更新する第二更新部と、前記タッチパネルを介して行われる前記第二レイヤの第二表示情報に対する所定の入力操作に基づいて、前記第二レイヤの第二表示情報の入力操作有効の状態及び入力操作無効の状態の切り替えを制御する入力制御部と、を備えることを特徴とする情報制御装置が提供される。
【発明の効果】
【００１１】
本発明によれば、ユーザによるタッチパネルへのタッチ操作に基づいて、表示装置に表示される切出された表示情報、及び切出された表示情報の切出し元に係る表示情報を更新することができる。
【図面の簡単な説明】
【００１２】
【図１】本発明の実施形態による情報端末の基本構成を示した説明図である。
【図２】本発明の実施形態による情報端末における、ディスプレイにおける表示情報の表示方法を模式的に示した説明図である。
【図３】本発明の実施形態による情報端末における制御装置について、切出し画面生成部の詳細な構成を示した説明図である。
【図４】本発明の実施形態による情報端末における、情報端末の外観、情報端末のディスプレイの表示、及びユーザによる情報端末の基本操作と切出し画面生成操作の様子を模式的に示した説明図（その１）である。
【図５】本発明の実施形態による情報端末における、情報端末の外観、情報端末のディスプレイの表示、及びユーザによる情報端末の基本操作と切出し画面生成操作の様子を模式的に示した説明図（その２）である。
【図６】本発明の実施形態による情報端末における、情報端末の外観、情報端末のディスプレイの表示、及びユーザによる情報端末の基本操作と切出し画面生成操作の様子を模式的に示した説明図（その３）である。
【図７】本発明の実施形態による情報端末における、情報端末の外観、情報端末のディスプレイの表示、及びユーザによる情報端末の基本操作と切出し画面生成操作の様子を模式的に示した説明図（その４）である。
【図８】本発明の実施形態による情報端末における、情報端末の外観、情報端末のディスプレイの表示、及びユーザによる情報端末の基本操作と切出し画面生成操作の様子を模式的に示した説明図（その５）である。
【図９】本発明の実施形態による情報端末における、情報端末の外観、情報端末のディスプレイの表示、及びユーザによる情報端末の基本操作と切出し画面生成操作の様子を模式的に示した説明図（その６）である。
【図１０】本発明の実施形態による情報端末における、情報端末の外観、情報端末のディスプレイの表示、及びユーザによる情報端末の基本操作と切出し画面生成操作の様子を模式的に示した説明図（その７）である。
【図１１】本発明の実施形態による情報端末における、情報端末の外観、情報端末のディスプレイの表示、及びユーザによる情報端末の基本操作と切出し画面生成操作の様子を模式的に示した説明図（その８）である。
【図１２】本発明の実施形態による、切出し画面生成に係る情報制御処理の基本動作を示したフローチャートである。
【図１３】本発明の実施形態による、切出し画面生成に係る情報制御処理を行うためのデータテーブルを模式的に示した説明図（その１）である。
【図１４】本発明の実施形態による、切出し画面生成に係る情報制御処理を行うためのデータテーブルを模式的に示した説明図（その２）である。
【図１５】本発明の実施形態による情報端末における、表示情報の全体像及び表示情報における座標設定を模式的に示した説明図（その１）である。
【図１６】本発明の実施形態による情報端末における、表示情報の全体像及び表示情報における座標設定を模式的に示した説明図（その２）である。
【図１７】本発明の第１の実施形態による情報端末の構成を示した説明図である。
【図１８】本発明の第１の実施形態による情報端末における制御装置について、切出し画面操作部の詳細な構成を示した説明図である。
【図１９】本発明の第１の実施形態による情報端末における、情報端末の外観、情報端末のディスプレイの表示、及びユーザによる切出し画面操作の様子を模式的に示した説明図（その１）である。
【図２０】本発明の第１の実施形態による情報端末における、情報端末の外観、情報端末のディスプレイの表示、及びユーザによる切出し画面操作の様子を模式的に示した説明図（その２）である。
【図２１】本発明の第１の実施形態による、切出し画面生成に係る情報制御処理を行うためのデータテーブルを模式的に示した説明図（その３）である。
【図２２】本発明の第１の実施形態による、切出し画面生成に係る情報制御処理を行うためのデータテーブルを模式的に示した説明図（その４）である。
【図２３】本発明の第１の実施形態による情報端末における、切出し画面操作に係る情報制御処理の動作を示したフローチャートである。
【図２４】本発明の第２の実施形態による情報端末の構成を示した説明図である。
【図２５】本発明の第２の実施形態による情報端末における、連動通知情報の生成及び表示の様子を模式的に示した説明図である。
【図２６】本発明の第２の実施形態による情報端末における、連動通知情報の生成及び表示に係る情報制御処理の動作を示したフローチャートである。
【図２７】本発明の第２の実施形態による情報端末における、連動通知情報の生成及び表示に係る情報制御処理を行うためのデータテーブルを模式的に示した説明図（その１）である。
【図２８】本発明の第２の実施形態による情報端末における、連動通知情報の生成及び表示に係る情報制御処理を行うためのデータテーブルを模式的に示した説明図（その２）である。
【図２９】本発明の第２の実施形態による情報端末における、連動通知情報の生成及び表示の変形例について、情報制御処理の動作を示したフローチャートである。
【図３０】本発明の第２の実施形態による情報端末における、更新通知情報の生成及び表示の様子を模式的に示した説明図（その１）である。
【図３１】本発明の第２の実施形態による情報端末における、更新通知情報の生成及び表示の様子を模式的に示した説明図（その２）である。
【図３２】本発明の第２の実施形態による情報端末における、更新通知情報の生成及び表示に係る情報制御処理の動作を示したフローチャートである。
【図３３】本発明の第２の実施形態による情報端末における、更新通知情報の生成及び表示に係る情報制御処理に含まれる判定処理について、判定処理を行うための表示情報における座標設定を模式的に示した説明図である。
【図３４】本発明の第２の実施形態による情報端末における、操作通知情報の生成及び表示の様子を模式的に示した説明図（その１）である。
【図３５】本発明の第２の実施形態による情報端末における、操作通知情報の生成及び表示の様子を模式的に示した説明図（その２）である。
【図３６】本発明の第２の実施形態による情報端末における、操作通知情報の生成及び表示に係る情報制御処理の動作を示したフローチャートである。
【図３７】本発明の第２の実施形態による情報端末における、操作通知情報の生成及び表示に係る情報制御処理を行うためのデータテーブルを模式的に示した説明図（その１）である。
【図３８】本発明の第２の実施形態による情報端末における、操作通知情報の生成及び表示に係る情報制御処理を行うためのデータテーブルを模式的に示した説明図（その２）である。
【図３９】本発明の第２の実施形態による情報端末における、操作通知情報の生成及び表示に係る情報制御処理を行うためのデータテーブルを模式的に示した説明図（その３）である。
【図４０】本発明の第２の実施形態による情報端末における、操作通知情報の生成及び表示に係る情報制御処理を行うためのデータテーブルを模式的に示した説明図（その４）である。
【図４１】本発明の第２の実施形態による情報端末における、操作通知情報の生成及び表示の変形例について、操作通知情報の生成及び表示の様子を模式的に示した説明図（その１）である。
【図４２】本発明の第２の実施形態による情報端末における、操作通知情報の生成及び表示の変形例について、操作通知情報の生成及び表示の様子を模式的に示した説明図（その２）である。
【図４３】本発明の第２の実施形態による情報端末における、操作通知情報の生成及び表示の変形例について、情報制御処理を行うためのデータテーブルを模式的に示した説明図（その１）である。
【図４４】本発明の第２の実施形態による情報端末における、操作通知情報の生成及び表示の変形例について、情報制御処理を行うためのデータテーブルを模式的に示した説明図（その２）である。
【図４５】本発明の第２の実施形態による情報端末における、操作通知情報の生成及び表示の変形例について、情報制御処理を行うためのデータテーブルを模式的に示した説明図（その３）である。
【図４６】本発明の第２の実施形態による情報端末における、操作通知情報の生成及び表示の変形例について、情報制御処理を行うためのデータテーブルを模式的に示した説明図（その４）である。
【図４７】本発明の第３の実施形態による情報端末の構成を示した説明図である。
【図４８】本発明の第３の実施形態による情報端末における、切出し画面の入力受付状態及び非入力受付状態の切り替えを行うための操作の様子を模式的に示した説明図である。
【図４９】本発明の第３の実施形態による情報端末における、切出し画面の入力受付状態及び非入力受付状態の切り替えに係る情報制御処理の動作を示したフローチャートである。
【図５０】本発明の第３の実施形態による情報端末における、切出し画面の入力受付状態及び非入力受付状態の切り替えに係る情報制御処理を行うためのデータテーブルを模式的に示した説明図（その１）である。
【図５１】本発明の第３の実施形態による情報端末における、切出し画面の入力受付状態及び非入力受付状態の切り替えに係る情報制御処理を行うためのデータテーブルを模式的に示した説明図（その２）である。
【図５２】本発明の第３の実施形態による情報端末における、切出し画面の入力受付状態及び非入力受付状態の切り替えを考慮した、切出し画面操作に係る情報制御処理の動作を示したフローチャートである。
【図５３】本発明の第４の実施形態による情報端末の構成を示した説明図である。
【図５４】本発明の第４の実施形態による情報端末における、情報端末の外観、情報端末のディスプレイの表示、及びユーザによる情報端末の基本操作と切出し画面生成操作の様子を模式的に示した説明図（その１）である。
【図５５】本発明の第４の実施形態による、切出し画面生成に係る情報制御処理を行うためのデータテーブルを模式的に示した説明図（その１）である。
【図５６】本発明の本発明の実施形態による情報端末における、表示情報の全体像及び表示情報における座標設定を模式的に示した説明図（その１）である。
【図５７】本発明の本発明の実施形態による情報端末における、表示情報の全体像及び表示情報における座標設定を模式的に示した説明図（その２）である。
【図５８】本発明の第４の実施形態による、切出し画面生成に係る情報制御処理を行うためのデータテーブルを模式的に示した説明図（その２）である。
【図５９】本発明の第４の実施形態による情報端末における、情報端末の外観、情報端末のディスプレイの表示、及びユーザによる情報端末の基本操作と切出し画面生成操作の様子を模式的に示した説明図（その２）である。
【図６０】本発明の第４の実施形態による、切出し画面生成に係る情報制御処理を行うためのデータテーブルを模式的に示した説明図（その３）である。
【図６１】本発明の第４の実施形態による、切出し画面生成に係る情報制御処理を行うためのデータテーブルを模式的に示した説明図（その４）である。
【図６２】本発明の第４の実施形態における変形例による、情報端末の外観、情報端末のディスプレイの表示、及びユーザによる情報端末の基本操作と切出し画面生成操作の様子を模式的に示した説明図である。
【図６３】本発明の第４の実施形態における変形例よる情報端末の構成を示した説明図である。
【図６４】本発明の第４の実施形態における変形例による、切出し画面生成に係る情報制御処理を行うためのデータテーブルを模式的に示した説明図である。
【図６５】本発明の第５の実施形態による情報端末の構成を示した説明図である。
【図６６】本発明の第５の実施形態による情報端末における、情報端末の外観、情報端末のディスプレイの表示、及びユーザによる情報端末の基本操作と切出し画面生成操作の様子を模式的に示した説明図（その１）である。
【図６７】本発明の第５の実施形態による切出し画面生成に係る情報制御処理を行うためのデータテーブルを模式的に示した説明図（その１）である。
【図６８】本発明の第５の実施形態による切出し画面生成に係る情報制御処理を行うためのデータテーブルを模式的に示した説明図（その２）である。
【図６９】本発明の第５の実施形態による情報端末における、情報端末の外観、情報端末のディスプレイの表示、及びユーザによる情報端末の基本操作と切出し画面生成操作の様子を模式的に示した説明図（その２）である。
【図７０】本発明の第５の実施形態による切出し画面生成に係る情報制御処理を行うためのデータテーブルを模式的に示した説明図（その３）である。
【図７１】本発明の第５の実施形態による情報端末における、切出し画面操作に係る情報制御処理の動作を示したフローチャートである。
【図７２】本発明の第５の実施形態による情報端末における、情報端末の外観、情報端末のディスプレイの表示、及びユーザによる情報端末の基本操作と切出し画面生成操作の様子を模式的に示した説明図（その３）である。
【図７３】本発明の変形例によるネットワークを介して接続された情報端末及び情報制御装置として機能するメインサーバを示した説明図である。
【発明を実施するための形態】
【００１３】
＜＜１．  情報端末の基本構成＞＞
本発明の好適な実施形態を、以下に図１〜図３を用いて詳細に説明する。ここで、図１は、本発明の実施形態による情報端末の基本構成を示した説明図である。図２は、本発明の実施形態による情報端末における、ディスプレイにおける表示情報の表示方法を模式的に示した説明図である。図３は、本発明の実施形態による情報端末における制御装置について、切出し画面生成部の詳細な構成を示した説明図である。
【００１４】
まず、本願の各実施形態において、情報端末及び情報制御装置に共通する基本構成の概略を、以下のように説明する。なお、本明細書及び図面において、同一の構成要素または実質的に同一の機能要素を有する構成要素については、同一の符号を付することにより重複説明を省略する。
【００１５】
図１に示されるように、情報端末１は、タッチパネル１０と、ディスプレイ２０と、制御装置３０を備える。なお本実施形態では、制御装置３０が、本発明の情報制御装置としての機能を有している。
＜１−１．  タッチパネル＞
タッチパネル１０は、ディスプレイ２０の表示画面を覆うように配置され、ディスプレイ２０に表示される表示情報を透過させる。また、タッチパネル１０は、ユーザによるタッチ操作を受け付け、タッチされた位置の情報（例えば座標情報）を含む信号を、タッチ操作信号として、制御装置３０に送信する。タッチ操作とは、ユーザの指８（図６）やタッチペン（図示せず）がタッチパネル１０に接触することである。ここでの接触は、タッチされた位置の情報、例えば座標情報が、ある１点の座標情報となる接触、複数の座標情報となる接触、または複数の座標情報により軌跡が描かれる接触を含む。なお、本願の各実施形態において、＜１−３．  制御装置＞にて後述されるように、制御装置３０は、タッチパネルより受信するタッチ操作信号から、タッチパネル１０がタッチされた位置の情報を抽出する。制御装置３０は、タッチパネル１０がタッチされた位置の情報に基づいて、種々の処理を行う。なお、本願の各実施形態の説明において、情報端末１における、ユーザによるタッチパネル１０へのタッチ操作は、ユーザによるタッチパネルへの入力操作の一例として記載される。これにより、ユーザは、ディスプレイ２０に表示された表示情報の表示位置に合わせて、タッチパネル１０に対してタッチ操作を行い、情報端末１を操作することが可能となっている。
【００１６】
タッチパネル１０は、既知のタッチパネルを適宜使用することができる。タッチパネル１０は、例えば、抵抗膜方式、静電容量方式等、種々の方式のタッチパネルを使用することができる。また、タッチパネル１０は、マルチタッチ機能を備えており、ユーザによるタッチパネル１０へのタッチ操作において、同時に２箇所以上のポイントがタッチ操作されたことを検出できる。なお、マルチタッチ機能において、同時にタッチ操作されたことを検出できるポイント数は、２箇所以上であればよい。マルチタッチ機能の実現に際しては、既知の技術を適宜使用することができる。
＜１−２．  ディスプレイ＞
ディスプレイ２０は、ユーザが情報端末１の操作等を行なうための表示情報を表示する。なお、表示情報は、後述される画面制御部３４からの画面制御信号に基づいて表示される。本願の各実施形態において、ディスプレイ２０に表示される表示情報は、図２（ａ）、（ｂ）に示されるように、表示情報において仮想的なレイヤ（層）が設けられている。即ち、ディスプレイ２０に表示される表示情報は、図２（ａ）に示されるように、各レイヤの表示情報で構成される。そして、図２（ｂ）に示されるように、ディスプレイ２０における表示情報の表示において、各レイヤの表示情報は重ねて表示される。図２（ａ）では、ディスプレイ２０に表示される表示情報を、２つのレイヤ（第一レイヤと第二レイヤ）を用いて構成する一例が示される。第二レイヤは、第一レイヤよりも上層に存在し、第二レイヤにおける第二表示情報の表示領域２３の外側は、透明な表示領域である。第二表示情報の表示領域２３の外側には、第二レイヤよりも下層に存在する第一レイヤの表示情報が、透過される。図２（ｂ）に示されるように、ディスプレイ２０の表示画面に、第一レイヤの第一表示情報２１が表示されるとともに、図２（ａ）に示されたように、第二レイヤの第二表示情報２２が、第一レイヤの第一表示情報２１の上に重ねられ、第二表示情報の表示領域２３に表示される。
【００１７】
なお、ディスプレイ２０は、既知のディスプレイを適宜使用することができる。
＜１−３．  制御装置＞
図１に示されるように、制御装置３０は、タッチパネル１０及びディスプレイ２０に接続され、タッチパネル１０からタッチ操作信号を受信する。そして、制御装置３０は、タッチ操作信号から、タッチパネル１０がタッチされた位置の情報（例えば座標情報）を抽出し、その情報に基づいて種々の処理を行う（なお、本願の各実施形態の説明において、制御装置３０、及び制御装置３０の各構成部における上述の動作を、「制御装置３０は、タッチパネル１０から受信するタッチ操作信号に基づいて、処理を行う。」等と表記する）。更に、制御装置３０は、処理の結果に基づいた画面制御信号をディスプレイ２０に送信する。
【００１８】
制御装置３０は、操作対象検出部３１と、入力処理部３２と、切出し画面生成部３３と、画面制御部３４を備える。操作対象検出部３１〜画面制御部３４の各部は、ユーザが行いたいアプリケーション処理に関わる構成要素であり、これらの各部は、コンピュータによるプログラムの実行により実現される。
【００１９】
制御装置３０は、通信部４０を備える。通信部４０は、ＬＡＮ（Ｌｏｃａｌ Ａｒｅａ Ｎｅｔｗｏｒｋ）モジュールや第３世代（３Ｇ：３ｒｄ  Ｇｅｎｅｒａｔｉｏｎ）携帯電話の通信機能を担う３Ｇモジュール等で構成される。情報端末１は、通信部４０により、インターネット等の通信網に有線又は無線で接続して、種々の情報を通信網より取得することができる。通信部４０は、コンピュータによるプログラムの実行により実現される。
【００２０】
制御装置３０は、記憶部５０を備える。記憶部５０は、記憶媒体５１とメモリ５２を備える。記憶媒体５１は、ＯＳ（Ｏｐｅｒａｔｉｎｇ Ｓｙｓｔｅｍ）や、ユーザが制御装置３０を用いて実行するアプリケーション等を記憶しており、記憶媒体５１は、ＨＤＤ（Ｈａｒｄ Ｄｉｓｋ Ｄｒｉｖｅ）やフラッシュメモリ等で構成される。メモリ５２は、データを一時的に記憶しておくフラッシュメモリ等で構成される。
【００２１】
制御装置３０は、制御部６０を備える。制御部６０は、ＣＰＵ（Ｃｅｎｔｒａｌ Ｐｒｏｃｅｓｓｉｎｇ Ｕｎｉｔ）等で構成され、ユーザが制御装置３０を用いて実行するアプリケーション処理に関わる構成要素（例えば、上述では、操作対象検出部３１と、入力処理部３２と、切出し画面生成部３３と、画面制御部３４である）、通信部４０、記憶部５０を総合的に制御する。
［１−３−１．  操作対象検出部］
操作対象検出部３１は、ユーザのタッチパネル１０に対するタッチ操作において、ディスプレイ２０に表示される表示情報のうち、ユーザによりタッチ操作が行われた操作対象を検出する。具体的には、操作対象検出部３１は、タッチパネル１０から受信するタッチ操作信号から、タッチパネル１０がタッチ操作された座標情報を抽出する。操作対象検出部３１は、抽出された座標情報と、ディスプレイ２０に表示される表示情報の表示位置の座標情報とを照合することにより、操作対象を検出する。ここで、操作対象検出部３１により検出される操作対象は、次の表示情報のいずれかである。表示情報は、第一レイヤの表示情報、第二レイヤの表示情報、第一レイヤの第一表示情報２１のうちいずれかの表示情報、第二レイヤの第二表示情報２２である。なお、表示情報の表示位置の座標情報は、画面情報記憶部３３３（後述）に記憶される。操作対象検出部３１により、ユーザによるタッチパネル１０へのタッチ操作の操作対象が検出され、検出された操作対象に応じた処理が、制御装置３０にて行われる。
［１−３−２．  入力処理部］
入力処理部３２を、図１、図６、図１３を参照して説明する。入力処理部３２（図１）は、第一レイヤの第一表示情報２１において、ユーザによってタッチ操作されたオブジェクトに対応して、入力処理を行う。なお、ユーザによってタッチ操作されるオブジェクトは、操作可能なオブジェクトである。操作可能なオブジェクトの一例は、第一レイヤの第一表示情報２１における、ボタン２１１（図６）である。入力処理の一例は、例えば後述される図６のように、第一レイヤの第一表示情報２１におけるボタン２１１について、ボタン２１１の表示を、未入力状態を示す白丸（○）から入力状態を示す黒丸（●）へと更新する等の処理である。このボタン２１１は、ラジオボタンである。入力処理部３２は、ユーザによりタッチパネル１０がタッチ操作された座標情報と、操作可能なオブジェクト（後述される図６）の表示位置座標情報とを照合することにより、入力処理を実行する。
【００２２】
なお、ユーザによりタッチパネル１０がタッチ操作された座標情報は、タッチ操作信号として、入力処理部３２により、タッチパネル１０から受信される。また、操作可能なオブジェクトの表示位置座標情報は、例えば、後述される図１３における、ボタンオブジェクト表示位置座標情報である。入力処理部３２は、ユーザによりタッチパネル１０がタッチ操作された座標情報と、操作可能なオブジェクトの表示位置座標情報とが一致した場合、ユーザのタッチパネル１０に対するタッチ操作により、操作可能なオブジェクトが操作されたと判定する。そして、入力処理部３２は、操作可能なオブジェクトごとに、入力処理を実行する。
［１−３−３．  切出し画面生成部］
図１に示されるように、切出し画面生成部３３は、タッチパネル１０からタッチ操作信号を受信する。切出し画面生成部３３は、タッチ操作信号に基づいて、ユーザによりタッチパネル１０で選択された範囲（後述の切出し範囲）に含まれる表示情報を、ディスプレイ２０上の第一レイヤの第一表示情報２１から切出し、切出された表示情報に基づいてディスプレイ２０に表示される表示情報を生成する。
【００２３】
図３に示されるように、切出し画面生成部３３は、切出し範囲決定部３３１と、実行部３３２と、画面情報記憶部３３３とを備える。これらの各部は、コンピュータによるプログラムの実行により実現される。
（１−３−３−１．  切出し範囲決定部）
切出し範囲決定部３３１は、タッチパネル１０から受信したタッチ操作信号に基づいて、ディスプレイ２０に表示される表示情報のうちから、後述される実行部３３２が切出し処理を実行する切出し範囲を決定する。切出し範囲決定部３３１は、例えば、ユーザによるタッチパネル１０へのタッチ操作により、ディスプレイ２０に表示される表示情報から任意範囲が選択されたならば、その任意範囲を切出し範囲と決定する。
（１−３−３−２．  実行部）
実行部３３２は、ディスプレイ２０に表示される表示情報から、切出し範囲決定部３３１により決定された切出し範囲に含まれる表示情報に基づいて、第二レイヤに表示される第二表示情報を生成する。なお、前項＜１−２．  ディスプレイ＞にて説明したように、仮想的に設けられるレイヤについて、第二レイヤは第一レイヤよりも上層に存在し、第二表示情報は、第一表示情報の上に重ねて表示される。本願の各実施形態において、この第二レイヤの第二表示情報は、切出し画面に該当する。
【００２４】
図２（ａ）、（ｂ）に示されるように、第二レイヤにおける第二表示情報の表示領域２３は、第一レイヤの第一表示情報２１を透過しないように、非透明な表示領域として生成される。第二レイヤにおいて、第二表示情報の表示領域２３を除いた表示領域は、第一レイヤの第一表示情報２１が第二レイヤを透過して表示されるように、透明な表示領域として生成される。図２（ｂ）に示されるように、ディスプレイ２０においては、実行部３３２（図３）により生成された第二レイヤの第二表示情報２２が表示されるとともに、第二表示情報の表示領域２３の表示を除いた第一レイヤの第一表示情報２１が表示される。
（１−３−３−３．  記憶部）
図３に示されるように、画面情報記憶部３３３は、ユーザが情報端末１の操作等を行なう際に必要な表示情報について記憶する。
【００２５】
図２（ａ）、（ｂ）に示されるように、表示情報の一例は、切出し元画面である第一レイヤの第一表示情報２１であり、切出し画面である第二レイヤの第二表示情報２２である。
【００２６】
第一レイヤの第一表示情報２１は、例えば、切出し元画面がウェブ（Ｗｅｂ）ページであれば、文字情報、画像情報、ハイパーリンク情報、ボタン等の操作可能なオブジェクト情報である。
【００２７】
第二レイヤの第二表示情報２２は、例えば、切出し元画面である第一レイヤの第一表示情報２１のうち、切出し範囲決定部３３１（図３）により決定された切出し範囲に含まれる情報である。第二レイヤの第二表示情報２２は、例えば、切出し元画面がウェブページであれば、文字情報、画像情報、ハイパーリンク情報、ボタン等の操作可能なオブジェクト情報である。
［１−３−４．  画面制御部］
図１に示されるように、画面制御部３４は、画面情報記憶部３３３（図３）から、ユーザが情報端末１の操作等を行なう際に必要な表示情報を取得し、表示情報に基づいて生成された画面制御信号をディスプレイ２０に送信して、ディスプレイ２０に表示情報を表示させる。ここで、ユーザが情報端末１の操作等を行なう際に必要な表示情報は、ディスプレイ２０に表示される次の表示情報である。例えば、表示情報は、第一レイヤの第一表示情報２１である。または、表示情報は、第一レイヤの第一表示情報２１と第二レイヤの第二表示情報２２に基づく表示情報である。なお、前項＜１−２．  ディスプレイ＞にて説明したように、仮想的に設けられるレイヤについて、第二レイヤは第一レイヤよりも上層に存在し、第二レイヤの第二表示情報２２は、第一レイヤの第一表示情報２１の上に重ねて表示される。
＜＜２．情報制御処理の基本動作＞＞
次に、本願の各実施形態に共通する情報端末の操作と、情報制御処理の基本動作の概略を、上述の図１〜図３と、図４〜図１６を用いて説明する。ここで、図４〜図１１は、本発明の実施形態による情報端末における、情報端末の外観、情報端末のディスプレイの表示、及びユーザによる情報端末の基本操作と切出し画面生成操作の様子を模式的に示した説明図（その１〜その８）である。図１２は、本発明の実施形態による、切出し画面生成に係る情報制御処理の基本動作示したフローチャートである。図１３〜図１４は、本発明の実施形態による、切出し画面生成に係る情報制御処理を行うためのデータテーブルを模式的に示した説明図（その１〜その２）である。図１５〜図１６は、本発明の実施形態による情報端末における、表示情報の全体像及び表示情報における座標設定を模式的に示した説明図（その１〜その２）である。
【００２８】
なお、本実施形態においては、情報端末１は、ディスプレイ２０の表示画面を覆うように配置されるタッチパネル１０を有する。情報端末１は、例えばＰＤＡ（Ｐｅｒｓｏｎａｌ Ｄｉｇｉｔａｌ Ａｓｓｉｓｔａｎｔ）やスマートフォン、タブレット型端末といった情報端末として実現されている。
＜２−１．  情報端末の基本操作及び基本操作に基づく表示＞
情報端末の基本操作と基本操作に基づく表示を、図４〜図１１を用いて説明する。
【００２９】
図４は、情報端末１のディスプレイ２０において、例えばボタン２１１のように操作可能なオブジェクトを有する第一レイヤの第一表示情報２１が表示される一例を示すものである。ここで、タッチパネル１０は、ディスプレイ２０の表示画面を覆うように配置される。タッチパネル１０の操作領域は、ディスプレイ２０の表示領域と同じ大きさであることとする。
【００３０】
図５は、第一レイヤの第一表示情報２１がディスプレイ２０の表示領域に収まらない場合の一例を示すものである。このような場合、タッチパネル１０がユーザにより表示画面の上部から下部／下部から上部にタッチ操作され、表示情報が表示画面上で上下にスクロールされることで、第一レイヤの第一表示情報２１の全体がディスプレイ２０表示される。
【００３１】
図６は、ユーザの指８によりタッチパネル１０がタッチ操作されることで、第一レイヤの第一表示情報２１が更新され、表示される一例を示すものである。図６においては、ユーザの指８によりタッチパネル１０に対して、ディスプレイ２０に表示されるボタン２１１の表示位置がタッチ操作される。この場合、ボタン２１１は、前述の入力処理部３２により、未入力状態を示す白丸（○）から入力状態を示す黒丸（●）へと更新され、黒丸（●）で表示される。
【００３２】
本願の各実施形態の説明において、ユーザのタッチパネル１０に対するタッチ操作より操作される操作可能なオブジェクトは、「ラジオボタン」であるものとする。
【００３３】
「ラジオボタン」とは、複数存在するボタンのうちの一つのボタンを入力状態とすると、他の入力状態であったボタンが未入力状態に戻り、常に一つのボタンのみが入力状態となるボタンである。
【００３４】
なお、操作可能なオブジェクトは、「ラジオボタン」の他「チェックボックス（複数の項目を選択可能なオブジェクト）」や「テキスト入力フォーム（文字情報を入力するためのオブジェクト）」でも良い。
＜２−２．  切出し画面の生成と表示＞
切出し画面の生成と表示に係る処理を、図１、図３、図４、及び、図１２〜図１６を用いて説明する。
【００３５】
まず、図１２に示されるように、ユーザによる情報端末１の操作、または予め情報端末１に設定されたアプリケーションの起動等に基づいて、例えばウェブブラウザ等の任意のアプリケーションが起動される（ステップＳ１０１）。このとき、図４に示されるように、第一レイヤの第一表示情報２１が、情報端末１のディスプレイ２０に表示される。なお、第一レイヤの第一表示情報２１は、ウェブページによるアンケートに関する表示情報であるものとする。第一レイヤの第一表示情報２１の情報は、画面情報記憶部３３３（図３）に記憶されるとともに、ディスプレイ２０に表示される。第一レイヤの第一表示情報２１は、更にアンケートの入力項目の一つである質問項目に関する情報について、データテーブルを用いて画面情報記憶部３３３に記憶される（図１３）。
【００３６】
図１３は、本発明の実施形態による、切り出し画面生成に係る情報制御処理を行うためのデータテーブルを模式的に示した説明図（その１）である。ここでは、画面情報記憶部３３３に記憶された第一レイヤの第一表示情報２１の情報のデータテーブル７１の一例が示される。
【００３７】
データテーブル７１は、識別番号ｎと、質問項目に関する第一表示情報の内容とを、一対とした形式にて、情報を管理する。
【００３８】
第一表示情報の内容は、質問識別情報、質問内容のテキスト情報、ボタンオブジェクト情報、表示領域座標情報、ボタンオブジェクト表示位置座標情報を有する。
【００３９】
データテーブル７１において、例えば、識別番号ｎ：「１」にて管理される第一表示情報の内容は、次の情報である。
【００４０】
質問識別情報は、「１」である。
【００４１】
質問内容のテキスト情報は、「〜〜〜〜〜」（文字情報）である。
【００４２】
ボタンオブジェクト情報は、「Ａ○  Ｂ○  Ｃ○  Ｄ○」（操作可能なオブジェクト情報、ここではラジオボタン）である。
【００４３】
表示領域座標情報は、「（Ｘ１，Ｙ１），（Ｘ１，Ｙ２），（Ｘ２，Ｙ２），（Ｘ２，Ｙ１）」である。この表示領域座標情報は、図１５に示されるように、質問項目がウェブページ中に配置される座標、例えば四角形の領域の四隅（左上、左下、右下、右上）の座標を示す情報である。
【００４４】
ボタンオブジェクト表示位置座標情報は、「（Ｘ１＋ＸＡ，Ｙｂ１），（Ｘ１＋ＸＢ，Ｙｂ１），（Ｘ２＋ＸＣ，Ｙｂ１），（Ｘ２＋ＸＤ，Ｙｂ１）」である。このボタンオブジェクト表示位置座標情報は、図１６に示されるように、横並びになっている４つのボタンの縦軸座標と、横軸座標を示す情報である。
【００４５】
次に、切出し画面生成アプリケーションが起動される（図１２、ステップＳ１０２）。この切出し画面生成アプリケーションは、図３に示される切出し画面生成部３３を構成する、切出し範囲決定３３１と、実行部３３２と、画面情報記憶部３３３とを一体として動作させるものである。なお、切出し画面生成アプリケーションは、ステップＳ１０２で自動的に起動されてもよいし、ユーザの操作により起動されてもよい。
【００４６】
次に、ユーザによりタッチパネル１０に対するタッチ操作がされると、操作対象検出部３１は、ディスプレイ２０に表示される表示情報のうち、タッチ操作された操作対象を検出する（ステップＳ１０３）。切出し範囲決定部３３１が、切出し範囲を選択するためのタッチ操作を検出すれば（ステップＳ１０４：Ｙｅｓ）、フローチャート（図１２）の処理はステップＳ１０５に進む。切出し範囲決定部３３１が、切出し範囲を選択するための操作を検出しなければ（ステップＳ１０４：Ｎｏ）、フローチャート（図１２）の処理はステップＳ１０３に戻る。
【００４７】
具体的には、ユーザによりタッチパネル１０がタッチ操作されると、タッチパネル１０がタッチ操作された座標の情報を含むタッチ操作信号は、タッチパネル１０から、切出し画面生成部３３の切出し範囲決定部３３１に送信される。切出し範囲決定部３３１は、タッチ操作信号に基づいて、第一レイヤの第一表示情報２１における切出し範囲２１２（図７）を決定する（ステップＳ１０５）。切出し範囲決定部３３１は、画面情報記憶部３３３に記憶される、第一レイヤの第一表示情報２１のデータテーブル７１を参照して、第一レイヤの第一表示情報２１における切出し範囲を決定する。即ち、切出し範囲決定部３３１は、ユーザによりタッチパネル１０がタッチ操作された座標の情報と、第一レイヤの第一表示情報２１のデータテーブル７１における、表示領域座標情報とを照合する。切出し範囲決定部３３１は、照合結果に基づいて、ユーザにより第一レイヤの第一表示情報２１のどの範囲が選択されたかを判定し、切出し範囲２１２を決定する。
【００４８】
ユーザによるタッチパネル１０へのタッチ操作において、切出し範囲を選択するためのタッチ操作の一例は、図７に示される。図７に示されるように、タッチ操作の一例は、例えば、ディスプレイ２０に表示される第一レイヤの第一表示情報２１のうち、切出す範囲の外周を、指８でなぞるようにタッチ操作するものである。図７においては、第一レイヤの第一表示情報２１のうち、「質問１」に係る「質問文」と「質問１」に回答するための「ボタン」が、タッチ操作により、切出し範囲２１２として選択されている。この場合、選択された切出し範囲２１２は、図１３に示された第一レイヤの第一表示情報２１のデータテーブル７１のうち、識別番号ｎ：「１」にて管理される第一表示情報の内容に該当する範囲である。なお、ユーザによる切出し範囲を選択するためのタッチ操作は、図８に示されるように、ディスプレイ２０に表示される第一レイヤの第一表示情報２１のうち、切出す範囲の上辺と下辺を、指８でなぞるようにタッチ操作するものでもよい。
【００４９】
次に、実行部３３２（図３）は、切出し範囲決定部３３１により決定された、第一レイヤの第一表示情報２１における切出し範囲２１２（図７）に基づいて、第二レイヤの第二表示情報２２を生成する（ステップＳ１０６）。具体的には、実行部３３２は、切出し範囲決定部３３１により決定された切出し範囲２１２に含まれる第一レイヤの第一表示情報２１の情報と、第一レイヤの第一表示情報２１における切出し範囲２１２の座標情報を、第二レイヤの第二表示情報２２として生成する。そして、実行部３３２は、生成した第二レイヤの第二表示情報２２を、画面情報記憶部３３３に記憶させる。ここで、切出し範囲２１２に含まれる第一レイヤの第一表示情報２１の情報とは、第一レイヤの第一表示情報２１がウェブページであれば、文字情報、画像情報、ハイパーリンク情報、ボタン等の操作可能なオブジェクト情報である。図１４は、画面情報記憶部３３３が、第二レイヤの第二表示情報２２を、データテーブルにて記憶する一例である。図１４のデータテーブル７２では、第二レイヤの第二表示情報２２の表示情報の内容が記憶される。この第二レイヤの第二表示情報２２の表示情報の内容は、図１３に示される、第一レイヤの第一表示情報２１のデータテーブル７１のうち、識別番号ｎ：「１」にて管理される第一表示情報の内容と同じ内容である。なお、以下の説明において、第一レイヤの第一表示情報２１のデータテーブル７１（図１３）と、第二レイヤの第二表示情報２２のデータテーブル７２（図１４）のように、各データテーブルにおいて、切出し画面と切出し元画面の関係にある情報は、同一の識別番号が割り振られて管理される。図２（ａ）、（ｂ）に示されるように、第二レイヤの第二の表示情報２２は、第一レイヤの第一表示情報２１の上に重ねて表示される。そのため、図１４のデータテーブル７２において、識別番号ｎ：「１」にて管理される、第二表示情報の内容である表示領域座標情報は、図１３のデータテーブル７１の識別番号ｎ：「１」にて管理される、第一表示情報の表示領域座標情報が補正される形式である。ここで、図１４における第二レイヤの第二表示情報２２の表示領域座標情報は、図１３の第一レイヤの第一表示情報２１の表示領域座標情報に、Ｘ軸の補正値（△ｘ）とＹ軸の補正値（△ｙ）を加えたものである。なお、Ｘ軸の補正値（△ｘ）とＹ軸の補正値（△ｙ）は、第二レイヤの第二表示情報２２が表示される表示領域座標と、第一レイヤの第一表示情報２１における切出し範囲２１２の表示領域座標との差分である。この差分は、表示領域座標における一点の座標を基準として求められる。基準となる座標の一例は、表示領域が四角形ならば左上角に対応する座標であり、Ｘ軸上の値が最も０に近くかつＹ軸上の値が最も０に近い値となる座標である。例えば、第一レイヤの第一表示情報２１における質問１が、切出し範囲２１２として選択されたならば、基準となる座標は（Ｘ１，Ｙ１）である（図１５を参照）。このとき、実行部３３２により生成される第二レイヤの第二表示情報２２における表示領域座標は、上述の基準となる座標である（Ｘ１，Ｙ１）に補正値が加えられた座標であり、（Ｘ１＋△ｘ，Ｙ１＋△ｙ）となる。また、第二レイヤの第二表示情報２２の表示領域の形状及び大きさは、第一レイヤの第一表示情報２１における切出し範囲２１２の形状及び大きさと同じとする。
【００５０】
上述のように、実行部３３２は、第一レイヤの第一表示情報２１における切出し範囲２１２に基づいて、第二レイヤの第二表示情報２２を生成する。そして、実行部３３２は、生成した第二レイヤの第二表示情報２２を画面情報記憶部３３３に記憶させる。
【００５１】
最後に、画面制御部３４（図１）は、図９に示されるように、第一レイヤの第一表示情報２１と、実行部３３２で生成された第二レイヤの第二表示情報２２を、第二レイヤの第二表示情報２２を、第一レイヤの第一表示情報２１の上に重ねた形式にてディスプレイ２０に表示させる（ステップＳ１０７）。具体的には、画面制御部３４は、実行部３３２にて、第二レイヤの第二表示情報２２の生成、及び記憶部３３３への記憶が行なわれると、第一レイヤの第一表示情報２１と、第二レイヤの第二表示情報２２とに基づいた画面制御信号を、ディスプレイ２０に送信する。画面制御信号は、第二レイヤの第二表示情報２２を、第一レイヤの第一表示情報２１の上に重ねた形式にて、表示情報をディスプレイ２０に表示させるための信号である。図９には、ユーザによるタッチパネル１０を用いて切出した、切出し範囲２１２（図７）の表示例が示される。図９では、切出し範囲２１２（図７）が、第二レイヤの第二表示情報２２として記載されている。第二レイヤの第二表示情報２２は、切出し範囲２１２として選択された「質問１」に係る「質問文」と、「質問１」に回答するための「ボタン」を有する。第二レイヤの第二表示情報２２は、第一レイヤの第一表示情報２１における「回答する際の注意事項」の一部の上に重ねた形式にて、表示される。
＜２−３．  切出し画面の移動、拡大、縮小＞
実行部３３２（図３）は、第二レイヤの第二表示情報２２（切出し画面）を、ユーザによりタッチパネル２０がタッチ操作されたことに基づいて、ディスプレイ１０の表示領域の範囲内で、表示位置を移動し、表示サイズを拡大、縮小する。
【００５２】
図１０は、第二レイヤの第二表示情報２２の表示位置がユーザにより移動される一例を示している。この一例は、次の処理手順により、表示位置が移動される。第二レイヤの第二表示情報２２は、ユーザの指８によるタッチ操作にて選択される。実行部３３２は、指８がタッチパネル２０から離反せずに移動されると、第二レイヤの第二表示情報２２の表示位置を、指８の移動に追従して移動させる。なお、第二レイヤの第二表示情報２２の表示位置の移動に伴い、図１４に示されたデータテーブル７２の表示領域座標情報は、移動後の座標位置となる（図示せず）。移動後の表示領域座標情報は、移動量に基づいて、△Ｘ、△Ｙが変更される。同様に、図１４に示されたデータテーブル７２のボタンオブジェクト表示位置座標情報も、移動後の座標位置となり（図示せず）。移動後のボタンオブジェクト表示位置座標情報は、移動量に基づいて△Ｘ、△Ｙが変更される。
【００５３】
また、図１１は、第二レイヤの第二表示情報２２の表示サイズがユーザにより拡大または縮小される一例を示している。この一例は、次の処理手順により、表示サイズが拡大または縮小される。第二表示情報２２の四角形の表示領域の対角線上の２点は、ユーザの指８によるタッチ操作にて選択される。実行部３３２は、選択された対角線上の２点もしくは１点において指８がタッチパネル２０から離反せずに移動されると、その移動量に基づいて、第二レイヤの第二表示情報２２の表示サイズを拡大または縮小する。なお、第二レイヤの第二表示情報２２の表示サイズの拡大または縮小に伴い、図１４に示されたデータテーブル７２の表示領域座標情報は、拡大または縮小された後の座標位置となる（図示せず）。拡大または縮小後の表示領域座標情報は、拡大率または縮小率に基づいて、△Ｘ、△Ｙが変更される。同様に、図１４に示されたデータテーブル７２のボタンオブジェクト表示位置座標情報も、拡大または縮小後の座標位置となり（図示せず）。拡大または縮小後のボタンオブジェクト表示位置座標情報は、拡大率または縮小率に基づいて△Ｘ、△Ｙが変更される。
【００５４】
第二レイヤの第二表示情報２２の表示位置の移動、及び表示サイズの拡大または縮小は、情報端末１の実行部３３２に、第二レイヤの第二表示情報２２を、画像情報として認識させ、処理させることで実現できる。
＜＜３．  各実施形態の詳細な説明＞＞
各実施形態に共通する情報端末及び情報制御装置の基本構成及び基本動作の説明は、上述の通りである。続いて、各実施形態について詳細に説明する。
＜３−１．  第１の実施形態＞
第１の実施形態による情報端末及び情報制御装置を、上述の図１〜図１６と、図１７〜図２３を用いて説明する。ここで、図１７は、第１の実施形態による情報端末の構成を示した説明図である。図１８は、第１の実施形態による情報端末における制御装置について、切出し画面操作部の詳細な構成を示した説明図である。図１９〜図２０は、第１の実施形態による情報端末における、情報端末の外観、情報端末のディスプレイの表示、及びユーザによる切出し画面操作の様子を模式的に示した説明図（その１〜その２）である。図２１〜図２２は、本発明の実施形態による、切出し画面生成に係る情報制御処理を行うためのデータテーブルを模式的に示した説明図（その３〜その４）である。図２３は、同実施形態による情報端末における、切出し画面操作に係る情報制御処理の動作を示したフローチャートである。第１の実施形態による情報端末及び情報制御装置は、上述した第二レイヤの第二表示情報２２（切出し画面）が、ユーザによりタッチパネル１０がタッチ操作されると、そのタッチ操作の結果を第一レイヤの第一表示情報２１（切出し元画面）に反映させるように構成される。
［３−１−１．  第１の実施携帯に係る情報端末の全体構成］
図１７に示されるように、第１の実施形態による情報端末１Ａは、タッチパネル１０と、ディスプレイ２０と、制御装置３０Ａを備える。タッチパネル１０、ディスプレイ２０は、それぞれ上述の情報端末１の基本構成（図１）によるタッチパネル１０、ディスプレイ２０と同様の構成とすることができる。
【００５５】
制御装置３０Ａは、操作対象検出部３１と、入力処理部３２と、切出し画面生成部３３と、画面制御部３４と、切出し画面操作部３５とを備える。操作対象検出部３１、入力処理部３２、切出し画面生成部３３、画面制御部３４は、それぞれ上述の情報端末１の基本構成（図１）による操作対象検出部３１、入力処理部３２、切出し画面生成部３３、画面制御部３４と同様の構成とすることができる。
【００５６】
更に、制御装置３０Ａは、通信部４０、記憶部５０（記憶媒体５１と、メモリ５２）と、制御部６０を備える。通信部４０、記憶部５０（記憶媒体５１と、メモリ５２）は、それぞれ情報端末１の基本構成（図１）による通信部４０、記憶部５０（記憶媒体５１と、メモリ５２）と同様の構成とすることができる。制御部６０は、情報端末１の基本構成（図１）による制御部６０と同様の機能を有する。制御部６０は、ユーザの指示により実行されるアプリケーション処理に関わる制御装置３０Ａの構成要素（例えば、操作対象検出部３１と、入力処理部３２と、切出し画面生成部３３と、画面制御部３４と、切出し画面操作部３５である）を総合的に制御する。
［３−１−２．  切出し画面操作部］
切出し画面操作部３５は、タッチパネル１０から受信したタッチ操作信号に基づいて、第二レイヤの第二表示情報２２を更新し、第二レイヤの第二表示情報２２の更新結果に基づいて、第一レイヤの第一表示情報２１を更新する。図１８に示されるように、切出し画面操作部３５は、第一更新部３５１と、第二更新部３５２とを備える。これらの各部は、具体的には、コンピュータによるプログラムの実行により実現される。後述の説明において、切出し画面操作部３５の動作を、図１７と図１８と図３を用いて説明する。
（３−１−２−１．  第一更新部）
第一更新部３５１は（図１８）、タッチパネル１０から受信したタッチ操作信号と、切出し画面生成部３３（図１８）により生成された第二レイヤの第二表示情報２２とに基づいて、第二レイヤの第二表示情報２２を更新する。
【００５７】
図９に示されるように、切出し画面生成部３３（図１７）により生成された第二レイヤの第二表示情報２２は、第一レイヤの第一表示情報２１の上に重ねた形式にて、ディスプレイ２０に表示される。ここで、図１９に示されるように、タッチパネル１０は、ユーザの指８によりタッチ操作されるものとする。このタッチ操作は、ディスプレイ２０に表示される、第二レイヤの第二表示情報２２のボタン２２１がタッチ操作されるものとする。第一更新部３５１（図１８）は、第二レイヤの第二表示情報２２のボタン２２１が、ユーザによりタッチ操作されたことに対応する処理を実行する。更に、第一更新部３５１は、画面情報記憶部３３３（図３）に記憶される第二レイヤの第二表示情報２２の情報に、ユーザによる操作に基づく処理結果を反映させる。第一更新部３５１は、処理結果が反映された第二レイヤの第二表示情報２２の情報を、画面情報記憶部３３３に上書きする形で記憶させる。これらの第一更新部３５１による処理により、第二レイヤの第二表示情報２２が、更新される。図１９において、第二レイヤ第二表示情報２２のボタン２２１は、未入力状態を示す白丸（○）から、入力状態を示す黒丸（●）へと更新される。この場合、画面情報記憶部３３３に記憶される、第二レイヤの第二表示情報２２の情報のうち、ユーザによりタッチ操作されたボタン２１１のオブジェクト情報が上書きされる。オブジェクト情報の上書きは、データテーブル７２（図１４）におけるオブジェクト情報が、データテーブル７２（図２１）のように上書きされる。データテーブル７２は、識別番号ｎ：「１」にて管理される第二表示情報の内容において、ボタンオブジェクト情報：Ｂの情報が、未入力状態を示す白丸（○）の情報から、入力状態を示す黒丸（●）の情報へと上書きされる。
（３−１−２−２．  第二更新部）
第二更新部３５２（図１８）は、第一更新部３５１（図１８）により更新された第二レイヤの第二表示情報２２と、画面情報記憶部３３３（図３）に記憶される第一レイヤの第一表示情報２１とに基づいて、第一レイヤの第一表示情報２１を更新する。
【００５８】
第二更新部３５２は、第一更新部３５１が、第二レイヤの第二表示情報２２を更新すると、次の処理を実行する。第二更新部３５２は、切出し範囲決定部３３１によって切出し範囲として決定された第一レイヤの第一表示情報２１の一範囲を、第一更新部３５１によって更新された第二レイヤの第二の表示情報２２に基づいて更新する。第二更新部３５２による処理は、第二レイヤの第二表示情報２２（切出し画面）の基である、第一レイヤの第一表示情報２１（切出し元画面）を、第一更新部３５１によって更新された第二レイヤの第二の表示情報２２に基づいて更新するものである。
【００５９】
第二更新部３５２の処理を、以下に具体例を挙げて説明する。図１９に示されるように、第二レイヤの第二表示情報２２は、ユーザによりタッチパネル１０（図１７）がタッチ操作されたことに基づいて、第一更新部３５１（図１８）によって更新されている。ここで、図２０において、第一レイヤの第一表示情報２１のうち、第二レイヤの第二表示情報２２の基である範囲（切出し範囲）に含まれるボタン２１１は、第二更新部３５２（図１８）により、更新される。第二更新部３５２は、第二レイヤの第二表示情報２２が第一更新部３５１により更新されたことに基づいて、第一レイヤの第一表示情報２１におけるボタン２１１を、未入力状態を示す白丸（○）から、入力状態を示す黒丸（●）の表示へと更新する。第二更新部３５２の処理において、図１３に示される、第一レイヤの第一表示情報２１の情報のデータテーブル７１は、図２２に示されるデータテーブル７１のように、ボタンオブジェクト情報が上書きされる。この処理は、第一更新部３５１により、図１４に示される第二レイヤの第二表示情報２２のデータテーブル７１が、図２１に示されるデータテーブルのように上書きされたことを受けて行われる。
【００６０】
即ち、図１３に示されるデータテーブル７１において、第二更新部３５２（図１８）は、識別番号ｎ：「１」で管理される第一表示情報の内容におけるボタンオブジェクト情報：「Ｂ」を、図２２に示されるように白丸（○）の情報から、黒丸（●）の情報に上書きする。第二更新部３５２によるボタンオブジェクト情報の更新は、図１４に示される識別番号ｎ：「１」で管理される第二表示情報の内容におけるボタンオブジェクト情報：「Ｂ」が、図２１に示されるように、入力状態を示す白丸（○）の情報から、入力状態を示す黒丸（●）の情報に上書きされたことを受けて行われる。
［３−１−３．  処理動作］
第１の実施形態による各処理部についての説明は、上述の通りである。続いて、第１の実施形態による処理動作について説明する。第１の実施形態による処理動作は、図１２に示されるフローチャートの処理（ステップＳ１０１〜ステップＳ１０７）が行なわれた後の処理動作である。なお、後述される第１の実施形態による処理動作は、本発明の情報制御装置を適用する情報端末１の用途の一例として、ウェブページを利用したアンケートを用途にして、説明する。
【００６１】
図２３は、第１の実施形態による情報端末における、切出し画面操作に係る情報制御処理の動作を示したフローチャートである。なお、図２３に示されるフローチャートにおける処理（ステップＳ２０１〜ステップＳ２０６）は、上述した通り、図１２に示されるフローチャートの処理（ステップＳ１０１〜ステップＳ１０７）が完了した後の処理である。即ち、図２３に示されるフローチャートの処理は、切出し画面生成部３３（図３）により第二レイヤの第二表示情報２２が生成され、第二レイヤの第二表示情報２２が、第一レイヤの第一表示情報２１の上に重ねた形式にて、ディスプレイ２０に表示されている（図９）うえで、行われる。
【００６２】
第１の実施形態による処理動作は、次の通りである。まず、ユーザによりタッチパネル１０（図１７）に対するタッチ操作が行なわれる（ステップＳ２０１）。操作対象検出部３１（図１７）は、タッチ操作に基づいたタッチ操作信号を、タッチパネル１０から受信する。そして、タッチパネル１０がタッチ操作された位置の座標情報と、ディスプレイ２０における表示情報の表示位置の情報とを照合する。ここで、ディスプレイ２０における表示情報の表示位置の情報は、画面情報記憶部３３３（図１７）に記憶され、上述の図１３及び図１４に示されるデータテーブルにて管理される。表示情報の表示位置の情報は、データテーブルにおいて、識別番号ｎで管理される第一表示情報の内容における表示領域座標情報（図１３）、及び識別番号ｎで管理される第二表示情報の内容における表示領域座標情報（図１４）である。操作対象検出部３１は、タッチパネル１０がタッチ操作された位置の座標情報と、ディスプレイ２０における表示情報の表示位置の情報とを照合することにより、ユーザによるタッチパネル１０へのタッチ操作が、第一レイヤの第一表示情報２１（図９）に対するタッチ操作であるのか、第二レイヤの第二表示情報２２（図９）に対するタッチ操作であるのかを検出する（ステップＳ２０２）。なお、以下の場合、第二レイヤの第二表示情報２２が、優先して操作対象と検出される。即ち、ユーザによりタッチパネル１０がタッチ操作された位置の座標と、第一レイヤの第一表示情報２１の表示座標とが重複し、かつ、ユーザによりタッチパネル１０がタッチ操作された位置の座標と、第二レイヤの第二表示情報２２の表示座標とが重複する場合である。
【００６３】
第一更新部３５１（図１８）は、ユーザによるタッチパネル１０へのタッチ操作が、第二レイヤの第二表示情報２２に対する操作後に検出された場合（ステップＳ２０３：Ｙｅｓ）、フローチャート（図２３）の処理はステップＳ２０４に進む。ステップＳ２０４において、第一更新部３５１は、ユーザによるタッチパネル１０へのタッチ操作に基づくタッチ操作信号を受信し、タッチ操作信号と、画面情報記憶部３３３に記憶される第二レイヤの第二表示情報２２の情報とに基づいて、第二レイヤの第二表示情報２２を更新する。なお、ユーザによるタッチパネル１０へのタッチ操作が、第二レイヤの第二表示情報２２に対する操作ではないと検出された場合（ステップＳ２０３：Ｎｏ）、第一更新部３５１による処理は行われず、フローチャート（図２３）の処理は、ステップＳ２０１に戻る。
【００６４】
第一更新部３５１（図１８）が、第二レイヤの第二表示情報２２を更新する処理（ステップＳ２０４）について、より詳細な説明は次の通りである。画面情報記憶部３３３（図３）記憶される第二レイヤの第二表示情報２２は、図１４に示されるデータテーブル７２において、識別番号ｎ：「１」にて管理される情報である。識別番号ｎ：「１」にて管理される第二表示情報の内容において、第一更新部３５１により更新される前のボタンオブジェクト情報は、「Ｂ」が白丸（○）の状態である。
【００６５】
更新された第二レイヤの第二表示情報２２は、図２１に示されるデータテーブル７２において、識別番号ｎ：「１」にて管理される情報である。識別番号ｎ：「１」にて管理される第二表示情報の内容において、ボタンオブジェクト情報は、第一更新部３５１（図１８）により、「Ｂ」が未入力状態を示す白丸（○）の情報から、入力状態を示す黒丸（●）の情報へと上書きされ、更新される（ステップＳ２０４）。
【００６６】
次に、第二更新部３５２（図１８）は、第一更新部３５１（図１８）により第二レイヤの第二表示情報２２が更新されると、第一レイヤの第一表示情報２１を更新する（ステップＳ２０５）。第二更新部３５２は、更新された第二レイヤの第二表示情報２２と、第一レイヤの第一表示情報２１とに基づいて、第一レイヤの第一表示情報２１を更新する。
【００６７】
第二更新部３５２（図１８）が、第一レイヤの第一表示情報２１を更新する処理（ステップＳ２０５）について、より詳細な説明は次の通りである。第一更新部３５１（図１８）により更新された第二レイヤの第二表示情報２２は、図２１に示されるデータテーブル７２において、識別番号ｎ：「１」にて管理される情報である。識別番号ｎ：「１」にて管理される第二表示情報の内容において、第二更新部３５２による第一レイヤの第一表示情報２１の更新のために参照される情報は、ボタンオブジェクト情報の「Ｂ」である。
【００６８】
第二更新部３５２（図１８）により更新される第一レイヤの第一表示情報２１は、図１３に示されるデータテーブル７１において、識別番号ｎ：「１」にて管理される情報である。第二更新部３５２は、識別番号ｎ：「１」にて管理される第一表示情報の内容において、ボタンオブジェクト情報「Ｂ」を更新する。
【００６９】
第二更新部３５２（図１８）により更新された第一レイヤの第一表示情報２１は、図２２に示されるデータテーブル７１において、識別番号ｎ：「１」にて管理される情報である。第二更新部３５２は、識別番号ｎ：「１」にて管理される第一表示情報の内容において、ボタンオブジェクト情報の「Ｂ」を、未入力状態を示す白丸（○）の情報から、入力状態を示す黒丸（●）の情報へと更新する（ステップＳ２０５）。
【００７０】
次に、画面制御部３４（図１７）は、第一更新部３５１（図１８）により更新された第二レイヤの第二表示情報２２と、第二更新部３５２（図１８）により更新された第一レイヤの第一表示情報２１とに基づく画面制御信号を、ディスプレイ２０（図１７）に送信する。
【００７１】
ここで、第一更新部３５１（図１８）により更新された第二レイヤの第二表示情報２２は、図２１に示されるデータテーブル７２において、識別番号ｎ：「１」にて管理される情報に基づく表示情報である。
【００７２】
また、第二更新部３５２（図１８）により更新された第一レイヤの第一表示情報２１は、図２２に示されるデータテーブル７１において、識別番号ｎ：「１」を含む、各識別番号ｎにて管理される情報に基づく表示情報である。この表示情報は、ディスプレイ２０の表示領域に含まれる表示情報である。
【００７３】
最後に、ディスプレイ２０（図１７）は、画面制御部３４（図１７）にて生成された画面制御信号に基づいて、更新された第二レイヤの第二表示情報２２を、更新された第一レイヤの第一表示情報２１の上に重ねた形式にて表示する（ステップＳ２０６）。
【００７４】
第１の実施形態による処理動作は、上述の通りである。なお、上述の説明において、第一レイヤの第一表示情報２１及び第二レイヤの第二表示情報２２の「更新」とは、画面情報記憶部３３３（図３）に記憶される第一レイヤの第一表示情報２１及び第二レイヤの第二表示情報２２の情報を変更し、ディスプレイ２０（図１７）における第一レイヤの第一表示情報２１及び第二レイヤの第二表示情報２２の表示を変更する処理を指す。画面情報記憶部３３３に記憶される情報の変更と、ディスプレイ２０における表示の変更は、第一レイヤの第一表示情報２１及び第二レイヤの第二表示情報２２に対する、タッチパネル１０によるタッチ操作に基づいて実行される。
【００７５】
例えば、第一レイヤの第一表示情報２１及び第二レイヤの第二表示情報２２について、画面情報記憶部３３３（図３）に記憶されるボタンオブジェクト情報の、全てボタン（ここではラジオボタン）が未入力状態である状態とする。ここで、未入力状態である状態は、「Ａ○  Ｂ○  Ｃ○  Ｄ○」とする。これらボタンの状態から、ユーザによるタッチパネル１０へのタッチ操作に基づいて、いずれか一つのボタンが入力状態に変更される処理は、第一レイヤの第一表示情報２１及び第二レイヤの第二表示情報２２の「更新」に該当する。ここで、いずれか一つのボタンが入力状態に変更される処理は例えば、ボタンＡが入力状態に変更され、「Ａ●  Ｂ○  Ｃ○  Ｄ○」とする処理である。
【００７６】
また、例えば、第一レイヤの第一表示情報２１及び第二レイヤの第二表示情報２２について、画面情報記憶部３３３（図３）に記憶されるボタンオブジェクト情報のボタン（ここではラジオボタン）のいずれか一つが入力状態であるとする。ここで、いずれか一つが入力状態であるとは、例えば、ボタンＡが入力状態「Ａ●  Ｂ○  Ｃ○  Ｄ○」とする。この状態から、ユーザによるタッチパネル１０へのタッチ操作に基づいて、入力状態のボタンが変更される処理は、第一レイヤの第一表示情報２１及び第二レイヤの第二表示情報２２の「更新」に該当する。ここで、入力状態のボタンが変更される処理は、例えば、ボタンＡが未入力状態に変更されるとともに、ボタンＢが入力状態に変更され、「Ａ○  Ｂ●  Ｃ○  Ｄ○」とする処理である。
【００７７】
なお、上述の第１の実施形態の説明、及びこれ以降に説明する第２、第３の実施形態においても、ユーザによるタッチパネル１０へのタッチ操作により操作される、操作可能なオブジェクトは「ラジオボタン」であるものとする。
【００７８】
また、上述の第１の実施形態の説明、及びこれ以降に説明する第２、第３の実施形態において、ユーザによるタッチパネル１０へのタッチ操作により操作される、操作可能なオブジェクトは「チェックボックス」や「テキスト入力フォーム」でも良い。操作可能なオブジェクトが「チェックボックス」や「テキスト入力フォーム」の場合でも、第一レイヤの第一表示情報２１及び第二レイヤの第二表示情報２２の「更新」の定義は、上述される説明と同様である。
［３−１−４．  第１の実施形態による効果］
以上、説明したように、第１の実施形態による情報端末１Ａ及び制御装置３０Ａは、ユーザによるタッチパネル１０へのタッチ操作に基づいて切出された、第二レイヤの第二表示情報２２に対してタッチ操作が行なわれると、タッチ操作に基づいて第二レイヤの第二表示情報２２を更新する。そして、情報端末１Ａ及び制御装置３０Ａは、第二レイヤの第二表示情報２２の更新に基づいて、第一レイヤの第一表示情報２１を更新する。従って、ユーザは、情報端末１Ａを用いてウェブページを利用したアンケートへの回答を行なう際、次のことが可能となる。即ち、ユーザは、回答を一時保留したい項目を選択して切出し画面（第二レイヤの第二表示情報２２）として切出しておく。そして、ユーザは、保留した項目への回答として、切出し画面（第二レイヤの第二表示情報２２）を操作する。これにより、ユーザは、切出し元画面（第一レイヤの第一表示情報２１）を操作して回答したのと、同じ操作を実行することが可能となる。
＜３−２．  第２の実施形態＞
第２の実施形態による情報端末及び情報制御装置を、上述の図１〜図２３と、図２４〜図４６を用いて説明する。ここで、図２４は、第２の実施形態による情報端末の構成を示した説明図である。図２５は、第２の実施形態による情報端末における、連動通知情報の生成及び表示の様子を模式的に示した説明図である。図２６は、第２の実施形態による情報端末における、連動通知情報の生成及び表示に係る情報制御処理の動作を示したフローチャートである。図２７〜図２８は、第２の実施形態による情報端末における、連動通知情報の生成及び表示に係る情報制御処理を行うためのデータテーブルを模式的に示した説明図（その１〜その２）である。図２９は、第２の実施形態による情報端末における、連動通知情報の生成及び表示の変形例について、情報制御処理の動作を示したフローチャートである。図３０〜図３１は、第２の実施形態による情報端末における、更新通知情報の生成及び表示の様子を模式的に示した説明図（その１〜その２）である。図３２は、第２の実施形態による情報端末における、更新通知情報の生成及び表示に係る情報制御処理の動作を示したフローチャートである。図３３は、第２の実施形態による情報端末における、更新通知情報の生成及び表示に係る情報制御処理に含まれる判定処理について、判定処理を行うための表示情報における座標設定を模式的に示した説明図である。図３４〜図３５は、第２の実施形態による情報端末における、操作通知情報の生成及び表示の様子を模式的に示した説明図（その１〜その２）である。図３６は、第２の実施形態による情報端末における、操作通知情報の生成及び表示に係る情報制御処理の動作を示したフローチャートである。図３７〜図４０は、第２の実施形態による情報端末における、操作通知情報の生成及び表示に係る情報制御処理を行うためのデータテーブルを模式的に示した説明図（その１〜その４）である。図４１〜図４２は、第２の実施形態による情報端末における、操作通知情報の生成及び表示の変形例について、操作通知情報の生成及び表示の様子を模式的に示した説明図（その１〜その２）である。図４３〜図４６は、第２の実施形態による情報端末における、操作通知情報の生成及び表示の変形例について、情報制御処理を行うためのデータテーブルを模式的に示した説明図（その１〜その４）である。第２の実施形態による情報端末及び情報制御装置は、第１の実施形態による情報端末及び情報制御装置と同様に、切出し画面が、ウェブページを利用したアンケートに適用される。また、第２の実施形態による情報端末及び情報制御装置は、第１の実施形態による情報端末及び情報制御装置に、ユーザが切出し画面を利用し易くするための構成が追加される。第２の実施形態による情報端末及び情報制御装置は、ユーザによる切出し画面の利用に係る通知情報を、切出し画面の生成及び操作と連携してディスプレイ２０に表示させる。
［３−２−１．  第２の実施形態に係る情報端末の全体構成］
図２４に示されるように、第２の実施形態による情報端末１Ｂは、タッチパネル１０と、ディスプレイ２０と、制御装置３０Ｂを備える。タッチパネル１０、ディスプレイ２０は、それぞれ情報端末１Ａの基本構成（図１７）によるタッチパネル１０、ディスプレイ２０と同様の構成とすることができる。
【００７９】
制御装置３０Ｂは、操作対象検出部３１と、入力処理部３２と、切出し画面生成部３３と、画面制御部３４と、切出し画面操作部３５と、通知情報生成部３６を備える。操作対象検出部３１、入力処理部３２、切出し画面生成部３３、画面制御部３４、切出し画面操作部３５は、それぞれ情報端末１Ａの基本構成（図１７）による操作対象検出部３１、入力処理部３２、切出し画面生成部３３、画面制御部３４、切出し画面操作部３５と同様の構成とすることができる。
【００８０】
更に、制御装置３０Ｂは、通信部４０、記憶部５０（記憶媒体５１と、メモリ５２）と、制御部６０を備える。通信部４０、記憶部５０（記憶媒体５１と、メモリ５２）は、それぞれ情報端末１Ａの基本構成（図１７）による通信部４０、記憶部５０（記憶媒体５１と、メモリ５２）と同様の構成とすることができる。制御部６０は、情報端末１Ａの基本構成（図１７）による制御部６０と同様の機能を有する。制御装置６０は、ユーザの指示により実行されるアプリケーション処理に関わる制御装置３０Ａの構成要素を総合的に制御する。アプリケーション処理に関わる制御装置３０Ａの構成要素は、例えば、操作対象検出部３１と、入力処理部３２と、切出し画面生成部３３と、画面制御部３４と、切出し画面操作部３５と、通知情報生成部３６である。
［３−２−２．  通知情報生成部］
通知情報生成部３６は、タッチパネル１０から受信したタッチ操作信号に基づいて、制御装置３０Ｂを構成する各処理部が行う処理により、ディスプレイ２０に表示される通知情報を生成する。例えば、通知情報生成部３６は、操作対象検出部３１から受信した検出結果に基づいて、通知情報を生成する。ここで、検出結果は、ディスプレイ２０に表示される表示情報のうち、ユーザによりタッチ操作が行われた操作対象である表示情報を示す。なお、通知情報は、画面制御部３４からディスプレイ２０に送信される画面制御信号に基づいて、ディスプレイ２０に表示される。通知情報生成部３６は、具体的には、コンピュータによるプログラムの実行により実現される。
【００８１】
以下、第２の実施形態の処理動作の説明では、通知情報生成部３６が種々の通知情報を生成する処理動作について、通知情報生成部３６と、タッチパネル１０から受信したタッチ操作信号、及び制御装置３０Ｂを構成する各構成部との連携を説明する。
［３−２−３．  連動通知情報］
（３−２−３−１．  連動通知情報の目的）
ウェブページを利用したアンケート（以下、単に「アンケート」等と言う）では、アンケート項目への回答が、複数の項目にわたって連動している場合がある。例えば「『質問２』に回答しないと『質問３』に回答できない」等、複数の項目を連動させて、回答順序に制限を設ける等の態様がある。
【００８２】
このようにウェブページを利用したアンケートにおいて、通知情報生成部３６は、切出し画面として生成したアンケート項目において、他のアンケート項目と連動していることを通知するための連動通知情報を生成する。通知情報生成部３６は、ディスプレイ２０に、連動通知情報を含む画面制御信号を送信する。ディスプレイ２０は、画面制御信号に基づいて、連動通知情報を表示する。
【００８３】
ウェブページを利用したアンケートにおいて、連動通知情報の表示は有用である。例えば、連動通知情報は、アンケートの回答順序において、「『質問２』に回答しないと『質問３』に回答できない」という制限を示す表示情報である。このとき、ユーザにより「質問２」と「質問３」の連動が認識されず、「質問２」が回答保留にするために切出されると、ユーザは「質問２」を回答していないために「質問３」が回答できず、混乱するからである。
（３−２−３−２．  記憶部）
第２の実施形態における構成について、制御装置３０Ｂにおける切出し画面生成部３３は、画面情報記憶部３３３（図３）を有する。画面情報記憶部３３３は、第１の実施形態における画面情報記憶部３３３と同様の構成とすることができる。第２の実施形態において、画面情報記憶部３３３に記憶される、第一情報の内容は、次の通りである。第一表示情報の内容は、連動情報が付加されている。連動情報は、第一表示情報がデータテーブルにて管理されるうえで、各識別番号ｎにて管理される第一表示情報が、他の識別番号ｎにて管理される第一表示情報と連動するか否かを示す。
【００８４】
第２の実施形態における、第一表示情報の内容は、図２７に一例が示される。例えば、図２７に示されるデータテーブル７３において、識別番号ｎ：「２」にて管理される第一表示情報の連動情報は、次の情報である。
【００８５】
連動情報における連動グループ情報は、「グループ１」である。
【００８６】
連動情報における連動対象情報は、識別番号ｎ：「３」である。
【００８７】
連動情報における入力順序情報は、識別番号ｎが「２→３」の順である。
【００８８】
連動情報における入力順序正誤判定用参照先情報は、「なし」である。
【００８９】
また、例えば、図２７にて示されるデータテーブル７３において、識別番号ｎ：「３」にて管理される第一表示情報の連動情報は、次の情報である。
【００９０】
連動情報における連動グループ情報は、「グループ１」である。
【００９１】
連動情報における連動対象情報は、識別番号ｎ：「２」である。
【００９２】
連動情報における入力順序情報は、識別番号ｎが「２→３」の順である。
【００９３】
連動情報における入力順序正誤判定用参照先情報は、「２」である。
【００９４】
以上のように、図２７に示されるデータテーブル７３において、識別番号ｎ：「２」と識別番号ｎ：「３」とで管理される第一表示情報の連動情報の意味は、次の通りである。
【００９５】
識別番号ｎ：「２」と識別番号ｎ：「３」とで管理される第一表示情報の連動グループ情報は、共に「グループ１」である。第一表示情報の連動グループ情報が「グループ１」であることは、識別番号ｎ：「２」と識別番号ｎ：「３」で管理される第一表示情報が連動していることを意味する。
【００９６】
第一表示情報の連動グループ情報が設定されているとき、識別番号ｎ：「２」と識別番号ｎ：「３」とで管理される第一表示情報は、入力順序が定められている。入力順序は、識別番号ｎ：「２」で管理される第一表示情報への入力の後に、識別番号ｎ：「３」で管理される第一表示情報へ入力する順序である。
【００９７】
図２７に示されるデータテーブル７３において、連動情報は、第一レイヤの第一表示情報２１の情報と合わせて、画面情報記憶部３３３（図３）に記憶される。図２７のデータテーブルに記憶される連動情報に基づいて、連動通知情報が生成される。連動通知情報が、ディスプレイ２０（図２７）に表示されることにより、ユーザが切出し画面として生成したアンケート項目が、他のアンケート項目と連動していることが、ユーザに通知される。
（３−２−３−３．  処理動作）
第２の実施形態において、情報端末１Ｂが連動通知情報をディスプレイ２０に表示させる、一連の動作を、以下のように説明する。以下においては、図２６に示されるフローチャートと、図２４、及び図３、図１８に示される構成図を用いて説明する。
【００９８】
図２６は、第２の実施形態による情報端末における、連動通知情報の生成及び表示に係る情報制御処理の動作を示したフローチャートである。なお、図２６に示されるフローチャートにおける処理のうち、ステップＳ３０１からステップＳ３０７までは、図１２に示されるフローチャートにおける処理のうち、ステップＳ１０１からステップＳ１０７までと共通である。以下の説明において、図１２に示されるフローチャートと共通するステップの説明は省略される。
【００９９】
第２の実施形態により処理動作は、次の通りである。以下の第２の実施形態による処理動作は、ステップＳ３０１からステップＳ３０７までの処理動作が完了した後について記載される。まず、情報端末１Ｂのディスプレイ２０（図２４）に、第二レイヤの第二表示情報２２（図２５）が表示される（ステップＳ３０７）。すると、通知情報生成部３６（図２４）は、第一レイヤの第一表示情報２１（図２５）における切出し範囲が、第一レイヤの第一表示情報２１における切出し範囲以外の表示情報と、連動するかを判定する（ステップＳ３０８）。なお、通知情報生成部は、操作対象検出部３１（図２４）から受信したステップＳ３０３の検出結果（タッチ操作が行われた表示情報を示す検出結果）に基づいて、連動について判定する。第一レイヤの第一表示情報２１における切出し範囲は、第二レイヤの第二表示情報２２の基となる情報である。
【０１００】
具体的には、通知情報生成部３６は、画面情報記憶部３３３（図３）に記憶される、第二レイヤの第二表示情報２２のデータテーブルと、第一レイヤの第一表示情報２１のデータテーブルとを参照して、表示情報の連動を判定する。
【０１０１】
通知情報生成部３６（図２４）は、第二レイヤの第二表示情報２２のデータテーブルを参照することにより、次の処理を実行する。例えば、ステップＳ３０７により、「質問２」に係る「質問文」と「ボタン」が、第二レイヤの第二表示情報２２（図２５）として生成され、ディスプレイ２０（図２４）に表示されている場合、通知情報生成部３６は、「質問２」に係る「質問文」と「ボタン」と一対に管理される識別番号ｎ：「２」を取得する。
【０１０２】
通知情報生成部３６（図２４）は、データテーブル７４（図２８）から取得した識別番号ｎに基づいて、第一レイヤの第一表示情報２１のデータテーブル７３（図２７）を参照し、第二レイヤの第二表示情報２２の基となる表示情報を特定する。データテーブル７３（図２７）は、第一レイヤの第一表示情報２１の表示内容が記憶されており、識別番号ｎが割り振られている。通知情報生成部３６は、データテーブル７４から取得した識別番号ｎ：「２」に基づいて、データテーブル７３を参照する。通知情報生成部３６は、データテーブル７３において、識別番号ｎ：「２」にて管理される情報を、第二レイヤの第二表示情報２２の基となる表示情報として特定する。この特定は、図２５において、第二レイヤの第二表示情報２２の基となる表示情報が、第一レイヤの第一表示情報２１における、切出し範囲２１３の表示情報であることを意味する。
【０１０３】
次に、通知情報生成部３６（図２４）は、表示情報の連動における判定について、次の処理を実行する。通知情報生成部３６は、第二レイヤの第二表示情報２２（図２５）の基となる表示情報が、他の表示情報と連動するか否かを判定する（ステップＳ３０８）。具体的には、通知情報生成部３６は、データテーブル７３（図２７）における識別番号ｎ：「２」にて管理される情報が、データテーブル７３における他の識別番号で管理される情報と、連動するか否かを判定する。連動の有無は、各データテーブル（図２７、図２８）の各識別番号ｎで管理される情報のうち、上述される連動情報を参照することで、判定される。フローチャート（図２６）において、ステップＳ３０８の判定が「Ｙｅｓ」であれば、処理はステップＳ３０９へ進む。
【０１０４】
ここでは、通知情報生成部３６（図２４）は、データテーブル７３（図２７）における識別番号ｎ：「２」で管理される連動情報のうち、連動グループ情報を参照する。通知情報生成部３６は、データテーブル７３における識別番号ｎ：「２」で管理される第一表示情報は、識別番号ｎ：「３」で管理される情報と連動していると判定する（ステップＳ３０８：Ｙｅｓ）。なぜなら、識別番号ｎ：「２」で管理される第一表示情報の連動グループ情報と、識別番号ｎ：「３」で管理される情報の連動グループ情報は、共に「グループ１」であるからである。
【０１０５】
連動グループ情報が共に「グループ１」であることは、第一レイヤの第一表示情報２１における切出し範囲２１３（図２５）が、第一レイヤの第一表示情報２１における、表示情報２１４（図２５）と連動していることを意味する。
【０１０６】
次に、通知情報生成部３６（図２４）は、連動通知情報を生成する（ステップＳ３０９）。連動通知情報２４（図２５）は、第一レイヤの第一表示情報２１における切出し範囲の表示情報２１３（図２５）が、切出し範囲２１３以外の表示情報である、表示情報２１４（図２５）と連動することを通知する。なお連動通知情報２４における通知内容は、連動の態様を通知するものとし、ここでは入力順序とする。
【０１０７】
通知情報生成部３６（図２４）は、データテーブル７３（図２７）における連動情報のうち、入力順序情報を参照して、連動通知情報２４（図２５）を生成する。例えば、データテーブル７３における連動情報のうち、識別番号ｎ：「２」と識別番号ｎ：「３」で管理される第一表示情報の入力順序情報は、共に「２→３」である。第一表示情報の入力順序情報が「２→３」であることは、入力順序が、識別番号ｎ：「２」で管理される質問識別情報「２」へ入力された後、識別番号ｎ：「３」で管理される質問識別情報「３」への入力される順序であることを意味する。従って、通知情報生成部３６は、「質問２が未回答だと質問３は回答できません」（図２５）等といった表示情報である、連動通知情報２４を生成する。
【０１０８】
最後に、ディスプレイ２０（図２４）は、画面制御部３４（図２４）にて生成された画面制御信号に基づいて、連動通知情報２４（図２５）を表示する（ステップＳ３１０）。なお、画面制御信号は、通知情報生成部３６（図２４）が生成した連動通知情報２４を含む。また、ディスプレイ２０における連動通知情報２４の表示位置は、任意の位置とすることができる。
【０１０９】
なお、連動通知情報２４の表示は、ディスプレイ２０に表示された後、所定の時間が経過した後に、自動的に表示が終了されてもよい。また、連動通知情報２４の表示は、ユーザによる所定の操作により終了されてもよい。
【０１１０】
なお、図２６に示されるフローチャートにおいて、ステップＳ３０８の判定が「Ｎｏ」の場合、ステップＳ３０９及びステップＳ３１０の処理は省略される。ステップＳ３０８の判定が「Ｎｏ」の場合とは、第一レイヤの第一表示情報２１における切出し範囲の表示情報２１３（図２５）が、切出し範囲以外の表示情報２１４（図２５）と連動しないと判定された場合である。ステップＳ３０８の判定が「Ｎｏ」の場合、情報端末１Ｂのディスプレイ２０（図２４）において、連動通知情報２４（図２５）は表示されない。ディスプレイ２０における表示は、第１の実施形態と同様に、第二レイヤの第二表示情報２２が、第一レイヤの第一表示情報２１の上に重ねられた形式にて表示される。
【０１１１】
通知情報生成部３６（図２４）は、連動通知情報２４（図２５）を生成する動作に加え、次の処理を実行しても良い。上述のように、第二レイヤの第二表示情報２２（図２５）の基である、第一レイヤの第一表示情報２１（図２５）の表示情報が、第一表示情報の他の表示情報と連動するものとする。このとき、通知情報生成部３６は、ユーザによる第一レイヤの第一表示情報２１、または第二レイヤの第二表示情報２２へのタッチ操作の順序（回答順序）の正誤を判定する。通知情報生成部３６は、順序の正誤を判定し、順序が予め定められる順序でない場合に、連動通知情報２４を生成する。
【０１１２】
この場合、連動通知情報２４（図２５）は、図２９に示されるフローチャートの処理に従って、生成される。説明においては、図２９のフローチャートと、図２４、及び図３、図１８の構成図を用いて説明する。
【０１１３】
まず、操作対象検出部３１（図２４）は、ユーザによりタッチパネル１０（図２４）へタッチ操作が行なわれると、タッチ操作が行われた表示情報を検出する（ステップＳ４０１）。
【０１１４】
次に、通知情報生成部３６（図２５）は、操作対象検出部３１（図２４）から検出結果（タッチ操作が行われた表示情報を示す検出結果）を受信する。通知情報生成部３６は、タッチ操作が行われた表示情報の、データテーブルにおける識別番号を取得する（ステップＳ４０２）。識別番号の取得は、上述された図２６に示されるフローチャートにおけるステップＳ３０８の動作（上述の段落０１３１）と同様である。例えば、ユーザにより、第一レイヤの第一表示情報２１における「質問３」（図２５中の表示情報２１４に相当）に対してボタンへ入力するためのタッチ操作が行なわれたとする。このとき、通知情報生成部３６は、図２７に示されるデータテーブル７３を参照して、識別番号ｎ：「３」を取得する。なお、データテーブル７３によれば、第一レイヤの第一表示情報２１における「質問３」は、連動情報のうち入力順序情報が「２→３」である。入力順序情報が「２→３」であることは、図２５において「質問２」に対してタッチ操作が行なわれた後に、「質問３」へ入力される順序であることを意味する。
【０１１５】
次に、通知情報生成部３６（図２４）は、取得した識別番号にて管理される連動情報について、入力順序正誤判定用参照先情報が設定されているか否かを判定する（ステップＳ４０３）。ここで、図２７に示されるデータテーブル７３によれば、識別番号ｎ：「３」にて管理される連動情報のうち、入力順序正誤判定用参照先情報には、識別番号ｎ：「２」が設定されている。従って、図２９に示されるフローチャートにおける、ステップＳ４０３の判定は「Ｙｅｓ」である。この場合、フローチャートにおける処理は、ステップＳ４０４へ進む。
【０１１６】
次に、通知情報生成部３６（図２４）は、ステップＳ４０３にて判定した入力順序正誤判定用参照先情報として設定される識別番号を取得する。通知情報生成部３６は、その識別番号にて管理される表示情報の、ボタンオブジェクト情報を参照し、ボタンオブジェクト情報が入力済みの状態であるかを判定する（ステップＳ４０４）。ここで、図２７のデータテーブル７３によれば、識別番号ｎ：「３」にて管理される連動情報のうち、入力順序正誤判定用参照先情報に設定されている識別番号ｎは、ｎ：「２」である。そして、その識別番号ｎ：「２」にて管理される表示情報のボタンオブジェクト情報は、いずれのボタンも未入力状態を示す白丸（○）である。従って、ステップＳ４０４における判定は「Ｎｏ」である。
【０１１７】
通知情報生成部３６は（図２５）、ステップＳ４０４の判定が「Ｎｏ」である場合、連動通知情報を生成する（ステップＳ４０５）。通知情報生成部３６は、図２７に示されるデータテーブルにおいて、表示情報の識別番号にて管理される連動情報のうち、入力順序情報を参照して、連動通知情報を生成する。なお、ここでの表示情報は、ユーザによるタッチ操作の対象である表示情報である。ここで、図２７に示されるデータテーブル７３によれば、識別番号ｎ：「３」にて管理される連動情報のうち、入力順序情報は「２→３」である。入力順序情報が「２→３」であることは、図２５において「質問２」に対してタッチ操作が行なわれた後に、「質問３」へ入力される順序であることを意味する。通知情報生成部３６により生成される連動通知情報は、図２５に示される連動通知情報２４と同じである。
【０１１８】
なお、図２９に示されるフローチャートにおいて、ステップＳ４０３の判定が「Ｎｏ」である場合、タッチ操作された表示情報について、通常の入力処理が行なわれる（ステップＳ４０４―２）。ステップＳ４０４―２において、入力処理部３２（図２４）は、第一レイヤの第一表示情報２１（図２５）における操作可能なオブジェクト（ここではラジオボタン）へのタッチ操作に基づく入力処理を実行する。この入力処理は、上述の［１−３−２．  入力処理部］において説明した入力処理と同様である。
【０１１９】
また、図２９に示されるフローチャートにおいて、ステップＳ４０４の判定が「Ｙｅｓ」の場合、予め定められた入力順序に沿って表示情報へ入力されていることを意味する。従って、フローチャートの処理はステップＳ４５０−２へ進み、入力対象への通常の入力処理が行なわれる（ステップＳ４０５―２）。ステップＳ４０５―２において、入力処理部３２（図２４）は、第一レイヤの第一表示情報２１（図２５）における操作可能なオブジェクト（ここではラジオボタン）へのタッチ操作に基づく入力処理を実行する。この入力処理は、上述の［１−３−２．  入力処理部］において説明した入力処理と同様である。
【０１２０】
また、図２９に示されるフローチャートにおいて、ステップＳ４０１にて検出された、タッチ操作された表示情報が、第二レイヤの第二表示情報２２であった場合、フローチャートの処理はステップＳ４０２に進む。ステップＳ４０２の処理において、通知情報生成部３６は、データテーブル７４（図２８）を参照して識別番号を取得し、取得した識別番号に基づいてデータテーブル７３（図２７）を参照する。ステップＳ４０３以降の処理は、タッチ操作された表示情報が、第一レイヤの第一表示情報２１であった場合と同様に行なわれる。
【０１２１】
以上、説明したように、通知情報生成部３６は、切出し画面（第二レイヤの第二表示情報）の基となる、第一レイヤの第一表示情報における切出し範囲に含まれる表示情報が、他の表示情報と連動する場合に、連動を通知する連動通知情報を生成する。上述される通知情報生成部３６の処理動作により、ユーザは、ウェブページを利用したアンケートにおいて、連動する項目を切出すことにより混乱することなく、アンケートへ回答することが可能となる。
［３−２−４．  更新通知情報］
（３−２−４−１．  更新通知情報の目的）
第１の実施形態に示される情報端末１Ａ（図１７）において、第一更新部３５１（図１８）は、ユーザにより第二レイヤの第二表示情報に対してタッチ操作が行なわれたこと（図１９）に基づいて、第二レイヤの第二表示情報を更新する。第二更新部３５２（図１８）は、第二レイヤの第二表示情報の更新（図２０）に基づいて、第一レイヤの第一表示情報を更新する。
【０１２２】
ところで、第１の実施形態について、第一レイヤの第一表示情報２１における表示情報は、ユーザによるタッチパネル１０（図１７）へのタッチ操作にて表示画面がスクロールされる場合がある。この場合、情報端末１Ａの内部処理にて更新された、第一レイヤの第一表示情報２１が、ディスプレイ２０（図１７）に表示されない場合がある。なお、情報端末１Ａの内部処理は、図２３に示されるフローチャートにおける、ステップＳ２０５の処理である。
【０１２３】
そうすると、ユーザは、切出し画面に対するタッチ操作が切出し元画面に反映されたことを、目視で確認することができない。
【０１２４】
そこで、第２の実施形態における情報端末１Ｂ（図２４）は、第二レイヤの第二表示情報２２の更新に基づいて、第一レイヤの第一表示情報２１を更新するとともに、更新通知情報２５（図３０、図３１）をディスプレイ２０（図２４）に表示させる。
【０１２５】
例えば、図３０と図３１に示されるように、第２の実施形態における情報端末１Ｂにおいて、第二レイヤの第二表示情報２２が更新される。すると、情報端末１Ｂにおいて、第二レイヤの第二表示情報２２の基となっている、第一レイヤの第一表示情報２１における表示情報が更新され、更新通知情報２５がディスプレイ２０に表示される。ここで、第二レイヤの第二表示情報２２は「質問２」が切出されている場合が示される。また、第一レイヤの第一表示情報２１における表示情報は、図２５の切出し範囲２１３に相当する。
（３−２−４−２．  記憶部）
第２の実施形態における構成について、制御装置３０Ｂにおける切出し画面生成部３３（図２４）は、画面情報記憶部３３３（図３）を有する。画面情報記憶部３３３は、第１の実施形態における画面情報記憶部３３３（図３）と同様の構成とすることができる。第２の実施形態において、画面情報記憶部３３３に記憶される、第一表示情報及び第二表示情報の内容は、図３７及び図３８に示されるように、第１の実施形態と同様とすることができる。ここで、図３７及び図３８は、第一レイヤの第一表示情報２１の情報のデータテーブル７１及び第二レイヤの第一表示情報２２の情報のデータテーブル７２を示している。
（３−２−４−３．  処理動作）
第２の実施形態において、情報端末１Ｂが更新通知情報２５をディスプレイ２０に表示させる、情報端末１Ｂの一連の動作を、以下のように説明する。以下においては、図３２に示されるフローチャートと、図２４、図３、図１８に示される構成図、及び図２３、図２５、図３０、図３１、図３３、図３７を用いて説明する。
【０１２６】
図３２は、本発明の第２の実施形態による情報端末１Ｂにおける、更新通知情報の生成及び表示に係る情報制御処理の動作を示したフローチャートである。なお、図３２に示されるフローチャートにおける処理のうち、ステップＳ５０１からステップＳ５０５までは、図２３に示されるフローチャートにおける処理のうち、ステップＳ２０１からステップＳ２０５までと共通である。フローチャート（図３２）において、第二更新部３５２（図１８）がステップＳ５０５の処理を実行した後に、通知情報生成部３６（図２４）はステップＳ５０６以降の処理を実行する。処理をステップＳ５０５からステップＳ５０６へ進めるために、第二更新部３５２は、通知情報生成部３６に、第一レイヤの第一表示情報２１を更新したことを通知する通知信号を送信する。通知情報生成部３６は、第二更新部３５２から、通知信号を受信すると、ステップＳ５０６移行の処理を実行する。以下の説明において、図２３に示されるフローチャートと共通するステップの説明は省略される。
【０１２７】
第２の実施形態において、情報端末１Ｂが更新通知情報２５をディスプレイ２０に表示させる処理動作は、次の通りである。まず、切出し画面操作部３３（図２４）の第一更新部３５１（図１８）による第二レイヤの第二表示情報２２の更新に基づいて、第二更新部３５２（図１８）は第一レイヤの第一表示情報２１を更新する（ステップＳ５０５）。なお、第一レイヤの第一表示情報２１及び第二レイヤの第二表示情報２２の「更新」は、第１の実施形態の説明における［３−１−３．  処理動作］にて説明した通りである。
【０１２８】
図３０において、第二レイヤの第二表示情報２２の「質問２」に係る「ボタンＢ」は、未入力状態を示す白丸（○）から入力状態を示す黒丸（●）に更新される。この更新に基づき、第一レイヤの第一表示情報２１における「質問２」に係る「ボタンＢ」も、未入力状態を示す白丸（○）から入力状態を示す黒丸（●）に更新される。但し、図３０において、第一レイヤ第一表示情報２１における「質問２」は、ディスプレイ２０に表示されていない。従って、ユーザは、更新された第一レイヤの第一表示情報２１の部分（「質問２」）を目視することができない。
【０１２９】
次に、通知情報生成部３６（図２４）は、第二レイヤの第二表示情報２２（図３０）の基になっている、第一レイヤの第一表示情報２１（図３０）における切出し範囲の表示情報が、ディスプレイ２０（図３０）に表示されているか否かを判定する（ステップＳ５０６）。この第一レイヤの第一表示情報２１における切出し範囲の表示情報は、図２５の切出し範囲２１３に相当する。
【０１３０】
通知情報生成部３６（図２４）による、ステップＳ５０６の判定処理は、以下に説明する方法によって、実行される。
【０１３１】
ディスプレイ２０（図２４）に表示される表示情報は、表示情報の全体のうち、ディスプレイ２０の表示領域に含まれる部分である。表示情報の全体がディスプレイ２０の表示領域に含まれない場合、ユーザは、タッチパネル１０（図２４）へタッチ操作を行い、表示画面をスクロール操作して、表示情報の全体を閲覧する。ユーザは、表示画面を、横方向または縦方向にスクロール可能である。
【０１３２】
図３３に示されるように、表示情報の全体は、Ｘ軸方向（横方向）とＹ軸方向（縦方向）に所定の幅と所定の高さを有する。ここでは、表示情報の全体は、Ｘ軸方向に幅Ｘｍを有し、Ｙ軸方向に高さＹｍを有する。
【０１３３】
図３３において、表示情報の全体における一部分は、情報端末１Ｂのディスプレイ２０に表示される。この表示情報の全体における一部分の、ディスプレイ２０に表示される領域は、表示領域Ｄとする。図３３において、表示領域Ｄは、一点鎖線で示される。表示領域Ｄは、Ｘ軸方向に幅Ｄｘ、Ｙ軸方向に表示領域Ｄの上辺の座標ｄ１及び下辺の座標ｄ２で規定される高さＤｙを有する。ここで、表示領域ＤのＸ軸方向の幅Ｄｘは、表示情報の全体の、Ｘ軸方向の幅Ｘｍに等しいとする。また、表示領域ＤのＹ軸方向の高さＤｙは、表示情報の全体のＹ軸方向の高さＹｍより短いとする。この場合、表示領域ＤのＸ軸方向の幅Ｄｘに、表示情報の全体のＸ軸方向の幅Ｘｍは全て含まれる。従って、ユーザによるＸ軸方向のスクロール操作は、表示情報の全体を表示するために必要ない。一方、表示領域ＤのＹ軸方向の高さＤｙに、表示情報の全体のＹ軸方向の高さＹｍは全て含まれない。従って、ユーザによるＹ軸方向のスクロール操作は、表示情報の全体を表示するために必要である。
【０１３４】
例えば、ユーザによるＹ軸方向のスクロール操作は、図３３において、表示領域Ｄを、表示情報の全体の上端（上端のＹ軸座標はゼロでありＸ軸に等しい）から下方向（Ｙ軸の値が増加する方向）にスクロールさせる。この場合、表示領域Ｄの上辺が位置する座標ｄ１の値は、表示領域Ｄのスクロール量Ｓと等しい。表示領域Ｄの下辺が位置する座標ｄ２の値は、座標ｄ１の値に、表示領域ＤのＹ軸方向の高さＤｙの値が加算されたものである。
【０１３５】
通知情報生成部３６（図２４）は、図３３において、表示情報における、Ｘ軸上の座標及びＹ軸上の座標によって位置が定められた各質問の四角形の領域が、表示領域Ｄに全て含まれるか否かを判定する。通知情報生成部３６は、図３３において、例えば、Ｘ軸上の座標であるＸ１とＸ２、及びＹ軸上の座標であるＹ３とＹ４によって定められた、「質問２」の四角形の領域が、ディスプレイ２０の表示領域Ｄに全て含まれるか否かを判定する。なお、図３７において、「質問２」の四角形の領域は、管理番号ｎ：「２」にて管理される第一表示情報の内容における表示領域座標で表現される。
【０１３６】
通知情報生成部３６（図２４）の判定処理を、図３３を用いて、以下に説明する。第一に、通知情報生成部３６は、表示領域Ｄの上辺が位置する座標ｄ１のＹ軸座標の値と、「質問２」の四角形の領域の上辺が位置する座標Ｙ３の値とを比較する。第二に、通知情報生成部３６は、表示領域Ｄの下辺が位置する座標ｄ２のＹ軸座標の値と、「質問２」の四角形の領域の下辺が位置する座標Ｙ４の値とを比較する。第一の比較において、座標ｄ１のＹ軸座標の値は、座標Ｙ３の値と等しいか小さいとする。このとき、第二の比較において、座標ｄ２のＹ軸座標の値が、座標Ｙ４の値と等しいか大きければ（ｄ１≦Ｙ３かつｄ２≧Ｙ４）、通知情報生成部３６は、「質問２」の四角形の領域が、表示領域Ｄに全て含まれると判定する。
【０１３７】
上述される通知情報生成部３６（図２４）の判定処理において、表示領域ＤのＸ軸方向の幅Ｄｘが、表示情報の全体のＸ軸方向の幅Ｘｍに等しいので、表示領域ＤはＸ軸方向にスクロールされず、Ｙ軸方向にスクロールされる。表示領域ＤがＸ軸方向にスクロールされ、Ｙ軸方向にスクロールされない場合、上述される通知情報生成部３６の判定処理が適用されるとともに、第三の比較と第四の比較が行われる。なお、表示領域ＤがＸ軸方向及びＹ軸方向のどちらにもスクロールされる場合においても、上述される通知情報生成部３６の判定処理が適用されるとともに、第三の比較と第四の比較が行われる。第三の比較と第四の比較は、次の通りである。第三に、通知情報生成部３６は、表示領域Ｄの左辺が位置する座標ｄ１のＸ軸座標の値と、「質問２」の四角形の領域の左辺が位置する座標Ｘ１の値とを比較する。第四に、通知情報生成部３６は、表示領域Ｄの右辺が位置する座標ｄ２のＸ軸座標の値と、「質問２」の四角形の領域の右辺が位置する座標Ｘ２の値とを比較する。第三の比較において、座標ｄ１のＸ軸座標の値は、座標Ｘ１の値と等しいか小さいとする。このとき、第二の比較において、座標ｄ２のＸ軸座標の値が、座標Ｘ２の値と等しいか大きければ（ｄ１≦Ｘ１かつｄ２≧Ｘ２）、通知情報生成部３６は、「質問２」の四角形の領域が、表示領域Ｄに全て含まれると判定する。即ち、通知情報生成部３６は、各質問の四角形の領域の四隅である左上、右上、左下、右下におけるＸ軸座標及びＹ軸座標の値と、表示領域Ｄの四隅である左上、右上、左下、右下におけるＸ軸座標及びＹ軸座標の値を比較する。なお、図３３において、各質問の四角形の領域の四隅のＸ軸座標及びＹ軸座標の値は、それぞれ（Ｘ１，Ｙ３）、（Ｘ２，Ｙ３）、（Ｘ１，Ｙ４）、（Ｘ２，Ｙ４）である。また、図３３において、表示領域Ｄの四隅のＸ軸座標及びＹ軸座標の値は、（０，ｄ１）、（Ｘｍ，ｄ１）、（０，ｄ２）、（Ｘｍ，ｄ２）である。通知情報生成部３６は、各質問の四角形の四隅の座標で規定される領域が、表示領域Ｄに全て含まれるか否かを判定する。ここで、表示領域Ｄの四隅である左上、右上、左下、右下は、上辺の左側の端部、上辺の右側の端部、下辺の左側の端部、下辺の右側の端部に対応する。
【０１３８】
上述される判定処理により、通知情報生成部３６（図２４）は、第二レイヤの第二表示情報２２の基である、第一レイヤの第一表示情報２１における切出し範囲の表示情報が、ディスプレイ２０に表示されているか否かを判定する（ステップＳ５０６）。なお、第一レイヤの第一表示情報２１における切出し範囲の表示情報は、図２５の切出し範囲２１３に該当する。
【０１３９】
ここでは、図３２に示されるフローチャートの処理において、通知情報生成部３６（図２４）が、ステップＳ５０６にて「Ｎｏ」と判定した場合を説明する。なお、通知情報生成部３６がステップＳ５０６にて「Ｎｏ」と判定するのは、次の場合である。即ち、図３３において、通知情報生成部３６が、上述の第一の比較と第二の比較、及び第三の比較と第四の比較によって、「質問２」の四角形の領域が、表示領域Ｄに全て含まれないと判定する場合である。通知情報生成部３６（図２４）は、第二レイヤの第二表示情報２２の基である、第一レイヤの第一表示情報２１における切出し範囲の表示情報が、ディスプレイ２０に表示されていない（図３０）と判定する（ステップＳ５０６：Ｎｏ）。通知情報生成部３６は、更新通知情報２５（図３０）を生成する（ステップＳ５０７）。更新通知情報２５は、第二レイヤの第二表示情報２２に対するユーザによる操作による、第二レイヤの第二表示情報２２の更新に基づいて、第一レイヤの第一表示情報２１が更新されたことを通知するものである。
【０１４０】
次に、画面制御部３４（図２４）は、通知情報生成部３６（図２４）により生成された更新通知情報２５を含む画面制御信号を生成し、画面制御信号をディスプレイ２０（図２４）に送信する。最後に、ディスプレイ２０は、画面制御部３４から受信した画面制御信号に基づいて、更新通知情報２５を、表示する（ステップＳ５０８）。なお、更新通知情報２５の、ディスプレイ２０における表示位置は、任意の位置でよい。
【０１４１】
なお、図３２に示されるフローチャートにおいて、通知情報生成部３６（図２４）が、ステップＳ５０６の判定にて「Ｙｅｓ」と判定した場合、フローチャート（図３２）の処理はステップＳ５０７−２へ進む。なお、通知情報生成部３６がステップＳ５０６にて「Ｙｅｓ」と判定するのは、次の場合である。即ち、図３３において、通知情報生成部３６が、上述の第一の比較と第二の比較、及び第三の比較と第四の比較によって、「質問２」の四角形の領域が、表示領域Ｄに全て含まれると判定する場合である。ステップＳ５０７−２の処理は、図２３に示されるフローチャートのステップＳ２０６の処理と同様である。即ち、ディスプレイ２０（図２４）は、画面制御部３４（図２４）にて生成された画面制御信号に基づいて、第二レイヤの第二表示情報２２（図１９）の更新に基づいて更新された第一レイヤの第一表示情報２１（図２０）を表示する。
【０１４２】
また、上述の説明において、通知情報生成部３６の処理は、以下に説明する処理でもよい。通知情報生成部３６の処理は、図３２に示されるフローチャートのステップＳ５０６、及びステップＳ５０７−２を省略することも可能である。この場合、通知情報生成部３６の処理は、図３２に示されるフローチャートのステップＳ５０５からステップＳ５０７へ進み、更にステップＳ５０８の処理を実行する。通知情報生成部３６は、第二レイヤの第二表示情報２２の基である、第一レイヤの第一表示情報２１における切出し範囲の表示情報が、ディスプレイ２０に表示されているか否かに関わらず、更新通知情報２５を生成する。即ち、情報端末１Ｂにおいて、第二レイヤの第二表示情報２２の更新に基づいて第一レイヤの第一表示情報２１が更新されると、無条件に通知情報生成部３６により更新通知情報２５が生成され、ディスプレイ２０に表示される。
【０１４３】
以上、説明したように、項目「３−２−４．更新通知情報」では、情報端末１Ｂが、連動通知情報２４をディスプレイ２０に表示される構成と動作について説明した。通知情報生成部３６は、ユーザのタッチ操作により、第二レイヤの第二表示情報が更新されたことに基づいて、第一レイヤの第一表示情報が更新されたことを通知する更新通知情報を生成する。上述される通知情報生成部３６の処理動作により、ウェブページを利用したアンケートにおいて、ユーザは、情報端末１Ｂにおいて、切出し画面を操作した結果が切出し元画面に反映されたことを、目視にて確認することが可能となる。
［３−２−５．  操作通知情報］
（３−２−５−１．  操作通知情報の目的）
例えば、第１の実施形態に示される情報端末１Ａ（図１７）において、ユーザにより第一レイヤの第一表示情報２１（図１９）から、「質問１」に係る「質問文」と「ボタン」を含む範囲が選択される。すると、第１の実施形態に示される情報端末１Ａは、第二レイヤの第二表示情報２２（図１９）を生成し、生成した第二レイヤの第二表示情報２２をディスプレイ２０（図１９）に表示する。この場合、ユーザは、ディスプレイ２０に表示される「質問１」へ回答する際、第一レイヤの第一表示情報２１の「質問１」に係る「ボタン」をタッチ操作してもよい。ここで、第１の実施形態に示される情報端末１Ａは、ユーザによるタッチパネル１０へのタッチ操作に基づいて、第一レイヤの第一表示情報２１の「質問１」に係る「ボタン」の表示を更新する。第一レイヤの第一表示情報２１における「質問１」に係る「ボタン」の表示は、未入力状態を示す白丸（○）から入力状態を示す黒丸（●）に更新される。この場合、第二レイヤの第二表示情報２２における「質問１」に係る「ボタン」の表示は、未入力状態を示す白丸（○）のままである。
【０１４４】
このように、第１の実施形態に示される情報端末１Ａ（図１７）は、次に記載される第一レイヤの第一表示情報２１（図１９）と第二レイヤの第二表示情報２２（図１９）が、異なる情報にてディスプレイ２０（図１９）に表示される場合がある。ここで、第一レイヤの第一表示情報２１は、第一レイヤの第一表示情報２１のうち、第二レイヤの第二表示情報２２の基である表示情報であり、「質問１」に係る第一レイヤの第一表示情報２１における切出し範囲の表示情報である。この場合、ユーザにより第一レイヤの第一表示情報２１における切出し範囲の表示情報に対してタッチ操作が行われ、タッチ操作が行われた表示情報が更新される。第１の実施形態に示される情報端末１Ａにおいて、第一レイヤの第一表示情報２１における切出し範囲の表示情報と、第二レイヤの第二表示情報２２が、異なる情報にて表示されることは、ユーザが混乱する原因となる。
【０１４５】
そこで、以下に説明する第２の実施形態の態様によれば、情報端末１Ｂ（図２４）は、次の処理を実行する。即ち、情報端末１Ｂの処理は、第一レイヤの第一表示情報２１における切出し範囲の表示情報に対してユーザによりタッチ操作が行なわれると、タッチ操作が行われたことを通知する操作通知情報２６を、ディスプレイ２０に表示させる（図３４、図３５、図４２）。
（３−２−５−２．  記憶部）
第２の実施形態における構成について、制御装置３０Ｂ（図２４）における切出し画面生成部３３（図２４）は、画面情報記憶部３３３（図３）を有する。画面情報記憶部３３３は、第１の実施形態における画面情報記憶部３３３（図３）と同様の構成とすることができる。第２の実施形態において、画面情報記憶部３３３に記憶される、第一表示情報及び第二表示情報の内容は、図３７に示されるように、第１の実施形態と同様とすることができる。
（３−２−５−３．  処理動作）
第２の実施形態において、情報端末１Ｂが操作通知情報２６をディスプレイ２０に表示させる一連の動作を、以下のように説明する。以下の説明においては、図３６に示されるフローチャートと、図２４、図３、図１８に示される構成図、及び図６、図１２、図２３、図３４、図３５、図３７〜図４６を用いて説明する。
【０１４６】
図３６は、本発明の第２の実施形態による情報端末における、操作通知情報の生成及び表示に係る情報制御処理の動作を示したフローチャートである。なお、図３６に示されるフローチャートにおける情報端末１Ｂの処理は、図１２に示されるフローチャートの処理（ステップＳ１０１〜Ｓ１０７）が完了していることが前提である。このとき、第二レイヤの第二表示情報２２が生成され、生成された第二レイヤの第二表示情報２２がディスプレイ２０に表示されている（図３４）。
【０１４７】
第２の実施形態において、情報端末１Ｂ（図２４）が操作通知情報２６をディスプレイ２０（図３４）に表示させる処理動作は、次の通りである。まず、タッチパネル１０（図２４）は、ユーザによりタッチ操作が行われる（ステップＳ６０１）。操作対象検出部３１（図２４）は、タッチ操作に基づいたタッチ操作信号を、タッチパネル１０から受信する。操作対象検出部３１は、タッチパネル１０がタッチ操作された位置の座標情報と、ディスプレイ２０（図２４）における表示情報の表示位置の情報とを照合する。ここで、ディスプレイ２０における表示情報の表示位置の情報は、画面情報記憶部３３３（図３）に記憶される。操作対象検出部３１は、ユーザによるタッチパネル１０へのタッチ操作が、第一レイヤの第一表示情報２１（図３４）に対するタッチ操作であるのか、第二レイヤの第二表示情報２２（図３４）に対するタッチ操作であるのかを検出する（ステップＳ６０２）。なお、ステップＳ６０１及びステップＳ６０２は、図２３に示されるフローチャートの、ステップＳ２０１及びステップＳ２０２と同様である。
【０１４８】
通知情報生成部３６（図２４）が、ユーザによるタッチパネル１０（図３４）へのタッチ操作が、第一レイヤの第一表示情報２１（図３４）に対するタッチ操作であると判定した場合（ステップＳ６０３：Ｙｅｓ）、フローチャート（図３６）の処理は、ステップＳ６０４へ進む。ステップＳ６０４において、通知情報生成部３６は、ユーザによる第一レイヤの第一表示情報２１に対するタッチ操作が、第一レイヤの第一表示情報２１における切出し範囲の表示情報に対する操作であるかを判定する（ステップＳ６０４）。ここで、通知情報生成部は、操作対象検出部３１（図２４）から受信した、ステップＳ６０２の処理による検出結果（タッチ操作が行われた表示情報を示す検出結果）に基づいて、タッチ操作について判定する。第一レイヤの第一表示情報２１における切出し範囲の表示情報は、第二レイヤの第二表示情報２２（図３４）の基である。なお、通知情報生成部３６が、ユーザによるタッチパネル１０へのタッチ操作が、第一レイヤの第一表示情報２１に対するタッチ操作ではないと判定した場合（ステップＳ６０３：Ｎｏ）、フローチャート（図３６）の処理は、ステップＳ６０１に戻る。
【０１４９】
通知情報生成部３６（図２４）による、ステップＳ６０４の判定処理を、以下のように説明する。
【０１５０】
まず、通知情報生成部３６（図２４）は、第一レイヤの第一表示情報２１（図３４）のうち、ユーザによりタッチ操作された表示情報の識別番号ｎを取得する。ここで、取得処理の詳細は、次の通りである。通知情報生成部３６は、ユーザによりタッチパネル１０（図３４）がタッチ操作された位置の座標情報と、ディスプレイ２０に表示される表示情報の表示位置の座標情報とを照合して、識別番号ｎを取得する。例えば、図３４に示されるように、第一レイヤの第一表示情報２１において「質問１」に係る「ボタン」がタッチ操作される。通知情報生成部３６は、タッチパネル１０がタッチ操作された位置の座標情報と、図３７に示されるデータテーブル７１における、ボタンオブジェクト表示位置の各座標情報とを照合する。通知情報生成部３６は、タッチパネル１０がタッチ操作された位置の座標情報と、ボタンオブジェクト表示位置の各座標情報とを照合することにより、第一レイヤの第一表示情報２１における「質問１」に係る「ボタン」がタッチ操作されたことを検出する。更に通知情報生成部３６は、図３７に示されるデータテーブル７１において、ユーザによりタッチ操作された第一レイヤの第一表示情報２１の識別番号ｎ：「１」を取得する。
【０１５１】
通知情報生成部３６（図２４）は、ユーザによりタッチ操作された第一レイヤの第一表示情報２１（図３４）の表示情報の識別番号ｎを取得すると、取得した識別番号ｎにて管理される表示情報に基づいて生成された、第二レイヤの第二表示情報２２（図３４）が存在するか否かを判定する。通知情報生成部３６は、取得した識別番号ｎに基づいて、第二レイヤの第二表示情報２２のデータテーブル７２（図３８）を参照して、第二レイヤの第二表示情報２２が存在するか否かを判定する。例えば、上述されるように、通知情報生成部３６は、第一レイヤの第一表示情報２１において、ユーザによりタッチ操作された表示情報の識別番号ｎ：「１」を取得する。この場合、通知情報生成部３６は、識別番号ｎ：「１」に基づいて、第二レイヤの第二表示情報２２のデータテーブル７２を参照する。図３８に示される、第二レイヤの第二表示情報２２のデータテーブル７２には、識別番号ｎ：「１」にて管理される表示情報が存在する。なお、データテーブル７２において、識別番号ｎ：「１」にて管理される表示情報は、図３４における、「質問１」が切出された、第二レイヤの第二表示情報２２である。従って、通知情報生成部３６は、ステップＳ６０４において「Ｙｅｓ」と判定する。取得した識別番号ｎにて管理される表示情報に基づいて生成された、第二レイヤの第二表示情報が存在することは、次のことを意味する。即ち、ユーザによる第一レイヤの第一表示情報２１に対するタッチ操作は、第二レイヤの第二表示情報２２の基である切出し範囲の表示情報に対するタッチ操作である。
【０１５２】
また、取得した識別番号ｎにて管理される表示情報に基づいて生成された、第二レイヤの第二表示情報が存在しない場合、通知情報生成部３６は、ステップＳ６０４において「Ｎｏ」と判定する。この場合、図３６に示されるフローチャートの処理は、ステップＳ６０１へ戻る。なお、取得した識別番号ｎにて管理される表示情報に基づいて生成された、第二レイヤの第二表示情報が存在しないことは、次のことを意味する。即ち、ユーザによる第一レイヤの第一表示情報２１に対するタッチ操作は、第二レイヤの第二表示情報２２の基である切出し範囲の表示情報に対するタッチ操作ではない。
【０１５３】
次に、通知情報生成部３６（図２４）は、操作通知情報２６（図３６）を生成する（ステップＳ６０５）。操作通知情報２６は、第一レイヤの第一表示情報２１（図３４）のうち、第二レイヤの第二表示情報２２（図３４）の基である切出し範囲の表示情報に対して、タッチ操作が行なわれたことを、ユーザに通知するための表示情報である。
【０１５４】
入力処理部３２（図２４）は、ステップＳ６０１におけるユーザによるタッチ操作に基づいて、第一レイヤの第一表示情報２１（図３４）を更新する（ステップＳ６０６）。このとき、入力処理部３２（図２４）は、図３９に示される、第一レイヤの第一表示情報２１のデータテーブル７１を更新する。例えば、識別番号ｎ：「１」にて管理される「質問１」のボタンオブジェクト情報の「ボタンＢ」は、未入力状態を示す白丸（○）から入力状態を示す黒丸（●）に更新される。この第一レイヤの第一表示情報の更新は、図６に示される、情報端末１Ａの基本操作に基づく第一レイヤの第一表示情報２１の更新と同一である。
【０１５５】
次に、画面制御部３４（図２４）は、通知情報生成部３６（図２４）により生成された操作通知情報２６（図３４）と、入力処理部３２（図２４）により更新された第一レイヤの第一表示情報２１（図３４）とを含む画面制御信号を生成し、画面制御信号をディスプレイ２０（図２４）に送信する。次に、ディスプレイ２０（図３４）は、画面制御部３４から受信した画面制御信号に基づいて、操作通知情報２６をと更新された第一レイヤの第一表示情報２１を表示する（ステップＳ６０７）。なお、操作通知情報２６の、ディスプレイ２０における表示位置は、任意の位置でよい。
【０１５６】
最後に、画面制御部３４（図２４）は、図３５に示されるように、第二レイヤの第二表示情報２２の表示が終了するように、ディスプレイ２０（図２４）を制御する（ステップＳ６０８）。なお、図３５においては、第二レイヤの第二表示情報２２の表示が終了されたことを、点線の枠で表している。具体的には、実行部３３２（図１８）は、画面情報記憶部３３３（図３）に記憶される第二レイヤの第二表示情報をデータテーブル７２（図３８）から消去する。これにより、画面制御部３４は、第二レイヤの第二表示情報２２の表示を終了するように、ディスプレイ２０を制御する。実行部３３２は、例えば、図４０に示されるデータテーブル７２のように、識別番号ｎ：「１」にて管理される表示情報を消去し、データテーブル７２の行を空白とする。
【０１５７】
以上、図３６に示されるフローチャートのステップＳ６０１からステップＳ６０８の処理により、情報端末１Ｂ（図２４）は、操作通知情報２６をディスプレイ２０に表示させ（図４０）、ディスプレイ２０における第二レイヤの第二表示情報の表示を終了する（図４１）。
【０１５８】
なお、情報端末１Ｂ（図２４）は、操作通知情報２６のディスプレイ２０への表示（図３４）において、第二レイヤの第二表示情報２２（図３４）に表示される情報を、操作通知情報２６（図３４）に変更してもよい。
【０１５９】
具体的には、情報端末１Ｂ（図２４）は、図３６に示されるフローチャートのステップＳ６０７からＳ６０８において、次の処理を実行する。ステップＳ６０７において、通知情報生成部３６は、第二レイヤの第二表示情報２２（図３４）を、ステップＳ６０５にて生成された操作通知情報２６（図３４）に変更する。この場合、図３８に示されるデータテーブル７２において、記憶される第二表示情報の内容は、操作通知情報２６の内容に変更される。例えば、図３８に示されるデータテーブル７２において、識別番号ｎ：「１」にて管理される第二表示情報の内容のうち、「質問内容のテキスト情報」の「〜〜〜〜〜」（文字情報）が、操作通知情報２６の内容を示す文字情報に変更される。質問識別情報、ボタンオブジェクト情報及び、ボタンオブジェクト表示位置座標情報は消去される。そうすると、識別番号ｎ：「１」にて管理される第二表示情報の内容は、操作通知情報２６の内容を示す文字情報と、表示領域座標情報のみとなる。通知情報生成部３６は、データテーブルにて記憶される第二表示情報の内容を変更することにより、第二レイヤの第二表示情報２２を操作通知情報２６に変更する。画面制御部３４（図２４）は、第二レイヤの第二表示情報２２の表示が、操作通知情報２６に変更するように、ディスプレイ２０（図２４）を制御する。ディスプレイ２０は、画面制御部３４の画面制御に基づいて、第二レイヤの第二表示情報２２の表示を、操作通知情報２６に変更して表示する。更にステップＳ６０８において、実行部３３２（図１８）は、所定の時間経過した後に、画面情報記憶部３３３（図３）に記憶される第二レイヤの第二表示情報をデータテーブル７２（図３８）から消去する。画面制御部３４は、操作通知情報２６の表示を、所定の時間経過した後に終了するように、ディスプレイ２０を制御する。ディスプレイ２０は、画面制御部３４の画面制御に基づいて、操作通知情報２６の表示を終了する。
【０１６０】
また、上述の説明では、図３６に示されるフローチャートの処理開始時において、第二レイヤの第二表示情報２２（図３４）に対して、予め何ら入力されていないものとした。ここで、予め何ら入力されていない第二レイヤの第二表示情報２２は、データテーブル７２（図３８）において、識別番号ｎ：「１」にて管理される「質問１」に係る「ボタンオブジェクト情報」（ＡからＤまでのいずれのボタン）が、未入力状態を示す白丸（○）である情報である。しかし、図３６に示されるフローチャートの処理開始時において、第二レイヤの第二表示情報２２が予め入力がされている情報である場合も、情報端末１Ｂ（図２４）は、図３６に示されるフローチャートの処理動作を適用可能である。
【０１６１】
図３６に示されるフローチャートの開始時において、第二レイヤの第二表示情報２２は、予め入力がされている情報とする。例えば、第一レイヤの第一表示情報２１における「質問１」、及び「質問１」を基に生成された、第二レイヤの第二表示情報２２の「質問１」に係る「ボタン」について、「ボタンＡ」は入力状態を示す黒丸（●）であるものとする（図４１、図４３及び図４４）。この状態において、ステップＳ６０１にて、タッチパネル１０（図２４）は、ユーザによりタッチ操作が行われ、第一レイヤの第一表示情報２１の「質問１」に係る「ボタン」のうち「ボタンＣ」がタッチ操作されるとする。この場合、図３６に示されるフローチャートのステップＳ６０２からステップＳ６０５までにおいて、情報端末１Ｂ（図２４）の各構成部の処理動作は、上述と同様の処理動作が行なわれる。ステップＳ６０６において、入力処理部３２（図２４）は、ステップＳ６０１におけるユーザによるタッチ操作に基づいて、第一レイヤの第一表示情報２１（図４１）を更新する。図４３に示されるデータテーブル７１の識別番号ｎ：「１」にて管理されるボタンオブジェクト情報は、次のように更新される。図４５に示されるように、「ボタンＡ」のボタンオブジェクト情報が入力状態を示す黒丸（●）から未入力状態を示す白丸（○）に更新されるとともに、「ボタンＣ」のボタンオブジェクト情報が未入力状態を示す白丸（○）から入力状態を示す黒丸（●）に更新される。ステップＳ６０７において、画面制御部３４（図２４）は、操作通知情報２６と更新された第一レイヤの第一表示情報２１の表示制御処理について、上述と同様の処理動作が行なわれる。ステップＳ６０８において、画面制御部３４（図２４）は、第二レイヤの第二表示情報２２の表示終了制御処理について、上述と同様の処理動作が行なわれる（ステップＳ６０８におけるデータテーブルは図４６である）。情報端末１Ｂ（図２４）の各構成部は、上述のステップＳ６０１からステップＳ６０８に基づいて処理を行うので、ディスプレイ２０（図４２）は、次のように表示情報を表示する。ディスプレイ２０は、更新された第一レイヤの第一表示情報２１を表示する。ここで、第一レイヤの第一表示情報２１は、「質問１」に係る「ボタン」のうち、「ボタンＡ」が未入力状態を示す白丸（○）に、「ボタンＣ」が入力状態を示す黒丸（●）に更新される。また、ディスプレイ２０は、操作通知情報２６を表示する。また、ディスプレイ２０は、第二レイヤの第二表示情報２２の表示が終了された表示情報を表示する。ここで、第二レイヤの第二表示情報２２の表示が終了されたことは、点線の枠で表される（図４２）。
【０１６２】
上述のように、項目「３−２−５．操作通知情報」では、情報端末１Ｂが、操作通知情報２６をディスプレイ２０に表示させる構成と動作について説明した。通知情報生成部３６は、ユーザのタッチ操作により、第一レイヤの第一表示情報２１のうち、第二レイヤの第二表示情報２２の基になっている切出し範囲の表示情報に対して、タッチ操作が行なわれたことを通知する操作通知情報２６を生成する。上述される通知情報生成部３６の処理動作により、ユーザは、情報端末１Ｂにおいて、切出し画面を操作せず切出し元画面を操作する場合でも、混乱することなく操作することが可能となる。
［３−２−６．  各通知情報の組み合わせ］
以上、第２の実施形態における情報端末１Ｂ及び制御装置３０Ｂが、ユーザによるタッチパネル１０に対するタッチ操作に基づいて、連動通知情報、更新通知情報、操作通知情報をディスプレイ２０に表示させる構成について、説明した。連動通知情報、更新通知情報、操作通知情報については、各通知情報をディスプレイ２０に表示させる構成を、適宜組み合わせることも可能である。
［３−２−７．  第２の実施形態による効果］
以上、説明したように、第２の実施形態による情報端末１Ｂ及び制御装置３０Ｂによって、ユーザによるタッチパネル１０に対するタッチ操作に基づいて、ディスプレイ２０に種々の通知情報を表示させることが出来る。この構成により、ユーザが第二レイヤの第二表示情報を利用する際の利便性が向上される。
＜３−３．  第３の実施形態＞
第３の実施形態による情報端末及び情報制御装置を、上述の図１〜図４６と、図４７〜図５２を用いて説明する。ここで、図４７は、第３の実施形態による情報端末の構成を示した説明図である。図４８は、第３の実施形態による情報端末における、切出し画面の入力受付状態及び非入力受付状態の切り替えを行うための操作の様子を模式的に示した説明図である。図４９は、第３の実施形態による情報端末における、切出し画面の入力受付状態及び非入力受付状態の切り替えに係る情報制御処理の動作を示したフローチャートである。図５０〜図５１は、第３の実施形態による情報端末における、切出し画面の入力受付状態及び非入力受付状態の切り替えに係る情報制御処理を行うためのデータテーブルを模式的に示した説明図（その１〜その２）である。図５２は、第３の実施形態による情報端末における、切出し画面の入力受付状態及び非入力受付状態の切り替えを考慮した、切出し画面操作に係る情報制御処理の動作を示したフローチャートである。第３の実施形態による情報端末及び情報制御装置は、第１の実施形態による情報端末及び情報制御装置に、切出し画面（第二レイヤの第二表示情報）がタッチ操作を受け付ける入力受付状態、及び、切出し画面（第二レイヤの第二表示情報）がタッチ操作を受け付けない非入力受付状態を設けるよう、構成が加えられたものである。
［３−３−１．  入力受付状態及び非入力受付状態］
第３の実施形態による情報端末及び情報制御装置において、「第二レイヤの第二表示情報が入力受付状態である」とは、次の状態を指す。即ち、ユーザによるタッチパネル１０へのタッチ操作によるタッチ操作信号に基づいて、第二レイヤの第二表示情報が操作され、更新を受け付ける状態を指す。この状態は、例えば、第一更新部３５１（図１８）により、第二レイヤの第二表示情報における「ボタン」が未入力状態示す白丸（○）から、入力状態を示す黒丸（●）に更新される状態等である。一方、「第二レイヤの第二表示情報が非入力受付状態である」とは次の状態を指す。即ち、ユーザによるタッチパネル１０へのタッチ操作によるタッチ操作信号に基づいて、第二レイヤの第二表示情報が操作されず、更新を受け付けない状態を指す。この状態は、例えば、ユーザによるタッチパネル１０へのタッチ操作が行なわれても、第二レイヤの第二表示情報における「ボタン」が、未入力状態示す白丸（○）から、入力状態を示す黒丸（●）に更新されない状態等である。
［３−３−２．  第３の実施形態に係る情報端末の全体構成］
図４７に示されるように、第３の実施形態による情報端末１Ｃは、タッチパネル１０と、ディスプレイ２０と、制御装置３０Ｃを備える。タッチパネル１０、ディスプレイ２０は、それぞれ上述の情報端末１Ａの基本構成（図１）によるタッチパネル１０、ディスプレイ２０と同様の構成とすることができる。
【０１６３】
また図４７に示されるように、制御装置３０Ｃは、操作対象検出部３１と、入力処理部３２と、切出し画面生成部３３と、画面制御部３４と、切出し画面操作部３５と、入力制御部３７を備える。操作対象検出部３１、入力処理部３２、切出し画面生成部３３、画面制御部３４、切出し画面操作部３５は、それぞれ上述の第１の情報端末１Ａの基本構成（図１）による操作対象検出部３１、入力処理部３２、切出し画面生成部３３、画面制御部３４、切出し画面操部３５と同様の構成とすることができる。
【０１６４】
更に、制御装置３０Ｃは、通信部４０、記憶部５０（記憶媒体５１と、メモリ５２）と、制御部６０を備える。通信部４０、記憶部５０（記憶媒体５１と、メモリ５２）は、それぞれ上述の情報端末１Ａの基本構成（図１）による情報端末１Ａの通信部４０、記憶部５０（記憶媒体５１と、メモリ５２）と同様の構成とすることができる。制御部６０は、上述される情報端末１Ａの基本構成（図１）による制御部６０と同様の機能を有する。制御部６０は、ユーザの指示により実行されるアプリケーション処理に関わる制御装置３０Ｃの構成要素（例えば、操作対象検出部３１と、入力処理部３２と、切出し画面生成部３３と、画面制御部３４と、切出し画面操作部３５と、入力制御部３７である）を総合的に制御する。
［３−３−３．  入力制御部］
入力制御部３７（図４７）は、タッチパネル１０（図４７）からタッチ操作信号を受信する。入力制御部３７は、タッチ操作信号に基づいて、切出し画面生成部３３により生成される、第二レイヤの第二表示情報（切出し画面）の、入力受付状態及び非入力受付状態の切り換えを制御する。具体的には、入力制御部３７は、図５１に示されるデータテーブル７６のように、識別番号ｎにて管理される第二レイヤの第二表示情報のうち、入力受付状態情報の値を、タッチ操作信号に基づいて変更する。なお、データテーブル７６の各情報は、実行部３３２（図３）が、画面情報記憶部３３３（図３）に記憶させる。例えば、データテーブル７６において、第二レイヤの第二表示情報のうち、識別番号ｎ：「１」にて管理される入力受付状態情報の値は「０」であるとする。この状態において、ディスプレイ２０（図４７）に表示される、第二レイヤの第二表示情報の「質問１」は、ユーザにより所定の操作が行われる。入力制御部３７は、タッチパネル１０からタッチ操作信号を受信すると、データテーブル７６における第二レイヤの第二表示情報のうち、識別番号ｎ：「１」にて管理される入力受付状態情報の値を「０」から「１」に変更する。なお、入力受付状態情報の値が予め「１」であった場合は、次の通りである。ディスプレイ２０に表示される、第二レイヤの第二表示情報の「質問１」は、ユーザにより所定の操作が行われる。入力制御部３７は、タッチパネル１０からタッチ操作信号を受信すると、データテーブル７６における第二レイヤの第二表示情報のうち、識別番号ｎ：「１」にて管理される入力受付状態情報の値を「１」から「０」に変更する。このように、入力制御部３７は、入力受付状態情報の値の「０」と「１」を、タッチパネル１０から受信するタッチ操作信号に基づいて、交互に変更する。
【０１６５】
データテーブル７６（図５１）において、識別番号ｎにて管理される入力受付状態情報の値が「０」である場合、入力制御部３７（図４７）は、第二レイヤの第二表示情報の入力受付状態を「非入力受付状態」とする。また、入力受付状態情報の値が「１」である場合、入力制御部３７は、第二レイヤの第二表示情報の入力受付状態を「入力受付状態」とする。従って、上記段落０２０５の説明は、ユーザによる所定の操作によって、第二レイヤの第二表示情報２２が「非入力受付状態」から「入力受付状態」に切り替えられることに対応する。ここで、上記段落０２０５の説明は、識別番号ｎ：「１」にて管理される第二レイヤの第二表示情報「質問１」において、識別番号ｎ：「１」にて管理される入力受付状態情報の値が「０」から「１」に変更されることである。また、上記段落０２０５の説明は、ユーザによる所定の操作によって、第二レイヤの第二表示情報２２が「入力受付状態」から「非入力受付状態」に切り替えられることに対応する。ここで、上記段落０２０５の説明は、識別番号ｎ：「１」にて管理される第二レイヤの第二表示情報「質問１」において、識別番号ｎ：「１」にて管理される入力受付状態情報の値が「１」から「０」に変更されることである。
［３−３−４．  処理動作］
第３の実施形態において、情報端末１Ｃが、ユーザによるタッチパネル１０へのタッチ操作に基づいて、第二レイヤの第二表示情報の入力受付状態及び非入力受付状態を切り替える、一連の動作を、以下のように説明する。以下においては、図４９に示されるフローチャートと、図４７、図３、図１８に示される構成図を用いて説明する。
【０１６６】
図４９は、本発明の第３の実施形態による情報端末における、切出し画面の入力受付状態及び非入力受付状態の切り替えに係る情報制御処理の動作を示したフローチャートである。
【０１６７】
なお、図４９に示されるフローチャートの処理開始時において、予め第二レイヤの第二表示情報２２（図４８）が、切出し画面生成部３３（図４７）により生成されているものとする。なお、第二レイヤの第二表示情報２２は、図１２に示されるフローチャートのステップＳ１０６の処理に基づいて、切出し画面生成部３３により生成される。また、図１２に示されるフローチャートのステップＳ１０６において、第二レイヤの第二表示情報２２は、切出し画面生成部３３の実行部３３２（図３）により、画面情報記憶部３３３（図３）に記憶される。この際、第二レイヤの第二表示情報２２は、図５１に示されるデータテーブル７６のように、入力受付状態情報が付加されて、画面情報記憶部３３３に記憶される。なお、入力受付状態情報の値は「０」とする。この場合、第二レイヤの第二表示情報２２は、初期状態が「非入力受付状態」として生成される。
【０１６８】
更に、ステップＳ１０７（図１２）の処理により、表示情報２２がディスプレイ２０に表示された後に、情報端末１Ｃは、図４９に示されるフローチャートに基づいて、動作する。
【０１６９】
まず、情報端末１Ｃ（図４７）において、ユーザによりタッチパネル１０（図４７）は、ユーザによりタッチ操作が行われる（ステップＳ７０１）。すると、操作対象検出部３１（図４７）は、タッチパネル１０（図４７）よりタッチ操作信号を受信する。操作対象検出部３１は、ユーザによりタッチパネル１０がタッチ操作された位置の座標情報と、ディスプレイ２０（図４７）に表示される表示情報の、表示位置の座標情報とを照合する。なお、表示情報の表示位置の座標情報は、画面情報記憶部３３３（図４７）に記憶される。操作対象検出部３１は、タッチパネル１０がタッチ操作された位置の座標情報と、ディスプレイ２０に表示される表示情報の表示位置の座標情報とを照合することにより、ユーザによるタッチパネル１０へのタッチ操作が、第一レイヤの第一表示情報２１に対するタッチ操作であるのか、第二レイヤの第二表示情報２２に対するタッチ操作であるのかを検出する（ステップＳ７０２）。なお、ステップＳ７０１及びステップＳ７０２の処理は、第１の実施形態の処理動作におけるステップＳ２０１及びステップＳ２０２（図２３）と同様である。ユーザによるタッチパネル１０へのタッチ操作が、第二レイヤの第二表示情報２２（図４７）に対する操作であった場合（ステップＳ７０３：Ｙｅｓ）、フローチャート（図４９）の処理はステップＳ７０４に進む。ユーザによるタッチパネル１０へのタッチ操作が、第二レイヤの第二表示情報２２に対する操作ではない場合（ステップＳ７０３：Ｎｏ）、フローチャート（図４９）の処理はステップＳ７０１に戻る。
【０１７０】
ユーザによるタッチパネル１０（図４７）へのタッチ操作が、第二レイヤの第二表示情報２２（図４８）に対する操作であった場合（ステップＳ７０３：Ｙｅｓ）、操作対象検出部３１（図４７）は、更に次の処理を実行する。操作対象検出部３１は、ユーザによるタッチパネル１０へのタッチ操作が、図４８に示されるように、第二レイヤの第二表示情報２２の表示領域の外周をなぞる操作であるか否かを判定する（ステップＳ７０４）。ステップＳ７０４の判定において、操作対象検出部３１は、タッチ操作信号に含まれるタッチパネル１０がタッチ操作された位置の座標情報と、第二レイヤの第二表示情報２２における表示領域の座標情報とを照合することにより、行われる。なお、第二レイヤの第二表示情報２２における表示領域の座標情報は、画面情報記憶部３３３（図３）に記憶される（図５１）。操作対象検出部３１は、タッチパネル１０がタッチ操作された位置の座標情報が、次のような場合に、ステップＳ７０４の判定において「Ｙｅｓ」と判定する。即ち、タッチパネル１０がタッチ操作された位置の座標情報が、第二レイヤの第二表示情報２２の四角形の表示領域の四隅の座標のうちの一点の座標から、当該四角形の表示領域の外周をなぞるように遷移した場合である。また、タッチパネル１０がタッチ操作された位置の座標情報が、第二レイヤの第二表示情報２２の四角形の表示領域の四隅の座標のうちの一点の座標から、一定距離離れた周辺座標を起点として、外周から一定距離離れた周辺領域をなぞるように遷移した場合でもよい。外周領域は、例えば、図４８において点線にて示される領域２７である。タッチ操作された位置の座標情報が上述のように遷移したと判断された場合、操作対象検出部３１は、ユーザによるタッチパネル１０へのタッチ操作が、第二レイヤの第二表示情報２２の表示領域の外周をなぞる操作であると判定する（ステップＳ７０４：Ｙｅｓ）。ステップ７０４において、操作対象検出部３１による判定結果が「Ｙｅｓ」の場合、フローチャート（図４９）の処理はステップＳ７０５へ進む。なお、ステップＳ７０４において、操作対象検出部３１による判定結果が「Ｎｏ」の場合、フローチャート（図４９）の処理はステップＳ７０１に戻る。
【０１７１】
入力制御部３７（図４７）は、画面情報記憶部３３３（図３）に記憶される、第二レイヤの第二表示情報２２の情報（図５１）のうちの、入力受付状態情報の値を変更する（ステップＳ７０５）。ここで、入力制御部３７は、上述されるように、図５１のデータテーブル７６において、第二レイヤの第二表示情報２２の入力受付状態情報の値を「０」から「１」に変更する。ステップＳ７０５における入力制御部３７の処理により、第二レイヤの第二表示情報２２は、「非入力受付状態」から「入力受付状態」へ切り替えられる。
【０１７２】
上述のように、ステップＳ７０１からステップＳ７０５（図４９）の処理により、ユーザによるタッチパネル１０（図４７）へのタッチ操作に基づいて、ディスプレイ２０（図４７）に表示される第二レイヤの第二表示情報２２（図４８）は、入力受付状態と非入力受付状態が切り替えられる。
【０１７３】
なお、上述の説明において、切出し画面生成部３３（図４７）は、第二レイヤの第二表示情報２２（図４８）を、「非入力受付状態」を初期状態として生成するものとした。画面情報記憶部３３３（図３）に記憶される入力受付状態情報は「０」である。ここで、切出し画面生成部３３は、第二レイヤの第二表示情報２２を、「入力受付状態」を初期状態として生成してもよい。この場合、画面情報記憶部３３３に記憶される入力受付状態情報は「１」である。切出し画面生成部３３が、第二レイヤの第二表示情報２２を、「入力受付状態」を初期状態として生成する場合、第二レイヤの第二表示情報２２の状態は、次のように切り替えられる。即ち、第二レイヤの第二表示情報２２は、図４９に示されるフローチャートのステップＳ７０１からステップＳ７０５の処理により、ユーザのユーザによるタッチパネル１０へのタッチ操作に基づいて「入力受付状態」から「非入力受付状態」に切り替えられる。
【０１７４】
ディスプレイ２０（図４７）は、第二レイヤの第二表示情報２２（図４８）の状態を視覚的に示すために、次のように表示してもよい。情報端末１Ｃ（図４７）において、ディスプレイ２０は、第二レイヤの第二表示情報２２における表示態様を、「入力受付状態」と「非入力受付状態」に応じて、変更してもよい。例えば、第二レイヤの第二表示情報２２が「非入力受付状態」である場合、ディスプレイ２０は、第二レイヤの第二表示情報２２をグレーアウトにて表示する（図示せず）。第二レイヤの第二表示情報２２が「入力受付状態」である場合、ディスプレイ２０は、第二レイヤの第二表示情報２２を、図９に示されるように、通常の態様にて表示さする。このように、第二レイヤの第二表示情報２２の表示態様は、第二レイヤの第二表示情報２２の「入力受付状態」と「非入力受付状態」の状態に応じて変更される。そうすると、ステップＳ７０５（図４９）おいて、第二レイヤの第二表示情報２２の状態が切り換えられる際、次の利点がある。即ち、ユーザは、第二レイヤの第二表示情報２２の状態が、「入力受付状態」または「非入力受付状態」に切り替わることを、視覚的に認識することができる。
［３−３−５．  第３の実施形態における切出し画面への入力］
第３の実施形態において、ユーザによる第二レイヤの第二表示情報２２（図４８）に対するタッチ操作の結果を、第一レイヤの第一表示情報２１（図４８）へ反映させる、情報端末１Ｃ（図４７）の一連の動作を、以下のように説明する。なお、上述のように、第３の実施形態において、第二レイヤの第二表示情報２２は、「入力受付状態」と「非入力受付状態」の状態が設けられる。
【０１７５】
図５２は、本発明の第３の実施形態による情報端末における、切出し画面の入力受付状態及び非入力受付状態の切り替えを考慮した、切出し画面操作に係る情報制御処理の動作を示したフローチャートである。以下においては、図５２に示されるフローチャートと、図４７、図３、図１８に示される構成図を用いて説明する。
【０１７６】
なお、図５２に示されるフローチャートの、ステップＳ８０１からステップＳ８０３までの情報端末１Ｃ（図４７）の動作は、それぞれ、図２３に示されるフローチャートのステップＳ２０１からステップＳ２０３までの情報端末の動作と共通である。また、図５２に示されるフローチャートの、ステップＳ８０５からステップＳ８０７までの情報端末１Ｃの動作は、それぞれ、図２３に示されるフローチャートのステップＳ２０４からステップＳ２０６までの情報端末の動作と共通である。以下の説明において、図２３と共通するステップの説明は、省略される。
【０１７７】
まず、タッチパネル１０（図４７）は、ユーザによりタッチ操作が行なわれる（ステップＳ８０１）。操作対象検出部３１（図４７）は、ユーザによるタッチパネル１０へのタッチ操作の対象を検出する（ステップＳ８０２）。操作対象検出部３１により、ユーザによるタッチパネル１０へのタッチ操作が、第二レイヤの第二表示情報２２（図４８）に対する操作であると判定された場合（ステップＳ８０３：Ｙｅｓ）、フローチャート（図５２）の処理はステップＳ８０４に進む。入力制御部３７（図４７）は、第二レイヤの第二表示情報２２が入力受付状態であるか否かを判定する（ステップＳ８０４）。なお、操作対象検出部３１により、ユーザによるタッチパネル１０へのタッチ操作が、第二レイヤの第二表示情報２２（図４８）に対する操作であると判定されない場合（ステップＳ８０３：Ｎｏ）、フローチャート（図５２）の処理はステップＳ８０１に戻る。
【０１７８】
ステップ８０４において、入力制御部３７（図４７）は、以下の方法により、タッチ操作について判定する。ステップＳ８０４において、入力制御部３７は、図５１に示される、第二レイヤの第二表示情報２２のデータテーブル７２の、入力受付状態情報を参照する。入力制御部３７は、例えば、図５１におけるデータテーブル７２の、識別番号ｎ：「１」にて管理される、第二レイヤの第二表示情報２２の入力受付状態情報を参照する。入力制御部３７は、参照の結果、入力受付状態情報の値が「０」であれば、第二レイヤの第二表示情報は「非入力受付状態」であるので、ステップＳ８０４にて「Ｎｏ」と判定する。入力制御部３７は、参照の結果、入力受付状態情報の値が「１」であれば、第二レイヤの第二表示情報は「入力受付状態」であるので、ステップＳ８０４にて「Ｙｅｓ」と判定する。入力制御部３７が、ステップＳ８０４にて「Ｙｅｓ」と判定した場合、フローチャート（図５２）の処理はステップＳ８０５へ進む。入力制御部３７が、ステップＳ８０４にて「Ｎｏ」と判定した場合、フローチャート（図５２）の処理はステップＳ８０１へ戻る。
【０１７９】
入力制御部３７（図４７）が、ステップＳ８０４にて「Ｙｅｓ」と判定した場合、フローチャート（図５２）の処理はステップＳ８０５へ進み、次いでステップＳ８０６、ステップＳ８０７の処理が行われる。なお、ステップＳ８０５からステップＳ８０７までの情報端末１Ｃの動作は、図２３に示されるフローチャートの、ステップＳ２０４からステップＳ２０６までの情報端末の動作と同様である。情報端末１Ｃの動作は、ステップＳ８０５において、ユーザによるタッチパネル１０（図４７）へのタッチ操作に基づいて、第二レイヤの第二表示情報２２（図４８）が更新される。情報端末１Ｃの動作は、ステップＳ８０６において、第二レイヤの第二表示情報２２の更新に基づいて、第一レイヤの第一表示情報２１（図４８）が更新される。情報端末１Ｃの動作は、ステップＳ８０７において、更新された第二レイヤの第二表示情報２２が、更新された第一レイヤの第一表示情報２１の上に重ねた形式にて、ディスプレイ２０（図４７）に表示される。
［３−３−６．  第３の実施形態における変形例］
第３の実施形態における変形例では、第二レイヤの第二表示情報の生成時において、第二レイヤの第二表示情報を非入力受付状態とするとともに、第一レイヤの第一表示情報における、第二レイヤの第二表示情報の切出し元である範囲を非入力受付状態としてもよい。
【０１８０】
入力制御部３７（図４７）は、第一レイヤの第一表示情報における、第二レイヤの第二表示情報の切出し元となっている範囲を非入力受付状態とする処理を行う。例えば、図４８に示されるように、「質問１」に係る範囲が、第二レイヤの第二表示情報２２として生成されたならば、入力制御部３７は、次の処理を実行する。即ち、入力制御部３７は、第二レイヤの第二表示情報２２の情報が記憶されるデータテーブル７６（図５１）において、ここでは識別番号ｎ：「１」にて管理される入力受付状態情報の値を「０」とする。また、入力制御部３７は、入力受付状態情報の値を「０」とした第二レイヤの第二表示情報２２の識別番号、ここでは識別番号ｎ：「１」を取得する。そして、入力制御部３７は、取得した識別番号ｎ：「１」に基づき、第一レイヤの第一表示情報２１の情報が記憶されるデータテーブル７５（図５０）を参照する。そして、入力制御部３７は、データテーブル７５において、取得した識別番号と同じ識別番号、ここでは識別番号ｎ：「１」にて管理される情報に対して、入力受付状態情報の値「０」を付与する（図示せず）。なお、データテーブル７５において、入力受付状態情報の欄は、当該変形例の処理が行われる際に追加されてもよい。以上の処理により、図４８において、第一レイヤの第一表示情報２１における「質問１」の四角形の範囲、即ちデータテーブル７５に記憶される、表示領域座標情報により定められる範囲が、非入力受付状態となる。
【０１８１】
上述のように、入力制御部３７（図４７）は、第二レイヤの第二表示情報２２（図４８）の切出し元である、第一レイヤの第一表示情報２１（図４８）の範囲（ここでは、質問１に係る表示情報）を、非入力受付状態とする。なお、入力制御部３７が非入力受付状態とした、第一レイヤの第一表示情報における範囲は、次の条件により入力受付状態に戻される。条件は、第二レイヤの第二表示情報２２の表示が終了されたことである（例えば、上述される［３−２−５．  操作通知情報］の（３−２−５−３．  処理動作）を参照）。入力受付状態に戻される場合、入力制御部３７により入力受付状態情報の値は「０」から「１」に変更される。また、入力制御部３７が非入力受付状態とした第一レイヤに第一表示情報２１における範囲は、ディスプレイ２０における表示態様を変更してもよい。表示態様の変更は、例えば、非入力受付状態ではグレーアウトさせ、入力受付状態では、通常表示させる等である。
［３−３−７．  第３の実施形態による効果］
以上、説明したように、第３の実施形態による情報端末１Ｃ及び制御装置３０Ｃは、ユーザによるタッチパネル１０へのタッチ操作に基づいて切出された、第二レイヤの第二表示情報２２（切出し画面）について、二つの状態を設ける。一つの状態は、ユーザによるタッチパネル１０の操作に基づくタッチ操作を受け付ける「入力受付状態」である。もう一つの状態は、タッチ操作を受け付けない「非入力受付状態」である。更に、第３の実施形態による情報端末１Ｃ及び制御装置３０Ｃは、タッチパネル１０による所定の操作に基づいて、第二レイヤの第二表示情報２２（切出し画面）における「入力受付状態」と「非入力受付状態」の切り替えを可能とする。第３の実施形態における情報端末１Ｃ及び制御装置３０Ｃの構成により、ユーザは、情報端末１Ｃのディスプレイ２０に表示される切出し画面を、入力を行なわない時は「非入力受付状態」とすることが可能となる。またユーザは、「非入力受付状態」とした切出し画面を、所定の操作により「入力受付状態」とすることが可能となる。これにより、ユーザは、切出し画面に対して誤入力することなく、情報端末１Ｃを使用することが可能となる。
＜３−４．  第４の実施形態＞
第４の実施形態による情報端末及び情報制御装置を、上述の図１２と図２３、及び図５３〜図６１を用いて説明する。ここで、図５３は、第４の実施形態による情報端末の構成を示した説明図である。図５４と図５９（ａ）、（ｂ）は、第４の実施形態による情報端末における、情報端末の外観、情報端末のディスプレイの表示、及びユーザによる情報端末の基本操作と切出し画面生成操作の様子を模式的に示した説明図（その１〜その２）である。図５５、図５８、図６０、図６１は、第４の実施形態による、切出し画面生成に係る情報制御処理を行うためのデータテーブルを模式的に示した説明図（その１〜その４）である。図５６と図５７は、本発明の実施形態による情報端末における、表示情報の全体像及び表示情報における座標設定を模式的に示した説明図（その１〜その２）である。
【０１８２】
また、後述される第４の実施形態における変形例による情報端末及び情報制御装置を、図６２〜図６４を用いて説明する。ここで、図６２は、第４の実施形態における変形例による、情報端末の外観、情報端末のディスプレイの表示、及びユーザによる情報端末の基本操作と切出し画面生成操作の様子を模式的に示した説明図である。図６３は、第４の実施形態における変形例よる情報端末の構成を示した説明図である。図６４は、第４の実施形態における変形例による、切出し画面生成に係る情報制御処理を行うためのデータテーブルを模式的に示した説明図である。
【０１８３】
第４の実施形態による情報端末及び情報制御装置は、第１の実施形態による情報端末及び情報制御装置における構成、処理動作を、ウェブページを利用した商取引に適用する。商取引は、例えばネットスーパーである。第４の実施形態による情報端末及び情報制御装置は、情報端末のディスプレイに表示される第一レイヤの第一表示情報を、ウェブページによる商取引、例えばネットスーパーに適用する。なお、第１の実施形態による情報端末及び情報制御装置における構成、処理動作は、＜３−１．  第１の実施形態＞にて説明した通りである。
［３−４−１．  第４の実施形態に係る情報端末の全体構成］
図５３に示されるように、第４の実施形態による情報端末１Ｄは、タッチパネル１０と、ディスプレイ２０と、制御装置３０Ｄを備える。更に制御装置３０Ｄは、操作対象検出部３１と、入力処理部３２と、切出し画面生成部３３と、画面制御部３４と、切出し画面操作部３５と、通信部４０と、記憶部５０と、制御部６０とを備える。切出し画面生成部３３は、切出し範囲決定部３３１と、実行部３３２と、画面情報記憶部３３３を備える。切出し画面操作部３５は、第一更新部３５１と、第三更新部３５３を備える。記憶部５０は、記憶媒体５１と、メモリ５２を備える。なお、第４の実施形態による情報端末１Ｄの各構成要素（タッチパネル１０から制御部６０）は、切出し画面操作部３５における第三更新部３５３を除いて、第１の実施形態による情報端末１Ａの構成と同じである。切出し画面操作部３５における第三更新部３５３は、第４の実施形態による情報端末１Ｄに、追加される構成である。第三更新部３５３は、第一更新部３５１により更新された第二レイヤの第二表示情報２２と、画面情報記憶部３３３に記憶される第一レイヤの第一表示情報２１とに基づいて、第一レイヤの第一表示情報２１を更新する。但し、第三更新部３５３は、第１の実施形態による情報端末１Ａの第二更新部３５２（図１７）と以下の点で異なる。即ち、第三更新部３５３は、第一更新部３５１により第二レイヤの第二表示情報２２が更新されると、第一レイヤの第一表示情報２１における切出し範囲２１２と異なる範囲の第一レイヤの表示情報を更新する。第三更新部３５３の動作については後述される。
【０１８４】
制御装置３０Ｄにおける各処理部は、具体的には、コンピュータによるプログラムの実行により実現される。
［３−４−２．  処理動作］
第４の実施形態における情報端末１Ｄについて、第二レイヤの第二表示情報２２の生成、及び、第二レイヤの第二表示情報２２の更新に基づく第一レイヤの第一表示情報２１の更新を、以下に説明する。
（３−４−２−１．  切出し画面の生成と表示）
第４の実施形態による情報端末１Ｄにおいて、第二レイヤの第二表示情報２２が生成される一連の処理動作は、＜＜２．情報制御処理の基本動作＞＞の＜２−２．  切出し画面の生成と表示＞にて説明した通りである。第４の実施形態において、第二レイヤの第二表示情報２２は、図１２に示されるフローチャートの一連の処理動作に従って生成される。即ち、第二レイヤの第二表示情報２２は、切出し範囲に基づいて生成される。ここで、切出し範囲は、ユーザによるタッチパネル１０へのタッチ操作に基づいて、ディスプレイ２０に表示される第一レイヤの第一表示情報２１から切出し範囲が選択される。以下、第二レイヤの第二表示情報２２が生成される一連の処理動作を、図１２を用いて説明する。
【０１８５】
まず、ユーザによる情報端末１Ｄの操作、または予め情報端末１Ｄに設定されたアプリケーションの起動等に基づいて、制御部６０（図５３）は、例えばウェブブラウザ等の任意のアプリケーションを起動する（図１２のステップＳ１０１）。このとき、ディスプレイ２０は、図５４に示されるように、第一レイヤの第一表示情報２１を表示する。なお、第４の実施形態においては、第一レイヤの第一表示情報２１は、ウェブページによる商取引のための画面、例えばネットスーパーに関する表示情報とする。
【０１８６】
例えば、図５４に示されるように、ディスプレイ２０に表示される第一レイヤの第一表示情報２１は、ネットスーパーに関する表示情報として複数の商品が表示される。複数の商品について、各商品２１０−１に対して商品に関する情報２１０−２が表示されるとともに、商品を購入対象とするための商品選択ボタン２１１が、商品ごとに表示される。ディスプレイ２０に表示される表示情報は、例えば「洗剤」の複数の商品が表示される。そして、商品ごとに商品選択ボタン２１１が表示される。商品選択ボタン２１１は、ここでは「カートに入れる」と表示されるボタンである。商品選択ボタン２１１は、タッチパネル１０によりタッチ操作可能なオブジェクトである。ユーザによるタッチパネル１０へのタッチ操作に基づいて商品選択ボタン２１１が操作されると、操作された商品選択ボタン２１１に関連付けられた商品（例えば「１．△△洗剤  ８００グラム」）は購入対象として選択される。第一レイヤの第一表示情報２１において、「カートに［０］点の商品が入っています」の表示は、「カートに［１］点の商品が入っています」等と更新される。第一レイヤの第一表示情報２１における操作可能なオブジェクトに対するタッチ操作、ここでは商品選択ボタンへのタッチ操作に基づく処理は、入力処理部３２（図５３）により実行される。
【０１８７】
第一レイヤの第一表示情報２１の情報は、画面情報記憶部３３３（図５３）に記憶される。第４の実施形態において、第一レイヤの第一表示情報２１は、ディスプレイ２０に表示される項目の一つである商品選択に関する情報が、データテーブルを用いて画面情報記憶部３３３に記憶される。
【０１８８】
図５５に示されるデータテーブル７７は、画面情報記憶部３３３（図５３）に記憶される第一レイヤの第一表示情報２１の情報の一例である。
【０１８９】
データテーブル７７は、識別番号ｎと、商品に関する第一表示情報の内容とを、一対とした形式にて、情報を管理する。
【０１９０】
第一表示情報の内容は、商品識別情報、商品テキスト情報、商品画像情報、ボタンオブジェクト情報、表示領域座標情報、ボタンオブジェクト表示位置座標情報、操作先識別番号情報を有する。
【０１９１】
データテーブル７７において、例えば、識別番号ｎ：「１」にて管理される第一表示情報の内容は、次の情報である。
【０１９２】
商品識別情報は、「１」である。
【０１９３】
商品のテキスト情報は、「△△洗剤  ８００グラム」「内容量 ：８００グラム」「販売価格 ：３００円」（いずれも文字情報）である。
【０１９４】
商品画像情報は、「００１．ｊｐｇ（画像ファイル情報）」である。
【０１９５】
ボタンオブジェクト情報は、「カートに入れる．ｊｐｇ（画像ファイル情報）」（操作可能なオブジェクト情報）である。なお、第４の実施形態において、操作可能なボタンオブジェクトである「ボタン」は、ユーザによるタッチパネル１０へのタッチ操作に応じた処理が規定される画像情報である。「ボタン」の一例は、ウェブページにおける、ハイパーリンクが設定された画像情報である。
【０１９６】
表示領域座標情報は、「（Ｘ３，Ｙ９），（Ｘ３，Ｙ１０），（Ｘ４，Ｙ１０），（Ｘ４，Ｙ９）」である。表示領域座標情報は、図５６に示されるように、商品情報がウェブページ中に配置される座標情報、例えば四角形の領域の四隅（左上、左下、右下、右上）の座標である。
【０１９７】
ボタンオブジェクト表示位置座標情報は、「（Ｘｂ１，Ｙｂ４），（Ｘｂ１，Ｙｂ５），（Ｘｂ２，Ｙｂ５），（Ｘｂ２，Ｙｂ４）」である。ボタンオブジェクト表示位置座標情報は、図５７に示されるように、商品選択ボタンがウェブページ中に配置される座標情報、例えば四角形の領域の四隅（左上、左下、右下、右上）の座標である。
【０１９８】
操作先識別番号情報は、「０」である。操作先識別番号情報は、第三更新部３５３（図５３）による第二レイヤの第二表示情報２２の更新に基づく第一レイヤの第一表示情報２１の更新において用いられる。なお、第三更新部３５３の動作は後述される。
【０１９９】
また、データテーブル７７において、例えば、識別番号ｎ：「０」にて管理される第一表示情報の内容は、次の情報である。
【０２００】
商品テキスト情報は、「カートに［０］点の商品が入っています」（文字情報）である。
【０２０１】
表示領域座標情報は、「（Ｘ３，Ｙ７），（Ｘ３，Ｙ８），（Ｘ４，Ｙ８），（Ｘ４，Ｙ７）」である。表示領域座標情報は、図５６に示されるように、文字情報がウェブページ中に配置される座標情報、例えば四角形の領域の四隅（左上、左下、右下、右上）の座標である。
【０２０２】
識別番号ｎ：「０」にて管理される第一表示情報の内容は、商品識別情報、商品画像情報、ボタンオブジェクト情報、ボタンオブジェクト表示位置座標情報、操作先識別番号情報を持たない。また、識別番号ｎ：「０」にて管理される第一表示情報の内容のうちの、商品テキスト情報は、第二レイヤの第二表示情報２２の更新に基づいて、更新される。データテーブル７７において、商品テキスト情報は、例えば、文字情報「カートに［０］点の商品が入っています」が、「カートに［１］点の商品が入っています」と更新される。この更新に係る処理は、後述される。
【０２０３】
次に、切出し画面生成アプリケーションが起動される（図１２のステップＳ１０２）。
【０２０４】
次に、タッチパネル１０（図５３）は、ユーザによりタッチ操作が行われると（図１２のステップＳ１０３）、タッチパネル１０がタッチ操作された座標の情報を含むタッチ操作信号を、切出し範囲決定部３３１（図５３）に送信する。切出し範囲決定部３３１は、切出し範囲選択のタッチ操作を検出する（図１２のステップＳ１０４）。ここで、切出し範囲決定部３３１が、切出し範囲を選択するためのタッチ操作を検出すれば（ステップＳ１０４：Ｙｅｓ）、フローチャート（図１２）の処理はステップＳ１０５に進む。切出し範囲決定部３３１が、切出し範囲を選択するためのタッチ操作を検出しなければ（ステップＳ１０４：Ｎｏ）、フローチャート（図１２）の処理はステップＳ１０３に戻る。切出し範囲決定部３３１は、タッチ操作信号に基づいて、第一レイヤの第一表示情報２１における切出し範囲２１２（図５４）を決定する（図１２のステップＳ１０５）。ステップＳ１０５における切出し範囲決定部３３１の詳細な処理動作は、＜２−２．  切出し画面の生成と表示＞にて説明した通りである。上述の説明においては、図５５に示されるデータテーブル７７において、識別番号ｎ：「１」にて管理される商品「△△洗剤  ８００グラム」が、切出し範囲２１２として選択されたものとする。
【０２０５】
ユーザによるタッチパネル１０（図５３）を用いた切出し範囲の選択は、＜２−２．  切出し画面の生成と表示＞にて説明した通りである。例えば、切出し範囲決定部３３１（図５３）は、ディスプレイ２０（図５３）に表示される第一レイヤの第一表示情報２１のうち、切出す範囲の外周が、ユーザの指８でなぞるように操作されたことを検出して、切出し範囲２１２を選択する。（図５４）。
【０２０６】
次に、実行部３３２（図５３）は、切出し範囲決定部３３１（図５３）により決定された、第一レイヤの第一表示情報２１における切出し範囲２１２（図５４）に基づいて、第二レイヤの第二表示情報２２を生成する（図１２のステップＳ１０６）。実行部３３２の、ステップＳ１０６における詳細な処理動作は＜２−２．  切出し画面の生成と表示＞にて説明した通りである。実行部３３２は、切出し範囲決定部３３１により決定された、第一レイヤの第一表示情報２１において切出し範囲２１２に含まれる情報と、第一レイヤの第一表示情報２１における切出し範囲２１２の座標情報を、第二レイヤの第二表示情報２２として生成する。実行部３３２は、生成した第二レイヤの第二表示情報２２を、画面情報記憶部３３３（図５３）に記憶させる。
【０２０７】
図５８は、画面情報記憶部３３３が、第二レイヤの第二表示情報２２を、データテーブルにて記憶する一例である。図５８のデータテーブル７８は、第二レイヤの第二表示情報２２の表示情報の内容が記憶される。この第二レイヤの第二表示情報２２の表示情報の内容は、図５５に示される、第一レイヤの第一表示情報２１のデータテーブル７７のうち、識別番号ｎ：「１」にて管理される第一表示情報の内容と同じ内容である。なお、ディスプレイ２０において、第二レイヤの第二の表示情報２２は、第一レイヤの第一表示情報２１の上に重ねて表示される。そのため、図５８のデータテーブル７８において、識別番号ｎ：「１」にて管理される、第二表示情報の内容である表示領域座標情報は、図５５のデータテーブル７７の識別番号ｎ：「１」にて管理される、第一レイヤの第一表示情報２１の第一表示情報の表示領域座標情報が補正形式である。
【０２０８】
このように、実行部３３２（図５３）は、第一レイヤの第一表示情報２１における切出し範囲２１２（図５４）と同じ表示情報である、第二レイヤの第二表示情報２２を生成する。実行部３３２は、生成した第二レイヤの第二表示情報２２を、画面情報記憶部３３３に記憶させる。
【０２０９】
最後に、画面制御部３４（図５３）は、図５９（ａ）に示されるように、第一レイヤの第一表示情報２１と、実行部３３２（図５３）で生成された第二レイヤの第二表示情報２２を、第一レイヤの第一表示情報２１の上に重ねた形式にてディスプレイ２０（図５３）に表示させる（図１２のステップＳ１０７）。
【０２１０】
なお、実行部３３２（図５３）は、第二レイヤの第二表示情報２２は、ユーザによりタッチパネル２０がタッチ操作されたことに基づいて、ディスプレイ１０（図５３）の表示領域の範囲内で、表示位置が移動され、表示サイズが拡大、縮小される。これは、＜２−３．  切出し画面の移動、拡大、縮小＞にて説明した通りである。
（３−４−２−２．  第二レイヤの第二表示情報２２の更新に基づく第一レイヤの第一表
示情報２１の更新）
第４の実施形態による情報端末１Ｄにおいて、第二レイヤの第二表示情報２２の更新に基づいて、第一レイヤの第一表示情報２１が更新される一連の処理動作は、＜３−１．  第１の実施形態＞の［３−１−３．  処理動作］にて説明した処理動作の一部が変更されたものである。
【０２１１】
まず、タッチパネル１０（図５３）は、ユーザによりタッチ操作が行なわれる（図２３のステップＳ２０１）。操作対象検出部３１（図５３）は、タッチ操作に基づいたタッチ操作信号をタッチパネル１０から受信する。操作対象検出部３１は、タッチパネル１０がタッチ操作された位置の座標情報と、ディスプレイ２０における表示情報の表示位置の情報とを照合する。ここで、ディスプレイ２０における表示情報の表示位置の情報は、画面情報記憶部３３３（図５３）に記憶され、上述の図５５及び図５８に示されるデータテーブルにて管理される。表示情報の表示位置の情報は、データテーブルにおいて、識別番号ｎにて管理される、第一表示情報の内容における表示領域座標情報（図５５）、及び識別番号ｎにて管理される、第二表示情報の内容における表示領域座標情報（図５８）である。操作対象検出部３１は、タッチパネル１０がタッチ操作された位置の座標情報と、ディスプレイ２０における表示情報の表示位置の情報とを照合することにより、ユーザによるタッチパネル１０へのタッチ操作が、第一レイヤの第一表示情報２１（図５４）に対するタッチ操作であるのか、第二レイヤの第二表示情報２２に対するタッチ操作であるのかを検出する（図２３のステップＳ２０２）。
【０２１２】
操作対象検出部３１（図５３）が、ユーザによるタッチパネル１０へのタッチ操作が、第二レイヤの第二表示情報２２に対する操作であると判定した場合（図２３のステップＳ２０３：Ｙｅｓ）、フローチャート（図２３）の処理はステップＳ２０４に進む。操作対象検出部３１が、ユーザによるタッチパネル１０へのタッチ操作が、第二レイヤの第二表示情報２２に対する操作ではないと判定した場合（図２３のステップＳ２０３：Ｎｏ）、フローチャート（図２３）の処理はステップＳ２０１に戻る。
【０２１３】
ステップＳ２０３において、操作対象検出部３１（図５３）が「Ｙｅｓ」と判定した場合、次に、第一更新部３５１（図５３）は、ユーザによるタッチパネル１０（図５３）へのタッチ操作に基づくタッチ操作信号を受信し、タッチ操作信号と、画面情報記憶部３３３（図５３）に記憶される第二レイヤの第二表示情報２２の情報とに基づいて、第二レイヤの第二表示情報２２を更新する（図２３のステップＳ２０４）。
【０２１４】
ステップＳ２０３における第一更新部３５１（図５３）の詳細な動作は、次の通りである。第一更新部３５１は、ユーザによりタッチ操作された、第二レイヤの第二表示情報２２の識別番号ｎを取得する。ここでは、取得される識別番号ｎは「１」である。第一更新部３５１は、識別番号ｎ：「１」を取得すると、第二レイヤの第二表示情報２２の内容のうち、識別番号ｎ：「１」にて管理される、操作先識別番号情報を取得する。図５８に示されるデータテーブル７８によれば、第二レイヤの第二表示情報２２の内容のうち、識別番号ｎ：「１」にて管理される、操作先識別番号情報は「０」である。第一更新部３５１は、第二レイヤの第二表示情報２２における操作先識別番号を取得すると、当該操作先識別番号「０」を第三更新部３５３（図５３）へ送信する。また、第一更新部３５１は、データテーブル７８において識別番号ｎ：「１」にて管理される第二レイヤの第二表示情報を、図６０に示されるデータテーブル７８のように更新する。例えば、図６０に示されるデータテーブル７８において、識別番ｎ：「１」にて管理される商品テキスト情報を、「カートに商品が投入されました」に更新する。なお、表示領域座標情報は維持される。商品識別情報、商品画像情報、ボタンオブジェクト情報、ボタンオブジェクト表示位置座標情報、操作先識別番号情報のそれぞれの値、内容は、データテーブル７８から消去される。
【０２１５】
即ち、図６０のデータテーブル７８に示されるように、第一更新部３５１（図５３）は、第二レイヤの第二表示情報２２を次のように更新する。即ち、第一更新部３５１は、識別番号ｎ：「１」にて管理される第二表示情報において、商品テキスト情報、商品画像情報、表示領域情報を有するものから、商品テキスト情報と表示領域情報のみ有するものへと更新する。
【０２１６】
次に、第三更新部３５３（図５３）は、第一更新部３５１（図５３）により第二レイヤの第二表示情報２２が更新されると、第一レイヤの第一表示情報２１を更新する（図２３のステップＳ２０５）。
【０２１７】
第三更新部３５３（図５３）は、第一更新部３５１（図５３）より、操作先識別番号を受信する。ここでは、第三更新部３５３は、第一更新部３５１より、操作先識別番号は「０」を受信する。第三更新部３５３は、操作先識別番号に基づいて、第一レイヤの第一表示情報２１のデータテーブル７７（図５５）を参照する。図５５に示されるデータテーブル７７によれば、操作先識別番号「０」と値が一致する識別番号ｎ：「０」にて管理される第一表示情報の内容は、商品テキスト情報と、表示領域座標情報を有している。第三更新部３５３は、操作先識別番号「０」と値が一致する識別番号ｎ：「０」にて管理される第一表示情報のうち、商品テキスト情報を更新する（図２３のステップＳ２０５）。例えば、第三更新部３５３は、図６１のデータテーブル７７に示されるように、識別番号ｎ：「０」にて管理される第一表示情報のうち、商品テキスト情報である「カートに［０］点の商品が入っています」を、「カートに［１］点の商品が入っています」に更新する。
【０２１８】
次に、画面制御部３４（図５３）は、第一更新部３５１（図５３）により更新された第二レイヤの第二表示情報２２と、第三更新部３５３（図５３）により更新された第一レイヤの第一表示情報２１とに基づく画面制御信号を、ディスプレイ２０（図５３）に送信する。
【０２１９】
ここで、第一更新部３５１（図５３）により更新された第二レイヤの第二表示情報２２は、図６０に示されるデータテーブル７８において、記載の識別番号ｎ：「１」にて管理される情報に基づく表示情報である。
【０２２０】
また、第三更新部３５３（図５３）により更新された第一レイヤの第一表示情報２１は、図６１に示されるデータテーブル７７において、識別番号ｎ：「０」を含む、各識別番号ｎにて管理される情報に基づく表示情報である。この表示情報は、ディスプレイ２０の表示領域に含まれる表示情報である。
【０２２１】
最後に、ディスプレイ２０（図５３）は、画面制御部３４（図５３）にて生成された画面制御信号に基づいて、更新された第二レイヤの第二表示情報２１を、更新された第一レイヤの第一表示情報２１の上に重ねた形式にて表示する（図２３のステップＳ２０６）。具体的には、ディスプレイ２０は、第二レイヤの第二表示情報２２を、更新された第二レイヤの第二表示情報２２（図５９（ｂ））に変更して表示する。ここで、図５９（ａ）において、第二レイヤの第二表示情報２２は、商品に係る情報が表示される。対して、図５９（ｂ）において、更新された第二レイヤの第二表示情報２２は、カートに商品が投入されたことを示すメッセージが表示される。表示されるメッセージは、第二レイヤの第二表示情報２２の情報を記憶するデータテーブル７８（図６０）の商品テキスト情報に基づくメッセージである。なお、実行部３３２（図５３）は、画面情報記憶部３３３（図５３）に記憶される、更新された第二レイヤの第二表示情報２２（図５９（ｂ））を、例えば所定の時間の経過後に、データテーブル７８（図６０）から消去してもよい。画面制御部３４は、更新された第二レイヤの第二表示情報２２（図５９（ｂ））の表示を、所定の時間経過した後に終了するように、ディスプレイ２０を制御する。ディスプレイ２０は、画面制御部３４の画面制御に基づいて、更新された第二レイヤの第二表示情報２２（図５９（ｂ））の表示を終了する。
【０２２２】
なお、第４の実施形態における情報端末１Ｄ及び制御装置３０Ｄ（図５３）において、第二レイヤの第二表示情報２２（切出し画面）は、複数でもよい。第二レイヤの第二表示情報２２が複数である場合、図５８に示される第二レイヤの第二表示情報２２のデータテーブル７８において、複数の識別番号ｎ（例えばｎ：「１」、「２」、・・・）にて、第二レイヤの第二表示情報２２の内容が管理される。また情報端末１Ｄのディスプレイ２０（図５３）における表示においても、複数の第二レイヤの第二表示情報２２が表示される。第二レイヤの第二表示情報２２が複数である場合の、第４の実施形態における変形例は、後述の（３−４−２−２．  第４の実施形態における変形例）にて説明する。
［３−４−３．  第４の実施形態による効果］
以上、説明したように、第４の実施形態による情報端末１Ｄ及び制御装置３０Ｄは、ユーザによるタッチパネル１０へのタッチ操作に基づいて切出された、第二レイヤの第二表示情報２２に対してタッチ操作が行なわれると、タッチ操作に基づいて第二レイヤの第二表示情報２２を更新する。そして、情報端末１Ｄ及び制御装置３０Ｄは、第二レイヤの第二表示情報２２の更新に基づいて、第一レイヤの第一表示情報２１を更新する。第４の実施形態による情報端末１Ｄ及び制御装置３０Ｄにおいて、更新される第一レイヤの第一表示情報２１は、第一レイヤの第一表示情報２１における切出し範囲２１２と異なる範囲の表示情報である。第４の実施形態における情報端末１Ｄ及び制御装置３０Ｄの構成により、ユーザは、情報端末１Ｄのディスプレイ２０に表示される切出し画面を、ウェブページによる商取引、例えばネットスーパーに適用することができる。
［３−４−４．  第４の実施形態における変形例］
上述される通り、第４の実施形態における情報端末１Ｄ及び制御装置３０Ｄにおいて、第二レイヤの第二表示情報２２（切出し画面）は、複数でもよい。第二レイヤの第二表示情報２２が複数である場合の、第４の実施形態における第一の変形例を、以下に説明する。
【０２２３】
情報端末１Ｄのディスプレイ２０に表示される第二レイヤの第二表示情報２２が、複数である場合の、第４の実施形態における第一の変形例の構成と動作は、次の通りである。第一の変形例において、情報端末１Ｄ（図６３）は、複数の第二レイヤの第二表示情報２２に含まれる複数の操作可能なボタンオブジェクトを代表する、新たな操作可能なボタンオブジェクトを生成し、生成した新たな操作可能なボタンオブジェクトをディスプレイ２０に表示する。なお、新たな操作可能なボタンオブジェクトは、第一レイヤの表示情報の一つとして、ボタン生成部３８（図６３）により生成される。ボタン生成部３８（図６３）は、第４の実施形態における制御装置３０Ｄ（図５３）に追加される処理部である。なお、ユーザのタッチパネル１０（図５３）へのタッチ操作により、ボタンオブジェクトに対してタッチ操作が行われると、操作対象検出部３１は、ユーザによるタッチパネル１０へのタッチ操作の対象として、第一レイヤにおける新たな操作可能なボタンオブジェクトを検出する。
【０２２４】
例えば、図６２（ａ）に示されるように、情報端末１Ｄのディスプレイ２０（図６３）に、第二レイヤの第二表示情報２２が複数、例えば２つ表示されているとする。以下の説明において、便宜的に、それぞれの第二レイヤの第二表示情報２２を、第二レイヤの第二表示情報２２Ａ、第二レイヤの第二表示情報２２Ｂとする。第二レイヤの第二表示情報２２の情報を記憶するデータテーブル（例えば、図５８におけるデータテーブル７８）には、例えば、図５５に示される第一レイヤの第一表示情報２１の情報を記憶するデータテーブル７７のうち、第二レイヤの第二表示情報２２Ａ及び２２Ｂに対応する情報が、コピーされ、記憶される（図示せず）。なお、データテーブル７７（図５５）において、次の情報がコピーされる。一方は、識別番号ｎ：「１」にて管理される、第二レイヤの第二表示情報２２Ａの基である、第一レイヤの第一表示情報２１の情報である。他方は、識別番号ｎ：「２」にて管理される、第二レイヤの第二表示情報２２Ｂの基である、第一レイヤの第一表示情報２１に対応する情報である。ここで、第二レイヤの第二表示情報２２Ａ及び２２Ｂに対応する情報のコピーは、第一更新部３５１（図６３）にて処理され、第二レイヤの第二表示情報２２Ａ及び２２Ｂに対応する情報は、第一更新部３５１にて処理され、画面情報記憶部３３３（図６３）に記憶される。
【０２２５】
ここで、タッチパネル１０（図６３）は、ユーザにより、第二レイヤの第二表示情報２２Ａ及び２２Ｂを一括して選択するタッチ操作が行われるとする。第二レイヤの第二表示情報２２Ａ及び２２Ｂを一括して選択するタッチ操作は、例えば、図６２（ａ）に示されるように、２２Ａ及び２２Ｂを含む領域の周囲２１６を、指８で囲むタッチ操作である。操作対象検出部３１（図５３）は、このタッチ操作に基づき、複数の第二レイヤの第二表示情報２２Ａ及び２２Ｂが、一括して選択されたものと判定する。ボタン生成部３８（図６３）は、操作対象検出部３１による判定に基づき、一括して選択された第二レイヤの第二表示情報２２Ａ及び２２Ｂに対応する識別番号ｎを、第二レイヤの第二表示情報２２の情報を記憶するデータテーブル（例えば図５８のデータテーブル７８）から取得する。なお、図５８のデータテーブル７８において、第二レイヤの第二表示情報２２Ａに対応する識別番号ｎは「１」である。第二レイヤの第二表示情報２２Ｂに対応する識別番号ｎは、「２」である（図示せず）。ボタン生成部３８は、取得した識別番号に基づいて、第一レイヤの第一表示情報の情報を記憶するデータテーブル（例えば図５５のデータテーブル７７）を参照する。        
図５５のデータテーブル７７によれば、識別番号ｎ：「１」、及び識別番号ｎ：「２」にて管理される第一表示情報の、操作先識別番号情報は共に「０」である。ボタン生成部３８は、この操作先識別番号情報「０」を取得する。なお、識別番号ｎ：「１」にて管理される情報に基づく、第二レイヤの第二表示情報２２Ａの操作可能なボタンオブジェクト（商品選択ボタン）がユーザにより操作されると、操作先の表示情報は、変更される。ここで、操作先の表示情報は、データテーブル７７における、識別番号ｎ：「０」にて管理される情報に基づく表示情報である。変更される操作先の表示情報は、データテーブル７７における、識別番号ｎ：「０」にて管理される商品テキスト情報である。同様に、識別番号ｎ：「２」にて管理される情報に基づく、第二レイヤの第二表示情報２２Ｂの操作可能なボタンオブジェクト（商品選択ボタン）がユーザにより操作されると、操作先の表示情報は、変更される。ここで、操作先の表示情報は、データテーブル７７における、識別番号ｎ：「０」にて管理される情報に基づく表示情報である。即ち、第二レイヤの第二表示情報２２Ａ及び２２Ｂに係る操作先識別番号情報が共に「０」であることは、第二レイヤの第二表示情報２２Ａ及び２２Ｂの操作可能なボタンオブジェクト（商品選択ボタン）は、操作先の表示情報が共通であることを意味する。
【０２２６】
ボタン生成部３８（図６３）は、操作先識別番号情報「０」を取得すると、取得された識別番号ｎにて管理される第一表示情報のボタンオブジェクト情報と、操作先識別番号情報に基づいて、新たなボタンオブジェクト２１５（図６２（ａ））を生成する。なお、ボタン生成部３８が取得した識別番号ｎは「１」、「２」である。ボタン生成部３８が所得した操作先識別番号情報は「０」である。
ボタン生成部３８（図６３）は、取得した識別番号ｎである「１」、「２」、及び操作先識別番号情報「０」に基づいて、ボタンオブジェクト２１５（図６２（ａ））を生成する。ボタン生成部３８は、第一レイヤの第一表示情報２１の情報（ここでは、図５５のデータテーブル７７）のうち、取得した識別番号ｎである「１」、「２」、にて管理される情報の一部をコピーし、ボタンオブジェクト２１５の情報として生成する。ボタン生成部３８は、生成されたボタンオブジェクト２１５の情報を、画面情報記憶部３３３（図６３）に記憶させる。ここで、ボタンオブジェクト２１５の情報の一例は、段落０２８９で後述されるように、文字情報「カートに入れる」である。更に、ボタン生成部３８は、操作先識別番号情報「０」に基づいて、画面情報記憶部３３３（図６３）に記憶させた、ボタンオブジェクト２１５の情報に、更に情報を付加する。ボタン生成部３８は、情報が付加されたボタンオブジェクト２１５の情報を、画面情報記憶部３３３（図６３）に記憶させる。ここで、付加される情報の一例は、段落０２８９で後述されるように、取得した識別番号ｎである「１」、「２」、にて管理される情報において一括して操作されることを示す、文字情報「一括して」であるので、情報が付加されたボタンオブジェクト２１５の情報の一例は、「一括してカートに入れる」である。ボタン生成部３８は、上述のように、ボタンオブジェクト２１５を生成する。
【０２２７】
ボタン生成部３８（図６３）による、ボタンオブジェクト２１５（図６２（ａ））の生成を、図６４を用いて説明する。図６４は、本発明の第４の実施形態における変形例による、切出し画面生成に係る情報制御処理を行うためのデータテーブルを模式的に示した説明図である。図６４に示されるデータテーブル７７は、例えば図５５に示されるデータテーブルに、ボタンオブジェクト２１５の項目が追加されたものである。ボタンオブジェクト２１５の情報は、「一括投入数情報」が追加される。
【０２２８】
データテーブル７７において、ボタンオブジェクト２１５の内容は、次の情報である。
【０２２９】
識別番号ｎは「９９９」である。
【０２３０】
なお、ボタンオブジェクト２１５の内容における、識別番号ｎは、次のように設定される。
【０２３１】
識別番号ｎは、任意の番号が設定される。但し、ボタンオブジェクト２１５における識別番号ｎは、付与可能な番号のうち最大の番号を付与する等が好ましい。最大の番号を付与する等は、ボタンオブジェクト２１５の内容における識別番号ｎが、他の表示情報に付与される識別番号ｎと重複しないようにするためである。
【０２３２】
商品識別情報は、設定されておらず、データテーブル７７において、空白である。
【０２３３】
商品のテキスト情報は、設定されておらず、データテーブル７７において、空白である。
【０２３４】
商品画像情報は、設定されておらず、データテーブル７７において、空白である。
【０２３５】
ボタンオブジェクト情報は、次のように設定される。
【０２３６】
ボタン生成部３８（図６３）が、ボタンオブジェクト２１５を生成する際に用いる画像情報は、第一レイヤの第一表示情報における識別番号ｎ：「１」、または識別番号ｎ：「２」にて管理されるボタンオブジェクト情報が流用される。例えば、「「カートに入れる．ｊｐｇ（画像情報）」」が流用される。なお、ボタンオブジェクト２１５の生成に用いるための画像情報は、予め用意されていてもよい。例えば、図６２（ａ）に示されるように、「一括してカートに入れる」等と表示されるボタンオブジェクト２１５を生成するならば、図６４に示されるデータテーブル７７において、識別番号ｎ：「９９９」のボタンオブジェクト情報として、「一括してカートに入れる．ｊｐｇ」等が、予め用意される。
【０２３７】
表示領域座標情報は、設定されておらず、データテーブル７７において、空白である。
【０２３８】
ボタンオブジェクト表示位置座標情報は、「（Ｘｂ３，Ｙｂ８），（Ｘｂ３，Ｙｂ９），（Ｘｂ４，Ｙｂ９），（Ｘｂ４，Ｙｂ１０）」である。このボタンオブジェクト表示位置座標情報は、図６２（ａ）に示されるように、ボタンオブジェクト２１５の座標、例えば四角形の領域の四隅（左上、左下、右下、右上）の座標を示す情報である。
【０２３９】
操作先識別番号情報は、次のように設定される。
【０２４０】
図６２（ｂ）に示されるように、ボタンオブジェクト２１５がタッチ操作されると、第二レイヤの第二表示情報２２Ａ、第二レイヤの第二表示情報２２Ｂは、共に「カートに商品が投入されました」と更新され、第一レイヤの第一表示情報２１において、「カートに［２］点の商品が入っています」のように更新されるとする。この場合、図６４に示されるデータテーブル７７において、識別番号ｎ：「９９９」にて管理される操作先識別番号情報は、「０、１、２」に設定される。
【０２４１】
なお図６２（ｂ）とは異なり、ボタンオブジェクト２１５が操作されると、第二レイヤの第二表示情報２２Ａ、第二レイヤの第二表示情報２２Ｂの表示が終了される等の表示形式であるとする。この場合、図６４に示されるデータテーブル７７において、識別番号ｎ：「９９９」にて管理される操作先識別番号情報は、「０」に設定される（図６４には図示せず）。
【０２４２】
一括投入数情報は、次のように設定される。
【０２４３】
図６２（ａ）に示される第二レイヤの第二表示情報２２Ａ、及び２２Ｂは、それぞれ単一の商品ごとの情報である。図６４に示されるデータテーブル７７における一括投入数情報は、これら複数の商品を一括して扱うために設定される情報である。従って、データテーブル７７における一括投入数情報は、一括して選択された第二レイヤの第二表示情報の数と、同じ値が設定される。例えば図６４に示されるデータテーブル７７においては、一括投入数情報は「２」である。この値は、第二レイヤの第二表示情報２２Ａ、２２Ｂの二つが一括して選択された数に等しい。例えば三つの第二レイヤの第二表示情報が選択され、ボタンオブジェクト２１５が生成された場合、一括投入数情報の値は「３」となる。
【０２４４】
以上にて説明したように、ボタン生成部３８（図６３）は、複数の第二レイヤの第二表示情報２２Ａ、２２Ｂにおける複数の操作可能なボタンオブジェクトを代表する、ボタンオブジェクト２１５を生成する。画面制御部３４（図６３）は、画面制御信号に基づいて、ボタンオブジェクト２１５（図６２（ａ））をディスプレイ２０（図６３）に表示させる。なお、ボタンオブジェクト２１５は、第一レイヤにおける表示情報の一つである。
【０２４５】
ボタンオブジェクト２１５（図６２（ａ））については、ユーザによるタッチパネル１０（図６３）によるタッチ操作が行われると、次の２つの処理が行われる。第１の処理ついて、操作対象検出部３１（図６３）は、タッチ操作に基づいたタッチ操作信号をタッチパネル１０から受信し、操作対象としてボタンオブジェクト２１５がタッチ操作されたことを検出する。第２の処理は、操作対象検出部３１により、ボタンオブジェクト２１５がタッチ操作されたことが検出されると、情報端末１Ｄ（図６３）は、（３−４−２−２．第二レイヤの第二表示情報２２の更新に基づく第一レイヤの第一表示情報２１の更新）にて説明した処理と同様の処理が行われる。第一更新部３５１（図６３）、第三更新部３５３（図６３）、画面制御部３４（図６３）は次の処理を行う。ボタンオブジェクト２１５（図６２（ａ））がタッチ操作されると、第三更新部３５３（図６３）は次の処理を行う。
【０２４６】
ユーザにより、ボタンオブジェクト２１５（図６２（ａ））がタッチ操作されると、操作対象検出部３１（図６３）は、ボタンオブジェクト２１５がタッチ操作されたことを検出する。操作対象検出部３１はその検出結果を、第三更新部（図６３）に通知する。第三更新部３５３は、操作対象検出部３１から受信した検出結果に基づいて、図６４に示されるデータテーブル７７における操作先識別番号を取得する。そして、第三更新部３５３は、操作先識別番号に該当する識別番号ｎにて管理される表示情報を更新する。図６２（ａ）及び図６４を用いて説明する例においては、次の通りである。まず、ボタンオブジェクト２１５（図６４）がタッチ操作されると、図６４に示されるデータテーブル７７において、識別番号ｎ：「９９９」にて管理される操作先識別番号が参照される。そして、操作先識別番号「０」、「１」、「２」が取得される。次に、操作先識別番号「０」に該当する識別番号ｎ：「０」にて管理される表示情報が更新される。図６４に示されるデータテーブル７７においては、識別番号ｎ：「０」にて管理される商品テキスト情報「カートに［０］点の商品が入っています（文字情報）」が、識別番号ｎ：「９９９」にて管理される一括投入数情報「２」に基づいて、「カートに［２］点の商品が入っています（文字情報）」等と更新される。なお、識別番号ｎ：「９９９」にて管理される一括投入数情報「３」であれば、「カートに［３］点の商品が入っています（文字情報）」等と更新される。更に、操作対象検出部３１は、その検出結果を第一更新部３５１（図６３）に通知する。第一更新部３５１は、操作対象検出部３１から受信した検出結果に基づいて、図５９（ｂ）に示される第二レイヤの第二表示情報２２と同様に、操作先識別番号「１」、「２」に該当する、識別番号ｎ：「１」、識別番号ｎ：「２」にて管理される表示情報を、カートに商品が投入されたことを示すメッセージを示す表示情報に更新する（図６２（ｂ））。図６４に示されるデータテーブル７７においては、識別番号ｎ：「１」にて管理される商品テキスト情報「△△洗剤    ８００グラム  内容量 ：８００グラム  販売価格 ：３００円（文字情報）」が、「カートに商品が投入されました（文字情報）」等と更新される（図示せず）。また、識別番号ｎ：「２」にて管理される商品テキスト情報「◇◇洗剤    ７５０グラム  内容量 ：７５０グラム  販売価格 ：３２０円（文字情報）」が、「カートに商品が投入されました（文字情報）」等と更新される。第三更新部３５３は、図６４に示されるデータテーブル７７において、上述のように識別番号ｎ：「０」、別番号ｎ：「１」、別番号ｎ：「２」にて管理される情報を更新すると、識別番号ｎ：「９９９」にて管理される情報を削除する。また、ディスプレイ２０におけるボタンオブジェクト２１５の表示は終了される。ディスプレイ２０においてボタンオブジェクト２１５の表示が終了される一例は、図６２（ｂ）に示される。
【０２４７】
以上、説明したように、第４の実施形態における第一の変形例は、情報端末１Ｄのディスプレイ２０に表示される、商品情報を切出した第二レイヤの第二表示情報２２が複数である場合、新たなボタンオブジェクトが生成され、ディスプレイ２０に表示される。新たなボタンオブジェクトは、複数の第二レイヤの第二表示情報２２に共通して含まれ、機能が共通である操作可能なボタンオブジェクトを、代表するものである。第４の実施形態における第一の変形例により、ユーザは、複数の商品について切出し画面を生成し、所定の操作により一括投入ボタンを生成し、ディスプレイ２０に表示することが可能となる。そして、ユーザは、一括投入ボタンを操作することにより、複数の切出し画面に係る複数の商品を一度に選択し、購入対象とすることが可能となる。
【０２４８】
第４の実施形態における第二の変形例を、以下に説明する。第二の変形例は、情報端末１Ｄのディスプレイ２０（図６３）において、複数の第二レイヤの第二表示情報２２を、ユーザによるタッチパネル１０（図６３）へのタッチ操作に基づいて、グループ化する。例えば、図６２（ａ）に示されるように、情報端末１Ｄのディスプレイ２０に、第二レイヤの第二表示情報２２が複数、例えば２つ（第二レイヤの第二表示情報２２Ａ及び２２Ｂ）表示されているとする。ここで、第二レイヤの第二表示情報２２Ａ及び２２Ｂを一括して選択するタッチ操作が、ユーザにより行われるとする。第二レイヤの第二表示情報２２Ａ及び２２Ｂを一括して選択するタッチ操作は、例えば、図６２（ａ）に示されるように、第二レイヤの第二表示情報２２Ａ及び２２Ｂを含む領域の周囲２１６を、指８で囲むタッチ操作である。このタッチ操作に基づき、複数の第二レイヤの第二表示情報２２Ａ及び２２Ｂがグループ化される。画面情報記憶部３３３（図６３）におけるデータテーブルにおいては、選択された複数の第二レイヤの第二表示情報について、グループを示す識別番号等の情報が付加される。なお、画面情報記憶部３３３におけるデータテーブル（図５５）において、選択された複数の第二レイヤの第二表示情報について、グループを示す識別番号等の情報を付加する処理は、例えば、制御部６０等が行えばよい。グループ化された複数の第二レイヤの第二表示情報は、ユーザによるタッチパネル１０へのタッチ操作に基づいて、ディスプレイ２０上において一体的に表示位置が移動されてもよい。
【０２４９】
以上、説明したように、第４の実施形態における第二の変形例は、情報端末１Ｄのディスプレイ２０に表示される、商品情報を切出した複数の第二レイヤの第二表示情報２２が、ユーザによるタッチパネル１０へのタッチ操作に基づいて、グループ化される。第４の実施形態における第二の変形例の構成により、ユーザは、複数の商品について切出し画面を生成し、複数の商品についての切出し画面をグループ化して、効率的に閲覧することが可能となる。
＜３−５．  第５の実施形態＞
第５の実施形態による情報端末及び情報制御装置を、上述の図１２、及び図６５〜図７２を用いて説明する。ここで、図６５は、第５の実施形態による情報端末の構成を示した説明図である。図６６、図６９、図７２は、第５の実施形態による情報端末における、情報端末の外観、情報端末のディスプレイの表示、及びユーザによる情報端末の基本操作と切出し画面生成操作の様子を模式的に示した説明図（その１〜その３）である。図６７、図６８、図７０は、第５の実施形態による切出し画面生成に係る情報制御処理を行うためのデータテーブルを模式的に示した説明図（その１〜その３）である。図７１は第５の実施形態による情報端末における、切出し画面操作に係る情報制御処理の動作を示したフローチャートである。
【０２５０】
第５の実施形態による情報端末及び情報制御装置は、第１の実施形態による情報端末及び情報制御装置における構成、処理動作を、ウェブページを利用した電子地図における経路検索に適用する。なお、第１の実施形態による情報端末及び情報制御装置における構成、処理動作は、＜３−１．  第１の実施形態＞にて説明した通りである。
［３−５−１．  第５の実施形態に係る情報端末の全体構成］
図６５に示されるように、第５の実施形態による情報端末１Ｅは、タッチパネル１０と、ディスプレイ２０と、制御装置３０Ｅを備える。更に制御装置３０Ｅは、操作対象検出部３１と、入力処理部３２と、切出し画面生成部３３と、画面制御部３４と、切出し画面操作部３５と、通信部４０と、記憶部５０と、制御部６０とを備える。切出し画面生成部３３は、切出し範囲決定部３３１と、実行部３３２と、画面情報記憶部３３３を備える。切出し画面操作部３５は、第一更新部３５１と、第三更新部３５３を備える。記憶部５０は、記憶媒体５１と、メモリ５２を備える。なお、第５の実施形態による情報端末１Ｅの各構成要素（タッチパネル１０から制御部６０）は、切出し画面操作部３５における第三更新部３５３を除いて、第１の実施形態による情報端末１Ａ（図１７）の構成と同じであり、第４の実施形態による情報端末１Ｄ（図５３）の構成と同じである。第三更新部３５３は、第一更新部３５１により更新された第二レイヤの第二表示情報２２と、画面情報記憶部３３３に記憶される第一レイヤの第一表示情報２１とに基づいて、第一レイヤの第一表示情報２１を更新する。また、第三更新部３５３は、第一更新部３５１により、第二レイヤの第二表示情報２２が更新されると、第一レイヤの第一表示情報２１における切出し範囲２１２と異なる範囲の第一レイヤの表示情報を更新する。第５の実施形態において、第三更新部３５３は、ディスプレイ２０に表示される経路表示情報２８（図６９）を更新する。第三更新部３５３の動作については後述される。
【０２５１】
制御装置３０Ｅにおける各処理部は、具体的には、コンピュータによるプログラムの実行により実現される。
［３−５−２．  処理動作］
第５の実施形態における情報端末１Ｄ（図６５）について、第二レイヤの第二表示情報２２の生成及び、第二レイヤの第二表示情報２２の更新に基づく第一レイヤの第一表示情報２１の更新を、以下に説明する。
（３−５−２−１．  切出し画面の生成と表示）
第５の実施形態による情報端末１Ｅ（図６５）において、切出し画面生成部３３（図６５）により、第二レイヤの第二表示情報２２が生成される一連の処理動作は、＜＜２．情報制御処理の基本動作＞＞の＜２−２．  切出し画面の生成と表示＞にて説明した通りである。第５の実施形態において、第二レイヤの第二表示情報２２は、図１２に示されるフローチャートの一連の処理動作に従って生成される。即ち、切出し画面生成部３３の切出し範囲決定部３３１（図６５）は、ユーザによるタッチパネル１０へのタッチ操作に基づいて、ディスプレイ２０に表示される第一レイヤの第一表示情報２１から切出し範囲を選択する。切出し画面生成部３３の実行部３３２（図６５）は、切出し範囲に基づいて、第二レイヤの第二表示情報２２を生成する。以下、切出し画面生成部３３により、第二レイヤの第二表示情報２２が生成される一連の処理動作を、図１２を用いて説明する。
【０２５２】
まず、ユーザによる情報端末１Ｅ（図６５）が操作、または予め情報端末１Ｅに設定されたアプリケーションの起動等に基づいて、制御部６０（図６５）は、例えばウェブブラウザ等の任意のアプリケーションを起動する（図１２のステップＳ１０１）。このとき、図６６に示されるように、ディスプレイ２０は、第一レイヤの第一表示情報２１を表示する。なお、第５の実施形態において、第一レイヤの第一表示情報２１は、ウェブページによる電子地図における経路検索のための画面、例えば経路検索条件設定画面である。
【０２５３】
例えば、図６６に示されるように、ディスプレイ２０に表示される第一レイヤの第一表示情報２１は、「条件１」から「条件６」までを有する経路検索条件設定画面である。経路検索条件設定画面において、「条件１」は「出発地点（イ）」であり、「条件２」は「到着地点（ロ）」である。これらの出発地点、到着地点の条件は、予め複数の地点を選択肢として用意して、ユーザに選択させても良い。また、出発地点、到着地点の条件は、任意の住所等を文字情報として、ユーザに入力させてもよい。ユーザに任意の住所等を文字情報として入力させる場合、情報端末１Ｅは、［３−１−３．  処理動作］で説明したように、操作可能なオブジェクトとして「テキスト入力フォーム」を設ける。
【０２５４】
経路検索条件設定画面において、「条件３」から「条件６」は、それぞれ、「〜〜〜〜〜（テキスト情報）」と、操作可能なオブジェクトの「ラジオボタン」を有する。これらの各条件は、例えば電子地図上の経路における「階段の有無」や「横断歩道の数」、「坂道の勾配」等の経路条件である。経路条件は、出発地点から到着地点までを結ぶ幾つかの経路のうち、ユーザによる所望の条件にて、幾つかの経路から、ある特定の経路へと絞り込むための条件である。各条件について、ユーザによるラジオボタンへのタッチ操作により、例えば、経路条件指定の有無や、経路条件とする数値が選択される。入力処理部３２（図６５）は、第一レイヤの第一表示情報２１における操作可能なオブジェクトに対するタッチ操作、ここでは経路検索条件の設定のためのタッチ操作により、処理を実行する。
【０２５５】
画面情報記憶部３３３（図６５）は、ディスプレイ２０に表示される、第一レイヤの第一表示情報２１の情報を記憶する。第５の実施形態において、第一レイヤの第一表示情報２１は、電子地図における経路検索の条件設定に関する情報である。ここで、画面情報記憶部３３３（図６５）は、第一レイヤの第一表示情報２１の情報を、データテーブル（図６７）で管理する。
【０２５６】
図６７に示されるデータテーブル７９は、画面情報記憶部３３３（図６５）に記憶される第一レイヤの第一表示情報２１（図６６）の情報の一例である。
【０２５７】
データテーブル７９は、識別番号ｎと、経路検索の条件設定に関する第一表示情報の内容とを、一対とした形式にて、情報を管理する。
【０２５８】
第一表示情報の内容は、条件識別情報、条件テキスト情報、オブジェクト情報、表示領域座標情報、オブジェクト表示位置座標情報、を有する。
【０２５９】
データテーブル７９において、例えば、識別番号ｎ：「１」にて管理される第一表示情報の内容は、次の情報である。
【０２６０】
なお、第５の実施形態において、電子地図上の一つの経路を検索するための条件が複数である場合、複数の各条件は、同一の識別番号ｎが付与されて管理される。
【０２６１】
条件識別情報は、「１」、「２」、「３」・・・である。条件識別情報ｎは、ディスプレイ２０に表示される「条件１」、「条件２」、「条件３」・・・（図６６）に対応する情報である。なお、ディスプレイ２０に表示される「条件４」、「条件５」、「条件６」（図６６）に対応する条件識別情報は、データテーブル７９において「４」、「５」、「６」である（図示せず）。これは、後述される、条件識別情報「３」である「条件３」と同じ形式である。
【０２６２】
条件テキスト情報は、「〜〜〜〜〜」（文字情報）である。条件テキスト情報は、条件識別情報「１」、「２」、「３」・・・のそれぞれに対応して管理される情報である。なお、ディスプレイ２０に表示される「条件４」、「条件５」、「条件６」（図６６）に対応する条件テキスト情報は、データテーブル７９において、それぞれ「〜〜〜〜〜」（文字情報）である（図示せず）。
【０２６３】
オブジェクト情報は、次の通りである。条件識別情報「１」の項目に対応して管理されるオブジェクト情報は「（イ）」である。条件識別情報「２」の項目に対応して管理されるオブジェクト情報は「（ロ）」である。これらのオブジェクト情報は、任意の住所等の文字情報でもよい。条件識別情報「３」の項目に対応して管理されるオブジェクト情報は「Ａ●  Ｂ○  Ｃ○  Ｄ○」である。オブジェクト情報「Ａ●  Ｂ○  Ｃ○  Ｄ○」は、操作可能なオブジェクト情報であり、ここではラジオボタンである。なお、条件識別情報「３」のオブジェクト情報は、４つのラジオボタンのうち「Ａ」のボタンが、入力状態を示す黒丸（●）となっている。条件識別情報「３」のオブジェクト情報において、「Ａ」のボタンが黒丸（●）であることは、ディスプレイ２０における表示（図６６）に従うものである。なお、ディスプレイ２０に表示される「条件４」、「条件５」、「条件６」（図６６）に対応するオブジェクト情報は、条件識別情報「３」に対応するオブジェクト情報と同じ形式にて、データテーブル７９に記憶される（図示せず）。
【０２６４】
表示領域座標情報は、次の通りである。条件識別情報「１」の項目に対応して管理される表示領域座標情報は「（Ｘ５，Ｙ１３），（Ｘ５，Ｙ１４），（Ｘ６，Ｙ１４），（Ｘ６，Ｙ１３）」である。条件識別情報「２」の項目に対応して管理される表示領域座標情報は「（Ｘ７，Ｙ１５），（Ｘ７，Ｙ１６），（Ｘ８，Ｙ１６），（Ｘ８，Ｙ１５）」である。条件識別情報「３」の項目に対応して管理される表示領域座標情報は「（Ｘ９，Ｙ１７），（Ｘ９，Ｙ１８），（Ｘ１０，Ｙ１８），（Ｘ１０，Ｙ１７）」である。表示領域座標情報は、ディスプレイ２０における表示情報の、表示領域の座標である。表示領域座標は、第１の実施形態と同様である。表示領域座標は、図１５に示されるのと同様に、条件設定に関する表示情報がウェブページ中に配置される座標情報である。例えば四角形の領域の四隅（左上、左下、右下、右上）の座標である。また、ディスプレイ２０に表示される「条件４」、「条件５」、「条件６」（図６６）に対応する表示領域座標情報は、条件識別情報「３」に対応する表示領域座標情報と同じ形式にて、データテーブル７９に記憶される（図示せず）。
【０２６５】
オブジェクト表示位置座標情報は、次の通りである。条件識別情報「１」の項目に対応して管理されるオブジェクト表示位置座標情報は、設定されず、データテーブル７９においては、空白である。条件識別情報「２」の項目に対応して管理されるオブジェクト表示位置座標は、設定されず、データテーブル７９においては、空白である。条件識別情報「３」の項目に対応して管理されるオブジェクト表示位置座標情報は「（Ｘ１＋ＸＡ，Ｙｂ１０），（Ｘ１＋ＸＢ，Ｙｂ１０），（Ｘ１＋ＸＣ，Ｙｂ１０），（Ｘ１＋ＸＤ，Ｙｂ１０）」である。オブジェクト表示位置座標情報は、ディスプレイ２０に表示されるオブジェクトの、表示位置の座標である。オブジェクト表示位置座標情報は、第１の実施形態と同様である。オブジェクト表示位置座標情報は、図１６に示されるのと同様に、横並びになっている４つのボタンの縦軸座標と、横軸座標である。
【０２６６】
次に、制御部６０（図６５）は、切出し画面生成アプリケーションを起動する（図１２のステップＳ１０２）。
【０２６７】
次に、切出し範囲決定部３３１（図６５）は、ユーザによりタッチパネル１０に対するタッチ操作がされると（図１２のステップＳ１０３）、切出し範囲選択のタッチ操作を検出する（図１２のステップＳ１０４）。ここで、切出し範囲決定部３３１が、切出し範囲を選択するためのタッチ操作を検出すれば（ステップＳ１０４：Ｙｅｓ）、フローチャート（図１２）の処理はステップＳ１０５に進む。切出し範囲決定部３３１が、切出し範囲を選択するための操作を検出しなければ（ステップＳ１０４：Ｎｏ）、フローチャート（図１２）の処理はステップＳ１０３に戻る。具体的には、タッチパネル１０（図６５）は、ユーザによりタッチ操作されると、タッチパネル１０がタッチ操作された座標の情報を含むタッチ操作信号は、タッチパネル１０から、切出し画切出し範囲決定部３３１に送信される。切出し範囲決定部３３１は、タッチ操作信号に基づいて、第一レイヤの第一表示情報２１における切出し範囲２１２（図６６）を決定する（図１２のステップＳ１０５）。切出し範囲決定部３３１（図６５）の、ステップＳ１０５における詳細な処理動作は、＜２−２．  切出し画面の生成と表示＞にて説明した通りである。第５の実施形態において、図６６に示されるように、切出し範囲決定部３３１は、ユーザの指８にて選択された切出し範囲２１２の範囲に含まれる複数の表示情報を、まとめて切出し範囲として選択する。まとめて切出し範囲として選択される情報は、図６７に示されるデータテーブル７９において、識別番号ｎ：「１」にて管理される情報である。識別番号ｎ：「１」にて管理される情報は、条件識別情報「１」、「２」、「３」、「４」、「５」、「６」に紐付けされた情報である。但し、識別番号ｎ：「１」にて管理される条件識別情報「４」、「５」、「６」に紐付けされた情報は、図６７に図示されない。
【０２６８】
ユーザによるタッチパネル１０（図６５）を用いた切出し範囲の選択は、＜２−２．  切出し画面の生成と表示＞にて説明した通りである。例えば、ディスプレイ２０に表示される第一レイヤの第一表示情報２１のうち、切出す範囲の外周が、ユーザの指８でなぞるように操作されることで、切出し範囲２１２が選択される（図６６）。
【０２６９】
次に、実行部３３２（図６５）は、切出し範囲決定部３３１（図６５）により決定された、第一レイヤの第一表示情報２１における切出し範囲２１２（図６６）に基づいて、第二レイヤの第二表示情報２２を生成する（図１２のステップＳ１０６）。実行部３３２の、ステップＳ１０６における詳細な処理動作は＜２−２．  切出し画面の生成と表示＞にて説明した通りである。実行部３３２は、切出し範囲決定部３３１により決定された、切出し範囲２１２（図６６）に含まれる第一レイヤの第一表示情報２１の情報と、第一レイヤの第一表示情報２１における切出し範囲２１２の座標情報を、第二レイヤの第二表示情報２２として生成する。実行部３３２は、生成した第二レイヤの第二表示情報２２を、画面情報記憶部３３３（図６５）に記憶させる。図６８は、画面情報記憶部３３３が、第二レイヤの第二表示情報２２を、データテーブルにて記憶する一例である。図６８に示されるデータテーブル７９１では、第二レイヤの第二表示情報２２の表示情報の内容が記憶される。この第二レイヤの第二表示情報２２の表示情報の内容は、図６７に示される、第一レイヤの第一表示情報２１のデータテーブル７９のうち、識別番号ｎ：「１」にて管理される第一表示情報の内容と同じ内容である。なお、ディスプレイ２０において、第二レイヤの第二の表示情報２２は、第一レイヤの第一表示情報２１の上に重ねて表示される。そのため、図６８に示されるデータテーブル７９１において、識別番号ｎ：「１」にて管理される、第二表示情報の各内容である表示領域座標情報は、図６７に示されるデータテーブル７９の識別番号ｎ：「１」にて管理される、第一表示情報の表示領域座標情報が補正された形式である。
【０２７０】
このように、実行部３３２（図６５）は、第一レイヤの第一表示情報２１における切出し範囲２１２（図６６）と同じ表示情報である、第二レイヤの第二表示情報２２を生成する。そして、実行部３３２は、生成した第二レイヤの第二表示情報２２を、画面情報記憶部３３３に記憶させる。
【０２７１】
最後に、画面制御部３４（図６５）は、図６９に示されるように、実行部３３２（図６４）が生成した第二レイヤの第二表示情報２２を、第一レイヤに表示される経路表示情報２８の上に重ねた形式にてディスプレイ２０に表示させる（図１２のステップＳ１０７）。
【０２７２】
第５の実施形態においては、第二レイヤの第二表示情報２２は、第一レイヤに表示される経路表示情報２８の上に重ねられる。この経路表示情報２８は、経路検索結果を示す表示情報である。経路表示情報２８は、ディスプレイ２０に表示される第一レイヤの第一表示情報２１である経路検索条件設定画面（図６６）が、更新されたものである。第二レイヤの第二表示情報２２においてユーザにより経路検索条件が設定され、例えば制御部６０（図６５）により経路検索が実行されると、第三更新部３５３（図６５）は、第一レイヤの第一表示情報２２である経路検索条件設定画面を、経路表示情報２８に更新する。なお、制御部６０は、ユーザによる経路検索条件設定画面における検索ボタン（図示せず）がタッチ操作される等の操作に基づいて経路検索を実行する。画面制御部３４（図６５）は、ディスプレイ２０に、経路表示情報２８を表示させる。第５の実施形態における経路表示情報２８は、第二レイヤの第二表示情報２１に対する切出し元画面ではない。これは、第１の実施例において、第一レイヤの第一表示情報２１と、第二レイヤの表示情報２２の関係が、切出し元画面と切出し画面の関係であるのと異なる。そのため、第５の実施形態において、経路表示情報２８は第一レイヤに表示される表示情報であるが、第一レイヤの第一表示情報２１とは区別する。
【０２７３】
第三更新部３５３が、第一レイヤの第一表示情報２１である経路検索条件設定画面を、経路表示情報２８に更新したことに基づいて、画面情報記憶部３３３（図６５）は、経路表示情報２８に係る情報が新たに記憶される。図７０に示されるデータテーブル７９２は、画面情報記憶部３３３に記憶された経路表示情報２８の情報の一例である。
【０２７４】
データテーブル７９２（図７０）は、識別番号ｎと、経路検索結果に関する経路表示情報２８の内容とを、一対とした形式にて、情報を管理する。なお、データテーブル７９２における識別番号ｎは、データテーブル７９（図６７）及びデータテーブル７９１（図６８）における識別番号ｎに対応する。即ち、例えばデータテーブル７９（図６７）において識別番号ｎ：「１」にて管理される、条件識別番号「１」、「２」、「３」・・・の情報について、これらの情報を経路検索条件として検索された経路の情報が、データテーブル７９２（図７０）において、識別番号ｎ：「１」にて管理される。
【０２７５】
経路表示情報２８の内容は、経路情報、対象地図情報を有する。
【０２７６】
データテーブル７９２において、例えば、識別番号ｎ：「１」にて管理される第一表示情報の内容は、次の情報である。
【０２７７】
経路情報は「(1)  →  (2)  →  (3)  →  (4)  →  (5)  →  (6)」である。データテーブル７９２において、経路情報は模式的に示されるものである。具体的には、各番号(1)、(2)、(3)・・・は、それぞれ電子地図上における地点が緯度、経度等で表される。電子地図上における地点は、例えば、２つ以上の道が交わる地点、経路の始点と道が接する地点、経路の終点と道が接する地点等である。各番号の間の矢印（→）は、地点から地点の距離、方角等で表される。距離は、例えば、電子地図上の地点と地点とを結ぶ線分の長さと、電子地図の縮尺によって求められる、地点と地点との実際の距離である。上述のような経路情報により、電子地図上における経路が表現される。
【０２７８】
対象地図情報は「ｈｔｔｐ：／／ｗｗｗ．〜〜〜〜．ｈｔｍｌ」である。対象地図情報はＵＲＬ（Ｕｎｉｆｏｒｍ  Ｒｅｓｏｕｒｃｅ  Ｌｏｃａｔｏｒ）である。データテーブル７９２において、識別番号ｎにて管理される対象地図情報は、同じ識別番号ｎにて管理される経路情報を適用させる、電子地図を指定するための情報である。
【０２７９】
なお、電子地図における経路検索条件に基づいた経路検索は、次のように実行される。例えば、情報端末１Ｅ（図６５）が通信部４０（図６５）により、インターネット等の通信網に有線又は無線で接続されて、所定の情報が取得される。そして、所定の情報と、経路検索条件に基づいて、例えば情報端末１Ｅの制御部６０（図６５）による内部処理にて、経路検索が実行されてもよい。または、情報端末１Ｅが通信部４０により、インターネット等の通信網に有線又は無線で接続され、経路検索条件の情報が外部サーバに送信される。そして、外部サーバにより、経路検索条件に基づいて経路検索が実行されてもよい。この場合、情報端末１Ｅは、外部サーバから経路検索結果を受信し、経路検索結果と電子地図をディスプレイ２０に表示する。ここで、経路検索結果は、電子地図の上に重ねてディスプレイ２０に表示される。
【０２８０】
なお、第二レイヤの第二表示情報２２は、ユーザによりタッチパネル１０がタッチ操作されたことに基づいて、ディスプレイ２０の表示領域の範囲内で、表示位置が移動され、表示サイズが拡大、縮小される。これは、＜２−３．  切出し画面の移動、拡大、縮小＞にて説明した通りである。
（３−５−２−２．  第二レイヤの第二表示情報２２の更新に基づく、第一レイヤに表示
される経路情報２８の更新）
第５の実施形態による情報端末１Ｅ（図６５）において、第二レイヤの第二表示情報２２（図７２）の更新に基づいて、第一レイヤに表示される経路表示情報２８（図７２）が更新される一連の処理動作は、図７１に示されるフローチャートに基づいて行われる。図７１に示されるフローチャートは、図２３に示されるフローチャートの一部が変更されたものである。図２３に示されるフローチャートにおける、第二更新部３５２（図１８）が第一レイヤの第一表示情報２１を更新する処理（図２３のステップＳ２０５）は、第三更新部３５３（図６５）が経路表示情報２８を更新する処理（図７１のステップＳ９０５）に変更される。第三更新部３５３（図６５）は、第一更新部３５１（図６５）により第二レイヤの第二表示情報２２が更新されると、第一レイヤに表示される経路表示情報２８を更新する。なお、図２３に示されるフローチャートの一連の処理動作は、＜３−１．  第１の実施形態＞の［３−１−３．  処理動作］にて説明した通りである。
【０２８１】
まず、タッチパネル１０（図６５）は、ユーザによりタッチ操作が行なわれる（ステップＳ９０１）。操作対象検出部３１（図６５）は、タッチ操作に基づいたタッチ操作信号をタッチパネル１０から受信する。そして、タッチパネル１０がタッチ操作された位置の座標情報と、ディスプレイ２０における表示情報の表示位置の情報とを照合する。画面情報記憶部３３３（図６５）は、ディスプレイ２０における表示情報の表示位置の情報を記憶する。画面情報記憶部３３３は、データテーブル７９２（図７０）、データテーブル７９１（図６８）にて、ディスプレイ２０における表示情報の表示位置の情報を管理する。例えば、表示情報の表示位置の情報は、データテーブル７９２において、識別番号ｎにて管理される、第一レイヤに表示される経路情報２８における表示領域座標情報である（図示せず）。また、表示情報の表示位置の情報は、データテーブル７９１において、識別番号ｎにて管理される、第二表示情報の内容における表示領域座標情報である。操作対象検出部３１は、タッチパネル１０がタッチ操作された位置の座標情報と、ディスプレイ２０における表示情報の表示位置の情報とを照合することにより、ユーザによるタッチパネル１０へのタッチ操作が、第一レイヤに表示される経路情報２８（図６９）に対するタッチ操作であるのか、第二レイヤの第二表示情報２２（図６９）に対するタッチ操作であるのかを検出する（ステップＳ９０２）。
【０２８２】
操作対象検出部３１（図６５）が、ユーザによるタッチパネル１０（図６５）へのタッチ操作が第二レイヤの第二表示情報２２に対する操作であると判定すると（ステップＳ９０３：Ｙｅｓ）、フローチャート（図７１）の処理はステップＳ９０４へ進む。操作対象検出部３１が、ユーザによるタッチパネル１０へのタッチ操作が、第二レイヤの第二表示情報２２に対する操作ではないと判定すると（ステップＳ９０３：Ｎｏ）、フローチャート（図７１）の処理はステップＳ９０１に戻る。
【０２８３】
操作対象検出部３１（図６５）が、ステップＳ９０３にて「Ｙｅｓ」と判定すると、次に、第一更新部３５１（図６５）は、ユーザによるタッチパネル１０へのタッチ操作に基づくタッチ操作信号を受信し、タッチ操作信号と、画面情報記憶部３３３（図６５）に記憶される第二レイヤの第二表示情報２２の情報とに基づいて、第二レイヤの第二表示情報２２を更新する（ステップＳ９０４）。
【０２８４】
第一更新部３５１（図６５）が、ユーザによるタッチ操作に基づいて、データテーブルにおける第二表示情報を更新する処理は、（３−１−２−１．  第一更新部）にて説明した通りである。第一更新部３５１は、タッチパネル１０から受信したタッチ操作信号と、切出し画面生成部３３（図６５）により生成された第二レイヤの第二表示情報２２とに基づいて、第二レイヤの第二表示情報２２を更新する。第５の実施形態において、画面情報記憶部３３３（図６５）に記憶される、第二レイヤの第二表示情報２２は、図６８に示されるデータテーブル７９１の、識別番号ｎ：「１」にて管理される情報である。例えば、図６９に示される第二レイヤの第二表示情報２２に対して、ユーザによるタッチ操作が行われ、経路条件である「条件３」、「条件４」、「条件５」、「条件６」の各ラジオボタンの入力状態が変更されたとする。このとき、データテーブル７９１において、ユーザのタッチ操作に基づいて、第二表示情報の内容の、オブジェクト情報が更新される。オブジェクト情報は、例えば、未入力状態を示す白丸（○）の情報から、入力状態を示す黒丸（●）の情報へと更新される。
【０２８５】
次に、第三更新部３５３は（図６５）は、第一更新部３５１（図６５）により第二レイヤの第二表示情報２２が更新されると、第一レイヤに表示される経路表示情報２８を更新する（ステップＳ９０５）。第５の実施形態においては、図７１に示されるフローチャートのステップＳ９０４にて、経路検索条件設定画面である第二レイヤの第二表示情報２２がユーザによるタッチ操作により更新され、経路検索条件、ここでは経路条件が変更される。すると、変更された経路検索条件に基づいて再度、経路検索が行われる。第三更新部３５３は、再度の経路検索が行われると、図７０に示されるデータテーブル７９２における経路情報を、再度の経路検索に基づく新たな経路情報に更新する。第三更新部３５３は、例えば、経路情報「(1)  →  (2)  →  (3)  →  (4)  →  (5)  →  (6)」を、経路情報「(7)  →  (2)  →  (3)  →  (4)  →  (5)  →  (8)」等と、上書きする（図示せず）。
【０２８６】
次に、画面制御部３４（図６５）は、第一更新部３５１（図６５）により更新された第二レイヤの第二表示情報２２と、第三更新部３５３（図６５）により更新された第一レイヤに表示される経路表示情報２８とに基づく画面制御信号を、ディスプレイ２０（図６５）に送信する。
【０２８７】
第一更新部３５１（図６５）により更新された、第二レイヤの第二表示情報２２は、図６８に記載の識別番号ｎ：「１」に基づく複数の表示情報から、経路検索条件の変更に伴い更新された情報である（更新された情報は、図示せず）。
【０２８８】
第三更新部３５３（図６５）により更新された第一レイヤに表示される経路表示情報２８は、図７０に記載の識別番号ｎ：「１」基づく表示情報から、経路検索条件の変更に伴い、再度検索されて取得された表示情報である（更新された情報は、図示せず）。
【０２８９】
最後に、ディスプレイ２０（図６５）は、画面制御部３４（図６５）にて生成された画面制御信号に基づいて、更新された第二レイヤの第二表示情報２２を、更新された第一レイヤに表示される経路表示情報２８の上に重ねた形式にて表示する（ステップＳ９０６）。図７２は、ステップＳ９０６にてディスプレイ２０に表示される画面の一例である。図７２に示される第二レイヤの第二表示情報２２は、図６９と比べて表示内容が更新されている。これは、ステップＳ９０４にて、第二レイヤの第二表示情報２２における経路検索の条件、ここでは経路条件がユーザのタッチ操作により変更されたことに基づく更新である。また、図７２に示される第一レイヤに表示される経路表示情報２８は、図６９と比べて電子地図上に示される経路が更新されている。経路の更新は、ステップＳ９０５にて、第二レイヤの第二表示情報２２おける経路検索条件が更新されたことに応じて、再度の経路検索が行われるためである。
［３−５−３．  第５の実施形態による効果］
以上、説明したように、第５の実施形態による情報端末１Ｅ及び制御装置３０Ｅは、ユーザによるタッチパネル１０へのタッチ操作に基づいて切出された、第二レイヤの第二表示情報２２に対してタッチ操作が行なわれると、タッチ操作に基づいて第二レイヤの第二表示情報２２を更新する。そして、情報端末１Ｅ及び制御装置３０Ｅは、第二レイヤの第二表示情報２２の更新に基づいて、第一レイヤに表示される経路表示情報２８を更新する。第５の実施形態による情報端末１Ｅ及び制御装置３０Ｅの構成により、ユーザは、情報端末１Ｅのディスプレイ２０に表示される切出し画面を、ウェブページによる電子地図における経路検索に適用することができる。
＜＜４．  変形例＞＞
以上、図面を参照しながら、本発明の好適な実施形態について詳細に説明したが、本発明は、係る例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。本発明における変形例による情報端末及び情報制御装置を、上述の図１７、図２４、図４７と、図５３、図６５、図７３を用いて説明する。
【０２９０】
例えば、以上にて説明した各実施形態は、情報端末自体が情報制御装置を備えていたが、係る例に限定されない。例えば、図７３に示されるように、変形例における情報端末１Ｆは、ネットワーク９０を介してメインサーバ９１に接続されてもよい。図７３に示されるシステムにおいて、メインサーバ９１は、情報制御装置３０Ａ（第１の実施形態、図１７）、３０Ｂ（第２の実施形態、図２４）、３０Ｃ（第３の実施形態、図４７）、３０Ｄ（第４の実施形態、図５３）、３０Ｅ（第５の実施形態、図６５）として機能するように構成されてもよい。即ち、情報端末１Ｆは、ネットワーク９０を介してメインサーバ９１より画面制御信号を受信し、画面制御信号に基づきディスプレイ２０に表示情報を表示させる。また、情報端末１Ｆは、ユーザによるタッチパネル１０へのタッチ操作に基づくタッチ操作信号を、ネットワーク９０を介してメインサーバ９１に送信する。ネットワーク９０を介して情報端末１Ｆと接続されたメインサーバ９１は、情報端末１Ｆよりネットワーク９０を介して受信したタッチパネル１０によるタッチ操作信号に基づき、次の処理を実行する。即ち、メインサーバ９１の処理は、切出し画面の生成、切出し画面への操作による切出し画面の更新と切出し元画面の更新、及び上述される通知情報を生成である。メインサーバ９１は、各々の処理結果に基づく画面制御信号を、ネットワーク９０を介して情報端末１Ｆに送信する。なお、情報端末１Ｆは、ディスプレイ２０、タッチパネル１０、通信部４０、制御部６０を備える（図７３）。メインサーバ９１は、操作対象検出部３１、入力処理部３２、切出し画面生成部３３（切出し範囲決定部３３１、実行部３３２、画面情報記憶部３３３）、画面制御部３４、切出し画面操作部３５（第一更新部３５１、第二更新部３５２（制御装置３０Ａ、３０Ｂ、３０Ｃの構成）、第三更新部３５３（制御装置３０Ｄ、３０Ｅの構成））、情報通知生成部３６（制御装置３０Ｃのみの構成）、通信部４０、記憶部５０（記憶媒体５１、メモリ５２）、制御部６０を備える（図７３）。
【０２９１】
また、以上にて説明した各実施形態では、それぞれの実施形態ごとに情報端末及び情報制御装置について説明したが、それぞれの実施形態に係る情報端末及び情報制御装置を適宜組み合わせて実施することも可能である。
【符号の説明】
【０２９２】
１，１Ａ，１Ｂ，１Ｃ，１Ｄ，１Ｅ  情報端末
１０  タッチパネル
２０  ディスプレイ
２１  第一レイヤの第一表示情報
２２，２２Ａ，２２Ｂ  第二レイヤの第二表示情報
２３  第二表示情報の表示領域
２４  連動通知情報
２５  更新通知情報
２６  操作通知情報
２７  周辺領域
２８  経路表示情報
２１１、２２１  ボタン
２１２  切出し範囲
２１３  切出し範囲の表示情報
２１４  切出し範囲の情報と連動する表示情報
２１５  複数の第二レイヤの第二表示情報に含まれるボタンを代表するボタン
２１６  複数の第二レイヤの第二表示情報の周囲を表す領域
３０，３０Ａ，３０Ｂ，３０Ｃ、３０Ｄ、３０Ｅ  制御装置
３１  操作対象検出部
３２  入力処理部
３３  切出し画面生成部
３４  画面制御部
３５  切出し画面操作部
３６  通知情報生成部
３７  入力制御部
３８  ボタン生成部
３３１  切出し範囲決定部
３３２  実行部
３３３  画面情報記憶部
３５１  第一更新部
３５２  第二更新部
３５３  第三更新部
４０  通信部
５０  記憶部
５１  記憶媒体
５２  メモリ
６０  制御部
７１，７２，７３，７４，７５，７６，７７，７８，７９，７９１、７９２  データテーブル
８  指
９０  ネットワーク
９１  メインサーバ
【図１】
0006428108.tif 000002
【図２】
0006428108.tif 000003
【図３】
0006428108.tif 000004
【図４】
0006428108.tif 000005
【図５】
0006428108.tif 000006
【図６】
0006428108.tif 000007
【図７】
0006428108.tif 000008
【図８】
0006428108.tif 000009
【図９】
0006428108.tif 000010
【図１０】
0006428108.tif 000011
【図１１】
0006428108.tif 000012
【図１２】
0006428108.tif 000013
【図１３】
0006428108.tif 000014
【図１４】
0006428108.tif 000015
【図１５】
0006428108.tif 000016
【図１６】
0006428108.tif 000017
【図１７】
0006428108.tif 000018
【図１８】
0006428108.tif 000019
【図１９】
0006428108.tif 000020
【図２０】
0006428108.tif 000021
【図２１】
0006428108.tif 000022
【図２２】
0006428108.tif 000023
【図２３】
0006428108.tif 000024
【図２４】
0006428108.tif 000025
【図２５】
0006428108.tif 000026
【図２６】
0006428108.tif 000027
【図２７】
0006428108.tif 000028
【図２８】
0006428108.tif 000029
【図２９】
0006428108.tif 000030
【図３０】
0006428108.tif 000031
【図３１】
0006428108.tif 000032
【図３２】
0006428108.tif 000033
【図３３】
0006428108.tif 000034
【図３４】
0006428108.tif 000035
【図３５】
0006428108.tif 000036
【図３６】
0006428108.tif 000037
【図３７】
0006428108.tif 000038
【図３８】
0006428108.tif 000039
【図３９】
0006428108.tif 000040
【図４０】
0006428108.tif 000041
【図４１】
0006428108.tif 000042
【図４２】
0006428108.tif 000043
【図４３】
0006428108.tif 000044
【図４４】
0006428108.tif 000045
【図４５】
0006428108.tif 000046
【図４６】
0006428108.tif 000047
【図４７】
0006428108.tif 000048
【図４８】
0006428108.tif 000049
【図４９】
0006428108.tif 000050
【図５０】
0006428108.tif 000051
【図５１】
0006428108.tif 000052
【図５２】
0006428108.tif 000053
【図５３】
0006428108.tif 000054
【図５４】
0006428108.tif 000055
【図５５】
0006428108.tif 000056
【図５６】
0006428108.tif 000057
【図５７】
0006428108.tif 000058
【図５８】
0006428108.tif 000059
【図５９】
0006428108.tif 000060
【図６０】
0006428108.tif 000061
【図６１】
0006428108.tif 000062
【図６２】
0006428108.tif 000063
【図６３】
0006428108.tif 000064
【図６４】
0006428108.tif 000065
【図６５】
0006428108.tif 000066
【図６６】
0006428108.tif 000067
【図６７】
0006428108.tif 000068
【図６８】
0006428108.tif 000069
【図６９】
0006428108.tif 000070
【図７０】
0006428108.tif 000071
【図７１】
0006428108.tif 000072
【図７２】
0006428108.tif 000073
【図７３】
0006428108.tif 000074